(57)【要約】本発明は、データ送信方法及び装置、並びにデータ受信方法及び装置に関し、前記データ送信方法は、現在のデータを伝送する時間パラメータを決定するステップと、前記時間パラメータに従って、Ｎビットデータに含まれる２Ｎ個の異なる数値と時間間隔の対応関係を取得し、異なる数値に対応する時間間隔が異なり、Ｎ≧１であるステップと、現在の送信対象のデータビットストリングを取得するステップと、前記データビットストリングに対して、各グループのデータがＮビットになるようにグループ分けを行うステップと、取得された前記対応関係によって、各グループのデータの数値に対応する時間間隔で当該グループのデータを示すように、前記当該グループのデータを送信するスッテプを含む。【選択図】図１
2018527790.tif 000002
【特許請求の範囲】
【請求項１】
現在のデータを伝送する時間パラメータを決定するステップと、
前記時間パラメータに基づいて、Ｎビットデータに含まれる２Ｎ個の異なる数値と時間間隔の対応関係を取得し、異なる数値に対応する時間間隔が異なり、Ｎ≧１であるステップと、
現在の送信対象のデータビットストリングを取得するステップと、
前記データビットストリングに対して、各グループのデータがＮビットになるようにグループ分けを行うステップと、
取得された前記対応関係に基づいて、各グループのデータの数値に対応する時間間隔で当該グループのデータを示すように、当該グループのデータを送信するステップと、を含む、
ことを特徴とするデータ送信方法。
【請求項２】
各グループのデータに対して、当該グループのデータを送信するステップは、
Ｍ個の信号を生成して送信し、各前記信号の開始時刻と、隣接する前の１つの信号の開始時刻との間の時間間隔が当該グループのデータの数値に対応する時間間隔であり、Ｍ≧１、且つＭが自然数であるステップと、を含む、
ことを特徴とする請求項１に記載のデータ送信方法。
【請求項３】
前記Ｍ個の信号を生成するステップは、
前記時間間隔によってＭ回のローレベルパルスを生成するステップを含む、
ことを特徴とする請求項２に記載のデータ送信方法。
【請求項４】
第１グループのデータを送信する前に、
Ｋ個のハンドシェイク信号を生成して送信し、Ｋ≧２、且つＫが整数であるステップをさらに含む、
ことを特徴とする請求項１〜３のいずれかに記載のデータ送信方法。
【請求項５】
前記Ｋ個のハンドシェイク信号の間が予め設定された関係を満足する、
ことを特徴とする請求項４に記載のデータ送信方法。
【請求項６】
前記Ｋ個のハンドシェイク信号が時間パラメータを含む、
ことを特徴とする請求項５に記載のデータ送信方法。
【請求項７】
前記Ｋ個のハンドシェイク信号の間が予め設定された関係を満足することは、
第１の時間間隔と第２の時間間隔との間が予め設定された関係を満足することを含み、前記第１の時間間隔が第ｉ個のハンドシェイク信号の開始時刻と第ｉ-１個のハンドシェイク信号の開始時刻との間の時間間隔であり、前記第２の時間間隔が第ｉ個のハンドシェイク信号の開始時刻と第ｉ＋１個のハンドシェイク信号の開始時刻との間の時間間隔であり、ｉ＝２,４,……,２j、  j＝(Ｋ-１)/２、Ｋ≧３、且つＫが奇数である、
ことを特徴とする請求項５又は６に記載のデータ送信方法。
【請求項８】
前記時間パラメータに基づいて第１の時間間隔グループ及び/又は第２の時間間隔グループを決定し、前記第１の時間間隔グループが少なくとも１つの前記第１の時間間隔を含み、前記第２の時間間隔グループが少なくとも１つの前記第２の時間間隔を含む、
ことを特徴とする請求項７に記載のデータ送信方法。
【請求項９】
前記Ｋ個のハンドシェイク信号を生成するステップは、
前記第１の時間間隔及び前記第２の時間間隔によってＫ回のローレベルパルスを生成するステップを含む、
ことを特徴とする請求項７又は８に記載のデータ送信方法。
【請求項１０】
予め設定された規則によって、現在使用中の時間パラメータを新しい時間パラメータに切り替えて、新しい時間パラメータを現在のデータを伝送する時間パラメータとして決定するステップと、
現在のデータを伝送する時間パラメータに基づいて対応関係を更新するステップと、
更新された対応関係によってデータを伝送するステップと、をさらに含む、
ことを特徴とする請求項１〜９のいずれかに記載のデータ送信方法。
【請求項１１】
現在のデータを伝送する時間パラメータを決定するステップと、   
Ｘ個の信号を受信し、前記Ｘ個の信号における隣接する２つの信号の各開始時刻の間の時間間隔を決定して、Ｘ-１個の時間間隔を取得し、Ｘが正整数であり、且つＸ＞１であるステップと、
決定された前記時間パラメータに基づいて、前記Ｘ-１個の時間間隔における連続的なＳ個の時間間隔ごとの個別の時間間隔に対応する数値を取得して、前記Ｓ個の時間間隔において伝送される数値を取得し、前記Ｓ個の時間間隔において伝送される数値が前記個別の時間間隔に対応する数値であり、前記数値がＮビットデータに含まれる２Ｎ個の異なる数値における１つであり、Ｓ＞１の場合、前記Ｓ個の時間間隔における各時間間隔が同一であり、 Ｘ及びＳがいずれも正整数であり、且つＳ≦Ｘ-１、Ｎ≧１であるステップと、を含む、
ことを特徴とするデータ受信方法。
【請求項１２】
前記Ｘ-１個の時間間隔における第１個の連続的なＳ個の時間間隔において伝送される数値を取得する前に、
前記時間パラメータに基づいてＮビットデータに含まれる２Ｎ個の異なる数値と時間間隔との対応関係を取得し、異なる数値に対応する時間間隔が異なるステップをさらに含む、
ことを特徴とする請求項１１に記載のデータ受信方法。
【請求項１３】
Ｘ-１＝n*Ｓ、n≧１、且つnが整数である、
ことを特徴とする請求項１１又は１２に記載のデータ受信方法。
【請求項１４】
前記Ｘ個の信号を受信するステップは、
Ｘ回のローレベルパルスを検出したステップを含む、
ことを特徴とする請求項１１〜１３のいずれかに記載のデータ受信方法。
【請求項１５】
前記Ｘ個の信号を受信するステップの前に、
Ｋ個の信号を受信し、Ｋ個の信号の間が予め設定された関係を満足するか否かを検出し、Ｋ≧２、且つＫが整数であるステップをさらに含む、
ことを特徴とする請求項１１〜１４のいずれかに記載のデータ受信方法。
【請求項１６】
前記現在のデータを伝送する時間パラメータを決定するステップは、
前記Ｋ個の信号に基づいて時間パラメータを決定するステップを含む、
ことを特徴とする請求項１５に記載のデータ受信方法。
【請求項１７】
前記Ｋ個の信号の間が予め設定された関係を満足するか否かを検出するステップは、
前記Ｋ個の信号の間の時間間隔を検出して、第１の時間間隔と第２の時間間隔との間が予め設定された関係を満足するか否かを判断し、前記第１の時間間隔が第ｉ個の信号の開始時刻と第ｉ−１個の信号の開始時刻との間の時間間隔であり、前記第２の時間間隔が第ｉ個の信号の開始時刻と第ｉ＋１個の信号の開始時刻との間の時間間隔であり、ｉ＝２,４,……,２j、  j＝(Ｋ-１)/２、Ｋ≧３、且つＫが奇数であり、
前記第１の時間間隔と前記第２の時間間隔との間が予め設定された関係を満足する場合、前記Ｘ個の信号を受信するステップを実行することを含む、
ことを特徴とする請求項１５又は１６に記載のデータ受信方法。
【請求項１８】
前記Ｋ個の信号に基づいて時間パラメータを決定するステップは、
第１の時間間隔グループ及び/又は第２の時間間隔グループを決定し、前記第１の時間間隔グループが少なくとも１つの前記第１の時間間隔を含み、前記第２の時間間隔グループが少なくとも１つの前記第２の時間間隔を含み、
前記第１の時間間隔グループ及び/又は前記第２の時間間隔グループに基づいて前記時間パラメータを決定することを含む、
ことを特徴とする請求項１７に記載のデータ受信方法。
【請求項１９】
前記Ｋ個の信号を受信するステップは、
Ｋ回のローレベルパルスを検出したステップを含む、
ことを特徴とする請求項１５〜１８のいずれかに記載のデータ受信方法。
【請求項２０】
予め設定された規則によって、現在使用中の時間パラメータを新しい時間パラメータに切り替えて、新しい時間パラメータを現在のデータを伝送する時間パラメータとして決定し、
前記Ｘ個の信号を受信し、前記Ｘ個の信号における隣接する２つの信号の各開始時刻の間の時間間隔を決定して、Ｘ-１個の時間間隔を取得し、Ｘが正整数であり、且つＸ＞１であり、
現在のデータを伝送する時間パラメータに基づいて、Ｘ-１個の時間間隔における連続的なＳ個の時間間隔ごとの個別の時間間隔に対応する数値を取得して、Ｓ個の時間間隔において伝送される数値を取得し、Ｓ個の時間間隔において伝送される数値が個別の時間間隔に対応する数値であり、数値がＮビットデータに含まれる２Ｎ個の異なる数値における１つであり、Ｓ＞１の場合、Ｓ個の時間間隔における各時間間隔が同一であるステップ、を含む、
ことを特徴とする請求項１１〜１８のいずれかに記載のデータ受信方法。
【請求項２１】
前記Ｘ個の信号を受信するステップは、
Y＋１個の信号を受信して、Y＋１個の信号におけるノイズを除去して、Ｘ個の信号を取得し、Y＋１≧Ｘであるステップを含む、
ことを特徴とする請求項１１〜１９のいずれかに記載のデータ受信方法。
【請求項２２】
現在のデータを伝送する時間パラメータを決定するための時間パラメータ決定ユニットと、
前記時間パラメータに基づいて、Ｎビットデータに含まれる２Ｎ個の異なる数値と時間間隔との対応関係を取得するためのものであり、異なる数値に対応する時間間隔が異なり、Ｎ≧１である時間間隔取得ユニットと、
現在の送信対象のデータビットストリングを取得して、前記データビットストリングに対して、各グループのデータがＮビットになるようにグループ分けを行うためのデータビットストリング取得ユニットと、
取得された前記対応関係に基づいて、各グループのデータの数値に対応する時間間隔で当該グループのデータを示すように、当該グループのデータを送信するための送信ユニットと、を備える、
ことを特徴とするデータ送信装置。
【請求項２３】
各グループのデータに対して、前記送信ユニットが当該グループのデータを送信することは、
前記送信ユニットがＭ個の信号を生成して送信し、各前記信号の開始時刻と、隣接する前の１つの信号の開始時刻との間の時間間隔が当該グループのデータの数値に対応する時間間隔であり、Ｍ≧１、且つＭが 自然数であることを含む、
ことを特徴とする請求項２２に記載のデータ送信装置。
【請求項２４】
前記送信ユニットがＭ個の信号を生成するステップは、
前記送信ユニットが前記時間間隔に基づいてＭ回のローレベルパルスを生成することを含む、
ことを特徴とする請求項２３に記載のデータ送信装置。
【請求項２５】
Ｋ個のハンドシェイク信号を生成して送信するためのハンドシェイク信号送信ユニットをさらに備え、ここで、Ｋ≧２、且つＫが整数である、
ことを特徴とする請求項２２〜２４のいずれかに記載のデータ送信装置。
【請求項２６】
前記Ｋ個のハンドシェイク信号の間が予め設定された関係を満足する、
ことを特徴とする請求項２５に記載のデータ送信装置。
【請求項２７】
前記Ｋ個のハンドシェイク信号が時間パラメータを含む、
ことを特徴とする請求項２５に記載のデータ送信装置。
【請求項２８】
前記Ｋ個のハンドシェイク信号の間が予め設定された関係を満足することは、第１の時間間隔と第２の時間間隔との間が予め設定された関係を満足することを含み、前記第１の時間間隔が第ｉ個のハンドシェイク信号の開始時刻と第ｉ-１個のハンドシェイク信号の開始時刻との間の時間間隔であり、前記第２の時間間隔が第ｉ個のハンドシェイク信号の開始時刻と第ｉ＋１個のハンドシェイク信号の開始時刻との間の時間間隔であり、ｉ＝２,４,……,２j、  j＝(Ｋ-１)/２、Ｋ≧３、且つＫが奇数である、
ことを特徴とする請求項２６又は２７に記載のデータ送信装置。
【請求項２９】
時間パラメータに基づいて第１の時間間隔グループ及び/又は第２の時間間隔グループを決定するためのものでり、前記第１の時間間隔グループが少なくとも１つの前記第１の時間間隔を含み、前記第２の時間間隔グループが少なくとも１つの前記第２の時間間隔を含むハンドシェイク信号時間間隔決定ユニットをさらに備える、
ことを特徴とする請求項２８に記載のデータ送信装置。
【請求項３０】
前記ハンドシェイク信号送信ユニットがＫ個のハンドシェイク信号を生成するステップは、
前記ハンドシェイク信号送信ユニットが前記第１の時間間隔及び前記第２の時間間隔によってＫ回のローレベルパルスを生成することを含む、
ことを特徴とする請求項２７〜２９のいずれかに記載のデータ送信装置。
【請求項３１】
予め設定された規則によって、現在使用中の時間パラメータを新しい時間パラメータに切り替えて、新しい時間パラメータを現在のデータを伝送する時間パラメータとして決定し、時間間隔取得ユニットをトリガして新しい時間パラメータに基づいて対応関係を更新するようにするための時間パラメータ更新ユニットと、
現在のデータを伝送する時間パラメータに基づいて対応関係を更新するための時間間隔取得ユニットと、
更新された対応関係によってデータを伝送するための送信ユニットと、をさらに備える、
ことを特徴とする請求項２２〜３０のいずれかに記載のデータ送信装置。
【請求項３２】
現在のデータを伝送する時間パラメータを決定するための時間パラメータ決定ユニットと、
Ｘ個の信号を受信し、前記Ｘ個の信号における隣接する２つの信号の各開始時刻の間の時間間隔を決定して、Ｘ-１個の時間間隔を取得するためのものであり、Ｘが正整数であり、且つＸ＞１である受信ユニットと、
決定された前記時間パラメータに基づいて、前記Ｘ-１個の時間間隔における連続的なＳ個の時間間隔ごとの個別の時間間隔に対応する数値を取得して、前記Ｓ個の時間間隔において伝送される数値を取得するためのものであり、前記Ｓ個の時間間隔において伝送される数値が前記個別の時間間隔に対応する数値であり、前記数値がＮビットデータに含まれる２Ｎ個の異なる数値における１つであり、Ｓ＞１の場合、前記Ｓ個の時間間隔における各時間間隔が同一であるデータ取得ユニットと、を備える、
ことを特徴とするデータ受信装置。
【請求項３３】
前記データ取得ユニットが前記Ｘ-１個の時間間隔における第１個の連続的なＳ個の時間間隔において伝送される数値を取得する前に、前記時間パラメータに基づいてＮビットデータに含まれる２Ｎ個の異なる数値と時間間隔との対応関係を取得するための時間間隔取得ユニットをさらに備え、
異なる数値に対応する時間間隔が異なる、
ことを特徴とする請求項３２に記載のデータ受信装置。
【請求項３４】
Ｘ-１＝n*Ｓ、n≧１、且つnが整数である、
ことを特徴とする請求項３２又は３３に記載のデータ受信装置。
【請求項３５】
前記受信ユニットがＸ個の信号を受信することは、
前記受信ユニットがＸ回のローレベルパルスを検出したことを含む、
ことを特徴とする請求項３２〜３４のいずれかに記載のデータ受信装置。
【請求項３６】
Ｋ個の信号を受信し、Ｋ個の信号の間が予め設定された関係を満足するか否かを検出するためのハンドシェイク信号受信ユニットをさらに備える、
ことを特徴とする請求項３２〜３５のいずれかに記載のデータ受信装置。
【請求項３７】
前記時間パラメータ決定ユニットが現在のデータを伝送する時間パラメータを決定することは、
時間パラメータ決定ユニットがＫ個の信号に基づいて時間パラメータを決定することを含む、
ことを特徴とする請求項３６に記載のデータ受信装置。
【請求項３８】
前記ハンドシェイク信号受信ユニットがＫ個の信号を受信することは、
ハンドシェイク信号受信ユニットがＫ個の信号の間の時間間隔を検出して、第１の時間間隔と第２の時間間隔との間が予め設定された関係を満足するか否かを判断し、前記第１の時間間隔が第ｉ個の信号の開始時刻と第ｉ−１個の信号の開始時刻との間の時間間隔であり、前記第２の時間間隔が第ｉ個の信号の開始時刻と第ｉ＋１個の信号の開始時刻との間の時間間隔であり、ｉ＝２,４,……,２j、  j＝(Ｋ-１)/２、Ｋ≧３、且つＫが奇数であり、
前記第１の時間間隔と前記第２の時間間隔との間が予め設定された関係を満足する場合、前記受信ユニットにＸ個の信号を受信するステップを実行するように通知することを含む、
ことを特徴とする請求項３６又は３７に記載のデータ受信装置。
【請求項３９】
前記時間パラメータ決定ユニットが現在のデータを伝送する時間パラメータを決定することは、
前記時間パラメータ決定ユニットが第１の時間間隔グループ及び/又は第２の時間間隔グループを決定し、前記第１の時間間隔グループが少なくとも１つの前記第１の時間間隔を含み、前記第２の時間間隔グループが少なくとも１つの前記第２の時間間隔を含み、前記第１の時間間隔グループ及び/又は前記第２の時間間隔グループに基づいて時間パラメータを決定することを含む、
ことを特徴とする請求項３８に記載のデータ受信装置。
【請求項４０】
前記ハンドシェイク信号受信ユニットがＫ個の信号を受信することは、
前記ハンドシェイク信号受信ユニットがＫ回のローレベルパルスを検出したことを含む、
ことを特徴とする請求項３６〜３９のいずれかに記載のデータ受信装置。
【請求項４１】
予め設定された規則によって、現在使用中の時間パラメータを新しい時間パラメータに切り替えて、新しい時間パラメータを現在のデータを伝送する時間パラメータとして決定するための時間パラメータ更新ユニットと、
Ｘ個の信号を受信し、Ｘ個の信号における隣接する２つの信号の各開始時刻の間の時間間隔を決定して、Ｘ-１個の時間間隔を取得するためのものであって、ただし、Ｘが正整数であり、且つＸ＞１である前記受信ユニットと、
時間パラメータ更新ユニットが取得した現在のデータを伝送する時間パラメータに基づいて、Ｘ-１個の時間間隔における連続的なＳ個の時間間隔ごとの個別の時間間隔に対応する数値を取得して、Ｓ個の時間間隔において伝送される数値を取得するものであって、Ｓ個の時間間隔において伝送される数値が各時間間隔に対応する数値であり、数値がＮビットデータに含まれる２Ｎ個の異なる数値における１つであり、Ｓ＞１の場合、Ｓ個の時間間隔における各時間間隔が同一であるデータ取得ユニットと、をさらに備える、
ことを特徴とする請求項３９又は４０に記載のデータ受信装置。
【請求項４２】
Y＋１個の信号を受信して、Y＋１個の信号におけるノイズを除去して、Ｘ個の信号を取得して受信ユニットに送信するためのフィルターリングユニットをさらに備え、Y＋１≧Ｘである、
ことを特徴とする請求項３２〜４１のいずれかに記載のデータ受信装置。
【発明の詳細な説明】
【発明の詳細な説明】
【０００１】
本願は、出願番号がＣＮ２０１５１０６０５５１７．８であって、出願日が２０１５年０９月２１日である中国特許出願に基づき、優先権を主張し、当該中国特許出願の全容を本願に援用する。
【技術分野】
【０００２】
本発明は電子技術分野に関し、特に、データ送信方法及び装置、並びにデータ受信方法及び装置に関する。
【背景技術】
【０００３】
現在、電子製品の迅速な発展につれて、外部インターフェースが混雑になっており、典型的な有線外部インターフェースとして、ＵＳＢインターフェース、ＤＯＣＫインターフェースなどがある。しかし、これらのインターフェースは、通信や充電のために、少なくとも三本以上の線が必要になり、電子機器に大きい体積を占めるとともに、さらに多くのハードウェアのサポートが必要になる。従って、当該技術分野において、ハードウェアのコスト削減及び電子機器の体積減少のために、二本の線のみによってデータ伝送を実現できる両線通信技術手段が望まれている。
【発明の概要】
【発明が解決しようとする課題】
【０００４】
本発明は、上記課題の一つを解決する旨がある。本発明は、以下のような技術手段を提供する。
【課題を解決するための手段】
【０００５】
本発明の第１の態様によればデータ送信方法が提供され、当該データ送信方法は、現在のデータを伝送する時間パラメータを決定するステップと、時間パラメータに従って、Ｎビットデータに含まれる２Ｎ個の異なる数値と時間間隔の対応関係を取得し、ただし、異なる数値に対応する時間間隔が異なり、Ｎ≧１であるステップと、現在の送信対象のデータビットストリングを取得するステップと、データビットストリングに対して、各グループのデータがＮビットになるようにグループ分けを行うステップと、取得された対応関係に基づいて、各グループのデータの数値に対応する時間間隔で当該グループのデータを示すように、当該グループのデータを送信するステップと、を含む。
本発明のデータ送信方法は、各グループのデータに対して、当該グループのデータを送信するステップは、Ｍ個の信号を生成して送信し、各前記信号の開始時刻と、隣接する前の１つの信号の開始時刻との間の時間間隔が当該グループのデータの数値に対応する時間間隔であり、Ｍ≧１、且つＭが自然数であるステップと、を含む。
本発明のデータ送信方法は、前記Ｍ個の信号を生成するステップは、前記時間間隔によってＭ回のローレベルパルスを生成するステップを含む。
本発明のデータ送信方法は、第１グループのデータを送信する前に、Ｋ個のハンドシェイク信号を生成して送信し、Ｋ≧２、且つＫが整数であるステップをさらに含む。
本発明のデータ送信方法は、前記Ｋ個のハンドシェイク信号の間が予め設定された関係を満足する。
本発明のデータ送信方法は、前記Ｋ個のハンドシェイク信号が時間パラメータを含む。
本発明のデータ送信方法は、前記Ｋ個のハンドシェイク信号の間が予め設定された関係を満足することは、第１の時間間隔と第２の時間間隔との間が予め設定された関係を満足することを含み、前記第１の時間間隔が第ｉ個のハンドシェイク信号の開始時刻と第ｉ-１個のハンドシェイク信号の開始時刻との間の時間間隔であり、前記第２の時間間隔が第ｉ個のハンドシェイク信号の開始時刻と第ｉ＋１個のハンドシェイク信号の開始時刻との間の時間間隔であり、ｉ＝２,４,……,２j、  j＝(Ｋ-１)/２、Ｋ≧３、且つＫが奇数である。
本発明のデータ送信方法は、前記時間パラメータに基づいて第１の時間間隔グループ及び/又は第２の時間間隔グループを決定し、前記第１の時間間隔グループが少なくとも１つの前記第１の時間間隔を含み、前記第２の時間間隔グループが少なくとも１つの前記第２の時間間隔を含む。
本発明のデータ送信方法は、前記Ｋ個のハンドシェイク信号を生成するステップは、前記第１の時間間隔及び前記第２の時間間隔によってＫ回のローレベルパルスを生成するステップを含む。
本発明のデータ送信方法は、予め設定された規則によって、現在使用中の時間パラメータを新しい時間パラメータに切り替えて、新しい時間パラメータを現在のデータを伝送する時間パラメータとして決定するステップと、現在のデータを伝送する時間パラメータに基づいて対応関係を更新するステップと、更新された対応関係によってデータ を伝送するステップと、をさらに含む。
【０００６】
また、本発明の第２の態様によればデータ受信方法が提供され、当該データ受信方法は、現在のデータを伝送する時間パラメータを決定するステップと、Ｘ個の信号を受信し、Ｘ個の信号における隣接する２つの信号の各開始時刻の間の時間間隔を決定して、Ｘ-１個の時間間隔を取得し、ただし、Ｘが正整数であり、且つＸ＞１であるステップと、決定された時間パラメータに基づいて、Ｘ-１個の時間間隔における連続的なＳ個の時間間隔ごとの個別の時間間隔に対応する数値を取得して、Ｓ個の時間間隔において伝送される数値を取得し、Ｓ個の時間間隔において伝送される数値が個別の時間間隔に対応する数値であり、数値がＮビットデータに含まれる２Ｎ個の異なる数値における１つであり、Ｓ＞１の場合、Ｓ個の時間間隔における各時間間隔が同一であり、 Ｘ及びＳがいずれも正整数であり、且つＳ≦Ｘ-１、Ｎ≧１であるステップと、を含む。
本発明のデータ受信方法は、前記Ｘ-１個の時間間隔における第１個の連続的なＳ個の時間間隔において伝送される数値を取得する前に、前記時間パラメータに基づいてＮビットデータに含まれる２Ｎ個の異なる数値と時間間隔との対応関係を取得し、異なる数値に対応する時間間隔が異なるステップをさらに含む。
本発明のデータ受信方法は、Ｘ-１＝n*Ｓ、n≧１、且つnが整数である。
本発明のデータ受信方法は、前記Ｘ個の信号を受信するステップは、Ｘ回のローレベルパルスを検出したステップを含む。
本発明のデータ受信方法は、前記Ｘ個の信号を受信するステップの前に、Ｋ個の信号を受信し、Ｋ個の信号の間が予め設定された関係を満足するか否かを検出し、Ｋ≧２、且つＫが整数であるステップをさらに含む。
本発明のデータ受信方法は、前記現在のデータを伝送する時間パラメータを決定するステップは、前記Ｋ個の信号に基づいて時間パラメータを決定するステップを含む。
本発明のデータ受信方法は、前記Ｋ個の信号の間が予め設定された関係を満足するか否かを検出するステップは、前記Ｋ個の信号の間の時間間隔を検出して、第１の時間間隔と第２の時間間隔との間が予め設定された関係を満足するか否かを判断し、前記第１の時間間隔が第ｉ個の信号の開始時刻と第ｉ−１個の信号の開始時刻との間の時間間隔であり、前記第２の時間間隔が第ｉ個の信号の開始時刻と第ｉ＋１個の信号の開始時刻との間の時間間隔であり、ｉ＝２,４,……,２j、  j＝(Ｋ-１)/２、Ｋ≧３、且つＫが奇数であり、前記第１の時間間隔と前記第２の時間間隔との間が予め設定された関係を満足する場合、前記Ｘ個の信号を受信するステップを実行することを含む。
本発明のデータ受信方法は、前記Ｋ個の信号に基づいて時間パラメータを決定するステップは、第１の時間間隔グループ及び/又は第２の時間間隔グループを決定し、前記第１の時間間隔グループが少なくとも１つの前記第１の時間間隔を含み、前記第２の時間間隔グループが少なくとも１つの前記第２の時間間隔を含み、前記第１の時間間隔グループ及び/又は前記第２の時間間隔グループに基づいて前記時間パラメータを決定することを含む。
本発明のデータ受信方法は、前記Ｋ個の信号を受信するステップは、Ｋ回のローレベルパルスを検出したステップを含む。
本発明のデータ受信方法は、予め設定された規則によって、現在使用中の時間パラメータを新しい時間パラメータに切り替えて、新しい時間パラメータを現在のデータを伝送する時間パラメータとして決定し、前記Ｘ個の信号を受信し、前記Ｘ個の信号における隣接する２つの信号の各開始時刻の間の時間間隔を決定して、Ｘ-１個の時間間隔を取得し、Ｘが正整数であり、且つＸ＞１であり、現在のデータを伝送する時間パラメータに基づいて、Ｘ-１個の時間間隔における連続的なＳ個の時間間隔ごとの個別の時間間隔に対応する数値を取得して、Ｓ個の時間間隔において伝送される数値を取得し、Ｓ個の時間間隔において伝送される数値が個別の時間間隔に対応する数値であり、数値がＮビットデータに含まれる２Ｎ個の異なる数値における１つであり、Ｓ＞１の場合、Ｓ個の時間間隔における各時間間隔が同一であるステップ、を含む。
本発明のデータ受信方法は、前記Ｘ個の信号を受信するステップは、Y＋１個の信号を受信して、Y＋１個の信号におけるノイズを除去して、Ｘ個の信号を取得し、Y＋１≧Ｘであるステップを含む。
【０００７】
また、本発明の第３の態様によればデータ送信装置が提供され、当該データ送信装置は、現在のデータを伝送する時間パラメータを決定するための時間パラメータ決定ユニットと、
時間パラメータに基づいて、Ｎビットデータに含まれる２Ｎ個の異なる数値と時間間隔の対応関係を取得するためのものであって、ここで、異なる数値に対応する時間間隔が異なり、Ｎ≧１である時間間隔取得ユニットと、
現在の送信対象のデータビットストリングを取得して、データビットストリングに対して、各グループのデータがＮビットになるようにグループ分けを行うデータビットストリング取得ユニットと、
取得された対応関係に基づいて、各グループのデータの数値に対応する時間間隔で当該グループのデータを示すように、当該グループのデータを送信するための送信ユニットと、を備える。
本発明のデータ送信装置は、各グループのデータに対して、前記送信ユニットが当該グループのデータを送信することは、前記送信ユニットがＭ個の信号を生成して送信し、各前記信号の開始時刻と、隣接する前の１つの信号の開始時刻との間の時間間隔が当該グループのデータの数値に対応する時間間隔であり、Ｍ≧１、且つＭが 自然数であることを含む。
本発明のデータ送信装置は、前記送信ユニットがＭ個の信号を生成するステップは、前記送信ユニットが前記時間間隔に基づいてＭ回のローレベルパルスを生成することを含む。
本発明のデータ送信装置は、Ｋ個のハンドシェイク信号を生成して送信するためのハンドシェイク信号送信ユニットをさらに備え、ここで、Ｋ≧２、且つＫが整数である。
本発明のデータ送信装置は、前記Ｋ個のハンドシェイク信号の間が予め設定された関係を満足する。
本発明のデータ送信装置は、前記Ｋ個のハンドシェイク信号が時間パラメータを含む。
本発明のデータ送信装置は、前記Ｋ個のハンドシェイク信号の間が予め設定された関係を満足することは、第１の時間間隔と第２の時間間隔との間が予め設定された関係を満足することを含み、前記第１の時間間隔が第ｉ個のハンドシェイク信号の開始時刻と第ｉ-１個のハンドシェイク信号の開始時刻との間の時間間隔であり、前記第２の時間間隔が第ｉ個のハンドシェイク信号の開始時刻と第ｉ＋１個のハンドシェイク信号の開始時刻との間の時間間隔であり、ｉ＝２,４,……,２j、  j＝(Ｋ-１)/２、Ｋ≧３、且つＫが奇数である。
本発明のデータ送信装置は、時間パラメータに基づいて第１の時間間隔グループ及び/又は第２の時間間隔グループを決定するためのものでり、前記第１の時間間隔グループが少なくとも１つの前記第１の時間間隔を含み、前記第２の時間間隔グループが少なくとも１つの前記第２の時間間隔を含むハンドシェイク信号時間間隔決定ユニットをさらに備える。
本発明のデータ送信装置は、前記ハンドシェイク信号送信ユニットがＫ個のハンドシェイク信号を生成するステップは、前記ハンドシェイク信号送信ユニットが前記第１の時間間隔及び前記第２の時間間隔によってＫ回のローレベルパルスを生成することを含む。
本発明のデータ送信装置は、予め設定された規則によって、現在使用中の時間パラメータを新しい時間パラメータに切り替えて、新しい時間パラメータを現在のデータを伝送する時間パラメータとして決定し、時間間隔取得ユニットをトリガして新しい時間パラメータに基づいて対応関係を更新するようにするための時間パラメータ更新ユニットと、現在のデータを伝送する時間パラメータに基づいて対応関係を更新するための時間間隔取得ユニットと、更新された対応関係によってデータを伝送するための送信ユニットと、をさらに備える。
【０００８】
さらに、本発明の第４の態様によればデータ受信装置が提供され、当該データ受信装置は、現在のデータを伝送する時間パラメータを決定するための時間パラメータ決定ユニットと、
Ｘ個の信号を受信して、Ｘ個の信号における隣接する２つの信号の各開始時刻の間の時間間隔を決定して、Ｘ-１個の時間間隔を取得するためのものであって、ただし、Ｘが正整数であり、且つＸ＞１である受信ユニットと、
決定された時間パラメータに基づいて、Ｘ-１個の時間間隔における連続的なＳ個の時間間隔ごとの個別の時間間隔に対応する数値を取得して、Ｓ個の時間間隔において伝送される数値を取得するためのものであって、Ｓ個の時間間隔において伝送される数値が個別の時間間隔に対応する数値であり、数値がＮビットデータに含まれる２Ｎ個の異なる数値における１つであり、Ｓ＞１の場合、Ｓ個の時間間隔における各時間間隔が同一であるデータ取得ユニットと、を備える。
本発明のデータ受信装置は、前記データ取得ユニットが前記Ｘ-１個の時間間隔における第１個の連続的なＳ個の時間間隔において伝送される数値を取得する前に、前記時間パラメータに基づいてＮビットデータに含まれる２Ｎ個の異なる数値と時間間隔との対応関係を取得するための時間間隔取得ユニットをさらに備え、異なる数値に対応する時間間隔が異なる。
本発明のデータ受信装置は、Ｘ-１＝n*Ｓ、n≧１、且つnが整数である。
本発明のデータ受信装置は、前記受信ユニットがＸ個の信号を受信することは、前記受信ユニットがＸ回のローレベルパルスを検出したことを含む。
本発明のデータ受信装置は、Ｋ個の信号を受信し、Ｋ個の信号の間が予め設定された関係を満足するか否かを検出するためのハンドシェイク信号受信ユニットをさらに備える。
本発明のデータ受信装置は、前記時間パラメータ決定ユニットが現在のデータを伝送する時間パラメータを決定することは、時間パラメータ決定ユニットがＫ個の信号に基づいて時間パラメータを決定することを含む。
本発明のデータ受信装置は、前記ハンドシェイク信号受信ユニットがＫ個の信号を受信することは、ハンドシェイク信号受信ユニットがＫ個の信号の間の時間間隔を検出して、第１の時間間隔と第２の時間間隔との間が予め設定された関係を満足するか否かを判断し、前記第１の時間間隔が第ｉ個の信号の開始時刻と第ｉ−１個の信号の開始時刻との間の時間間隔であり、前記第２の時間間隔が第ｉ個の信号の開始時刻と第ｉ＋１個の信号の開始時刻との間の時間間隔であり、ｉ＝２,４,……,２j、  j＝(Ｋ-１)/２、Ｋ≧３、且つＫが奇数であり、前記第１の時間間隔と前記第２の時間間隔との間が予め設定された関係を満足する場合、前記受信ユニットにＸ個の信号を受信するステップを実行するように通知することを含む。
本発明のデータ受信装置は、前記時間パラメータ決定ユニットが現在のデータを伝送する時間パラメータを決定することは、前記時間パラメータ決定ユニットが第１の時間間隔グループ及び/又は第２の時間間隔グループを決定し、前記第１の時間間隔グループが少なくとも１つの前記第１の時間間隔を含み、前記第２の時間間隔グループが少なくとも１つの前記第２の時間間隔を含み、前記第１の時間間隔グループ及び/又は前記第２の時間間隔グループに基づいて時間パラメータを決定することを含む。
本発明のデータ受信装置は、前記ハンドシェイク信号受信ユニットがＫ個の信号を受信することは、前記ハンドシェイク信号受信ユニットがＫ回のローレベルパルスを検出したことを含む。
本発明のデータ受信装置は、予め設定された規則によって、現在使用中の時間パラメータを新しい時間パラメータに切り替えて、新しい時間パラメータを現在のデータを伝送する時間パラメータとして決定するための時間パラメータ更新ユニットと、Ｘ個の信号を受信し、Ｘ個の信号における隣接する２つの信号の各開始時刻の間の時間間隔を決定して、Ｘ-１個の時間間隔を取得するためのものであって、ただし、Ｘが正整数であり、且つＸ＞１である前記受信ユニットと、時間パラメータ更新ユニットが取得した現在のデータを伝送する時間パラメータに基づいて、Ｘ-１個の時間間隔における連続的なＳ個の時間間隔ごとの個別の時間間隔に対応する数値を取得して、Ｓ個の時間間隔において伝送される数値を取得するものであって、Ｓ個の時間間隔において伝送される数値が各時間間隔に対応する数値であり、数値がＮビットデータに含まれる２Ｎ個の異なる数値における１つであり、Ｓ＞１の場合、Ｓ個の時間間隔における各時間間隔が同一であるデータ取得ユニットと、をさらに備える。
本発明のデータ受信装置は、Y＋１個の信号を受信して、Y＋１個の信号におけるノイズを除去して、Ｘ個の信号を取得して受信ユニットに送信するためのフィルターリングユニットをさらに備え、Y＋１≧Ｘである。
【発明の効果】
【０００９】
上述した本発明により提供された技術手段から分かるように、本発明が提供する技術手段によれば、伝送時間間隔を利用して情報の伝送が可能であり、データ送信機器は２つの信号の間の時間間隔において伝送されるデータ情報を示することで、二本の線のみによってデータ通信が可能であり、データ送信機器及びデータ受信機器は２つの通信インターフェースのみによる通信が可能である。
【図面の簡単な説明】
【００１０】
以下、本発明の実施例に係る技術手段をさらに明瞭に説明するために、実施例の説明に必要な図面に対して簡単に説明する。勿論、以下の説明における図面は単に本発明の一部の実施例に過ぎず、当業者は創造的な労働をしない前提でこれらの図面から他の図面も取得できる。
【００１１】
【図１】本発明の実施例１により提供されるデータ送信方法を示すフローチャートである。
【図２】本発明の実施例１により提供されるデータグループごとが１つの時間間隔に対応可能であり、複数の時間間隔にも対応可能な波形を示す模式図である。
【図３】本発明の実施例１により提供されるＮ＝２である場合の、データビットストリング００１１１００１００を送信する波形を示す模式図である。
【図４】本発明の実施例１により提供されるＮ＝１である場合の、データビットストリング００１１１００１００を送信する波形を示す模式図である。
【図５】本発明の実施例１により提供されるＮ＝３である場合の、データビットストリング００１１１００１００を送信する波形を示す模式図である。
【図６】本発明の実施例２により提供されるデータ受信方法を示すフローチャートである。
【図７】本発明の実施例３により提供されるデータ送信装置の構成を示す模式図である。
【図８】本発明の実施例４により提供されるデータ受信装置の構成を示す模式図である。
【図９】本発明の実施例５により提供される新しい時間パラメータでデータを伝送方法を示すフローチャートである。
【図１０】本発明の実施例6により提供される別の新しい時間パラメータでデータを伝送方法を示すフローチャートである。
【図１１】本発明の実施例7により提供される又の新しい時間パラメータでデータを伝送方法を示すフローチャートである。
【図１２】本発明の実施例8により提供される又の新しい時間パラメータでデータを伝送方法を示すフローチャートである。
【図１３】本発明の実施例９により提供される新しい時間パラメータでデータを伝送システムの構成を示す模式図である。
【図１４】本発明の実施例１０により提供されるデータ受信方法を示すフローチャートである。
【図１５】本発明の実施例１１により提供されるデータ受信方法を示すフローチャートである。
【図１６】本発明の実施例１２により提供されるデータ送信装置の構成を示す模式図である。
【図１７】本発明の実施例１３により提供されるデータ送信装置の構成を示す模式図である。
【図１８】本発明の実施例１４により提供されるデータを伝送方法を示すフローチャートである。
【図１９】本発明の実施例１５により提供される別のデータを伝送方法を示すフローチャートである。
【図２０】本発明の実施例１６により提供されるデータ処理装置の構成を示す模式図である。
【図２１】本発明の実施例１７により提供される別のデータ処理装置の構成を示す模式図である。
【発明を実施するための形態】
【００１２】
以下、本発明の実施例における図面を参照しながら、本発明の実施例に係る技術手段に対して明瞭且つ完全に説明する。勿論、説明される実施例は単に一部の実施例に過ぎず、全部の実施例ではない。当業者は、本発明の実施例に基づき、創造的な労働をしない前提で得られるあらゆる他の実施例が本発明の保護範囲に属する。
【００１３】
なお、本発明の説明において、「第１」や、「第２」は目的を説明するためのものだけであり、相対的な重要性や、数量や、位置を指示・暗示する意味と理解してはいけない。
【００１４】
以下、本発明の実施例に対して、図面を参照しながらさらに詳しく説明する。
【００１５】
実施例１
本実施例によれば、データ送信方法が提供される。図１は、本実施例の選択可能な１つのデータ送信方法のフローチャートである。本発明の実施例における実行主体はデータを送信する送信端であってもよい。
【００１６】
図１に示すように、前記データ送信方法は、主に以下のステップ１０１〜ステップ１０５を含む。
【００１７】
ステップ１０１、現在のデータを伝送する時間パラメータを決定する。
【００１８】
本実施例の選択可能な１つの実施形態において、現在のデータを伝送する時間パラメータは、データの送信端内に予め設定され、決定されたものであってもよい。また、データの送信端が他の装置から取得して決定されたものであってもよい。またさらに、データの送信端が予め設定することによって計算して決定されたものであってもよい。本発明は、現在のデータを伝送する時間パラメータの決定方式を限定しない。最終に、現在のデータを伝送する時間パラメータを決定できる方式であれば、何れも本発明の保護範囲に属する。
【００１９】
本実施例の選択可能な１つの実施形態において、本ステップは選択可能なステップである。
【００２０】
ステップ１０２、時間パラメータに従って、Ｎビットデータに含まれる２Ｎ個の異なる数値と時間間隔の対応関係を取得する。ここで、異なる数値に対応する時間間隔が異なり、Ｎ≧１である。
【００２１】
本実施例の選択可能な１つの実施形態として、「時間パラメータに従って、Ｎビットデータに含まれる２Ｎ個の異なる数値と時間間隔の対応関係を取得する。ここで、異なる数値に対応する時間間隔が異なり、Ｎ≧１である」に対して以下のように理解してもよい。
【００２２】
２Ｎ個の長さがＮであるビットストリングにおける各ビットストリングと時間間隔の対応関係を取得し、ここで、２Ｎ個のビットストリングは互いに異なり、且つ異なるビットストリングに対応する時間間隔が異なり、且つＮ≧１である。例えば、Ｎ＝１である場合、２個の長さが１であるビットストリングにおける各ビットストリングはそれぞれ０及び１であり、Ｎ＝２である場合、４個の長さが２であるビットストリングにおける各ビットストリングはそれぞれ００、０１、１０及び１１であり、Ｎ＝３又は３以上である場合、Ｎ＝２である場合を参照すればいいので、ここで贅言して説明しない。
【００２３】
本実施例の選択可能な１つの実施形態において、「Ｎビットデータに含まれる２Ｎ個の異なる数値」に対して以下のように理解してもよい。例えば、Ｎ＝１である場合、１ビットデータは２１個の異なる数値を含み、それぞれ０、１であり、Ｎ＝２である場合、２ビットデータは２２個の異なる数値を含み、それぞれ００、０１、１０、１１である。「時間パラメータに従って、Ｎビットデータに含まれる２Ｎ個の異なる数値と時間間隔の対応関係を取得する」に対して以下のように理解していもよい。例えば、Ｎ＝１である場合、時間パラメータに従って、０に対応する時間間隔を取得し、時間パラメータに従って、１に対応する時間間隔を取得する。Ｎ＝２である場合、時間パラメータに従って、００に対応する時間間隔を取得し、時間パラメータに従って、０１に対応する時間間隔を取得し、時間パラメータに従って、１０に対応する時間間隔を取得し、時間パラメータに従って、１１に対応する時間間隔を取得する。勿論、Ｎが他の値である場合、上記の理解方式と同じであるので、ここで贅言して説明しない。
【００２４】
本実施例の選択可能な１つの実施形態において、データの送信端は、データの受信端と予め合意した計算方法によって、当該数値に対応する時間間隔を算出することができる。例えば、Ｎ＝ｎである場合、数値ｍに対応する時間間隔の計算方法は以下の通りであってもよい。即ち、数値ｍに対応する時間間隔＝ｅｔｕ＋ｍ*ｐｄｔ（ただし、０≦ｍ≦２n-１、ｅｔｕが第１の時間パラメータであり、ｐｄｔが第２の時間パラメータである。例えば、ｅｔｕ＝１０μs、ｐｄｔ＝３０μsである）である。即ち、数値１１に対応する時間間隔の計算方法は、１０μs＋３*３０μs＝１００μsであってもよい。当該選択可能な実施形態によって、数値に対応する時間間隔を計算できる。勿論、本発明は、他の予め合意された計算方法によって時間間隔を決定してもよいし、本発明はこれに対して限定しない。予め合意された計算方法によって当該数値に対応する時間間隔を算出することにより、データ伝送の拡張性を確保できる。即ち、Ｎの値が何であるかに問わず、送信端及び受信端がそれぞれ異なる数値と時間間隔の対応関係を計算できる。
【００２５】
本発明の実施例の他の選択可能な１つの実施形態として、データの送信端は、データの受信端と予め合意して記憶したリストによって当該数値に対応する時間間隔を決定してもよい。リストを照会することによって当該数値に対応する時間間隔を決定すると、当該数値に対応する時間間隔を取得する効率を向上することができる。
【００２６】
本発明の実施例の他の選択可能な１つの実施形態として、データの送信端は、データの受信端と予め合意した計算方法によって当該数値に対応する時間間隔を算出した後、データの送信端が予め記憶したリストを照会することで、当該計算して得られた数値に対応する時間間隔がデータの受信端の受信範囲内にあるか否かを判断する。数値に対応する時間間隔を算出した後、さらにリストを照会することで数値に対応する時間間隔を取得すると、受信端が正常に受信することを確保する前提でデータ伝送の拡張性を向上できる。
【００２７】
ステップ１０３、現在の送信対象のデータビットストリングを取得する。
【００２８】
本発明の選択可能な１つの実施形態において、データの送信端は、現在の送信対象のデータビットストリングを自ら生成してもよいし、他の装置から現在の送信対象のデータビットストリングを受信してもよい。本発明は、現在の送信対象のデータビットストリングの取得方式に対して限定しない。最終に、現在の送信対象のデータビットストリングを取得できる方式であれば、何れも本発明の保護範囲に属する。
【００２９】
本発明の選択可能な１つの実施形態として、データの送信端を、他の装置（以下、第１の端末と称する）とデータの受信端の通信に対して中継する１つの中継装置としてもよい。この場合、データの送信端は、以下のステップを含む方法を介して、現在の送信対象のデータビットストリングを取得する。即ち、ステップ１０３a、第１のインターフェースを介して第１のデータを受信する。ステップ１０３b、第１のインターフェースがサポートするプロトコールに基づいて第１のデータに対してデコードして、現在の送信対象の第１のデータビットストリングを取得する。データの送信端が中継装置とされる場合、２つの通信インターフェースを有してもよい。例えば、第１のインターフェース及び第２のインターフェースを有し、第１のインターフェースが第１の端末と通信するインターフェースであり、第２のインターフェースがデータの受信端と通信するインターフェースであり、第１のインターフェースが、例えば、ＵＳＢインターフェース、オーディオインターフェース、シリアルポート、ブルートゥース、ＷｉＦｉ、ＮFCなどの無線インターフェースや有線インターフェースの既存のユニバーサルインターフェースであってもよく、第１の端末からの第１のデータを受信するように、当該第１のインターフェースを介して第１の端末に接続してもよい。第１の端末は携帯電話、コンピュータ、PADなどの機器であってもよい。当該第１のデータは携帯電話、コンピュータ、PADにおいて伝送するデータであってもよい。同時に、第１のインターフェースのインターフェースのタイプによって、サポートするプロトコールに基づいて受信された第１のデータに対してデコードしてもよい。例えば、第１のインターフェースはＵＳＢプロトコール、オーディオプロトコール、シリアルポートプロトコール、ブルートゥースプロトコール、ＷｉＦｉプロトコール、ＮFCプロトコールなどに基づいて第１のデータに対してデコードして、第１のデータに対応するデータビットストリングを取得する。当該データビットストリングは、現在の送信対象の第１のデータビットストリング（即ち、現在の送信対象のデータビットストリング）である。第２のインターフェースは、電子支払い機器（即ち、データの受信端）に接続されたインターフェースであってもよく、当該第２のインターフェースを介してデータを電子支払い機器に送信する。当該第２のインターフェースは、１つのＴＷＩ（Ｔｗｏ−ｗｉｒｅ  Ｉｎｔｅｒｆａｃｅ）インターフェースであってもよく、当該電子支払い機器はＵＳＢＫｅy、OTP及びスマートカードなどの機能を実現可能である。本発明は、データの送信端を中継装置として、当該第１のインターフェースを介してデータ変換を行って、端末からのデータをデータの受信端との通信に適切なデータに変換することを実現して、異なるインターフェースの間の変換を実現し、本発明のデータの送信端の適用範囲を広げた。データの送信端を１つの中継装置とする場合、第１のインターフェースを介して現在の送信対象のデータビットストリングを取得し、本発明に係るデータ送信方法により第２のインターフェースを介して現在の送信対象のデータビットストリングを送信すればよい。勿論、本発明の実施例に係るデータの送信端は、後述の実施例２に記載された受信方法により、第２のインターフェースを介して後述の実施例２に記載された受信方法におけるＸ個の信号を受信して、取得されたＳ個の時間間隔によりおける個別の時間間隔に対応する数値によって、Ｘ-１個の時間間隔に対応する第２のデータビットストリングを取得してもよい。第１のインターフェースによりサポートされるプロトコルによって、第２のデータビットストリングに対いてエンコードして第２のデータを取得し、第１のインターフェースを介して第２のデータを送信する。このとき、第１のインターフェースのインターフェースのタイプによって、サポートするプロトコールによって受信された第２のデータビットストリングに対いてエンコードする。例えば、第１のインターフェースは、ＵＳＢプロトコール、オーディオプロトコール、シリアルポートプロトコール、ブルートゥースプロトコール、ＷｉＦｉプロトコール、ＮFCプロトコールなどによって、第２のデータビットストリングに対いてエンコードして、現在の送信対象の第２のデータを取得する。当該第１のインターフェースを介してデータ変換を行って、本実施例の生成されたデータビットストリングを、ユニバーサルインターフェースプロトコールがサポート可能なデータに変換して、異なるインターフェースの間の変換を実現し、本実施例のデータの送信端の適用範囲を拡大した。
【００３０】
ステップ１０４、各グループのデータがＮビットになるように、データビットストリングに対してグループ分けを行う。
【００３１】
本実施例において、その他、ステップ１０３及びステップ１０４はステップ１０２の前の任意のタイミングに実施されてもよい。データを送信する前に、データビットストリングを取得してグループ分けを行えばよい。また、データの送信端は、毎回データを送信する前に、ステップ１０１及びステップ１０２を一回実行してもよい。或いは、データの送信端は、先にステップ１０１及びステップ１０２を実行し、その後、データを送信するたびにステップ１０２によりＮビットデータに含まれる２Ｎ個の異なる数値と時間間隔の対応関係を取得して、現在の送信対象のデータに対してエンコードしてもよい。或いは、１つの有效期限を設定して、当該有效期限内にデータを送信することは、ステップ１０２によりＮビットデータに含まれる２Ｎ個の異なる数値と時間間隔の対応関係を取得して、現在の送信対象のデータに対してエンコードすることを採用してもよい。或いは、イベントトリガの手段によって、１回のイベントトリガを受信するたびに、例えば、ユーザが現在のデータを伝送する時間パラメータを入力して、Ｎビットデータに含まれる２Ｎ個の異なる数値と時間間隔の対応関係を１回算出する。本実施例は具体的に限定しない。
【００３２】
本発明の選択可能な１つの実施形態として、各グループのデータがＮビットになるように、データビットストリングに対して複数の方法によってグループ分けることができる。各グループに１ビットを含むようにグループ分けを行なってもよいし、各グループに２ビットを含むようにグループ分けを行なってもよい。データビットストリングが単数を含む場合、２ビットを含む方法によって完全にグループ分けを行うことができないので、データビットストリングに対して０を補足して補足してからグループ分けを行う。このとき、データの送信端とデータの受信端は０を補足する方式に対して予め設定又は合意する。データの高位ビットからデータビットストリングを送信するとき、ビットストリングの最後のビットに０を補足する。また、データの低位ビットからデータビットストリングを送信するとき、ビットストリングの高位ビットに０を補足する。勿論、各グループに３ビット及び３ビット以上を含む場合、各グループに２ビットを含むようにグループ分けを行う方式を参照すればよいので、ここで贅言して説明しない。
【００３３】
ステップ１０５、取得された対応関係に基づいて、各グループのデータの数値に対応する時間間隔で当該グループのデータを示すように、当該グループのデータを送信する。
【００３４】
本実施例において、各グループのデータの数値が１つの時間間隔に対応してもよいし、複数の同一の時間間隔に対応してもよい。例えば、図２を参照すると、１つのグループのデータに２ビットが含まれ、当該グループのデータの数値が００、０１、１０及び１１であり、当該グループのデータの数値が００である場合、１つの時間間隔で数値００を示し、このとき、当該１つの時間間隔に対応する時間長さがｅｔｕである。即ち、当該グループのデータ００の表現方式は例えば１つの１０μsの時間間隔であってもよい。当該グループのデータが００である場合、５つの時間間隔で数値００を示してもよい。このとき、当該５つの時間間隔における各時間間隔の時間長さがｅｔｕであってもよい。即ち、当該グループのデータ００の表現方式は５つの時間間隔が同じ信号であってもよく、各時間間隔が１０μsの時間間隔である。各グループのデータの数値が１つの時間間隔に対応することを採用すると、データ伝送速度が速くなり、効率が向上される。各グループのデータの数値が複数の時間間隔に対応することを採用すると、当該時間間隔に対応する数値を的確に判断でき、データ伝送中、時間間隔の紛失によるミスを防止できる。
【００３５】
本実施例の選択可能な１つの実施形態において、各グループのデータに対して、当該グループのデータを送信するとき、Ｍ個の信号を生成して送信する。その中で、各信号の開始時刻と隣接する前の１つの信号の開始時刻の時間間隔が当該グループのデータの数値に対応する時間間隔であり、Ｍ≧１、且つＭが自然数である。信号を採用することにより生成された時間間隔は、検出しやすくなり、安定性が高い効果を奏する。
【００３６】
その他、時間間隔に従ってＭ回のローレベルパルスを生成することによってＭ個の信号を生成してもよいし、時間間隔に従ってＭ回のハイレベルパルスを生成することによってＭ個の信号を生成してもよい。当該ローレベルパルス/ハイレベルパルスは、矩形波、正弦波、三角波などによってローレベルパルス/ハイレベルパルスを区別できる波形が示されてよいが、ここでこれに対して限定しない。好ましくは、時間間隔に従ってローレベルパルスを生成し、送信端と受信端が通信するとき、送信端がハイレベルで受信端に給電し、ローレベルパルスで情報を伝送する方法を採用する。このような方法を採用する機器は、情報インタラクションを行うとき、同一の線を介して給電及び情報の伝送を同時に実施できるので、機器の体積及びコストを低減できる。
【００３７】
本実施例の選択可能な１つの実施形態において、ステップ１０５の第１グループデータを送信する前に、Ｋ個のハンドシェイク信号を生成して送信するステップ１０５aをさらに含む。ただし、Ｋ≧２、且つＫが整数である。隣接する２つの信号の間だけに１つの時間間隔を形成することができるので、少なくとも１つの時間間隔があることを示すため、少なくとも２つのハンドシェイク信号を生成して送信しなければならない。送信端がハンドシェイク信号を送信し、受信端が当該ハンドシェイク信号によってデータの伝送開始位置を判断し、データ伝送效率を向上する。
【００３８】
その他、Ｋ個のハンドシェイク信号の間に予め設定された関係を満足する。送信端は予め設定された関係を満足するハンドシェイク信号を送信し、受信端は当該予め設定された関係によって、受信されたデータがハンドシェイク信号であるか否かを的確に判断できる。
【００３９】
その他、ハンドシェイク信号に時間パラメータが含まれる。受信端は当該Ｋ個のハンドシェイク信号によって時間パラメータを取得することにより、受信端が送信端からの信号を受信するとき、時間間隔を取得して、時間パラメータ及び時間間隔に従って送信端からのデータを取得する。これにより、受信端は送信端における使われる時間パラメータによってデータの数値を示す時間間隔を取得でき、受信端の理論上の時間パラメータと実際の時間パラメータがマッチングしない課題を解決する。
【００４０】
その他、上述の「Ｋ個のハンドシェイク信号の間が予め設定された関係を満足する」とは、第１の時間間隔と第２の時間間隔の間が予め設定された関係を満足することであってもよい。ここで、第１の時間間隔が第ｉ個のハンドシェイク信号の開始時刻と第ｉ-１個のハンドシェイク信号の開始時刻との間の時間間隔であり、第２の時間間隔が第ｉ個のハンドシェイク信号の開始時刻と第ｉ＋１個のハンドシェイク信号の開始時刻との間の時間間隔であり、ｉ＝２,４,……,２j、j＝(Ｋ-１)/２、Ｋ≧３、且つＫが奇数である。この選択可能な実施形態において、「第１の時間間隔と第２の時間間隔の間が予め設定された関係を満足する」とは、送信端と受信端が予め約束した関係である。例えば、第２の時間間隔が第１の時間間隔の２倍である。送信端が予め設定された関係を満足するハンドシェイク信号を送信し、受信端が受信されたデータが予め設定された関係を満足する否かによって受信された信号がハンドシェイク信号であるか否やかを判断する。例えば、５つのハンドシェイク信号を生成して送信するとき、ｔ０、ｔ１、ｔ２及びｔ３の４つの時間間隔が含まれ、ここで、第１の時間間隔がｔ０及びｔ２を含み、第２の時間間隔がｔ１及びｔ３を含んでもよい。また、第１の時間間隔と第２の時間間隔が満足する予め設定された関係がｔ１＝２ｔ０、ｔ３＝２ｔ２であってもよい。
【００４１】
その他、さらに、上述したＫ個のハンドシェイク信号の間の時間間隔によってステップ１０１における時間パラメータを伝送して、受信端が当該Ｋ個のハンドシェイク信号によって送信端に使われる時間パラメータを取得でき、受信端に使われる時間パラメータをさらに確認することができる。具体的に、送信端はステップ１０１における時間パラメータによって、第１の時間間隔グループと第２の時間間隔グループを決定でき、第１の時間間隔グループが少なくとも１つの第１の時間間隔を含み、第２の時間間隔グループが少なくとも１つの第２の時間間隔を含む。
【００４２】
その他、第１の時間間隔及び第２の時間間隔によってＫ回のローレベルパルスを生成することでＫ個のハンドシェイク信号を生成する。また、第１の時間間隔及び第２の時間間隔によってＫ回のハイレベルパルスを生成することでＫ個のハンドシェイク信号を生成してもよい。当該ローレベルパルス/ハイレベルパルスは、矩形波、正弦波、三角波などによってローレベルパルス/ハイレベルパルスを区別できる波形が示されるが、これに対して限定しない。好ましくは、時間間隔によってローレベルパルスを生成することでハンドシェイク信号を生成し、送信端と受信端が通信するとき、送信端がハイレベルで受信端に給電し、ローレベルパルスで情報を伝送する方法を採用する。このような方法を採用する機器は、情報インタラクションを行うとき、同一の線を介して給電及び情報の伝送を同時に実施できるので、機器の体積及びコストを低減できる。
以上、握手信号を送信する方法について具体的に実施例14から17のいずれかの実施例を参照してください。
【００４３】
本実施例の選択可能な１つの実施形態において、ステップ１０５の後、現在のデータ伝送の速度を満足させるために、時間パラメータを変更してもよい。即ち、ステップ１０５の後、さらに、予め設定された規則に従って、現在使用中の時間パラメータを新しい時間パラメータに切り替え、新しい時間パラメータを現在のデータを伝送する時間パラメータとして決定し、現在のデータを伝送する時間パラメータにより対応関係を更新し、後続のデータ送信過程において、更新された対応関係に基づいてデータ伝送を行うステップ１００をさらに含んでもよい。本実施形態において、新しい時間パラメータの決定は、送信端と受信端の合意を介して完成されてもよいし、送信端及び受信端が予め記憶した時間パラメータのリストを照会することで完成されてもよい。例えば、あるタイプのデータを送信するとき、リストを照会することで当該タイプのデータが使用すべきの時間パラメータを決定する。送信端の時間パラメータは可変であり、異なるデータ処理能力の受信端がマッチングされ、又は異なるタイプデータがマッチングされて、データ処理効率をさらに向上する。具体的には、実施例5から9のいずれかの実施例を参照してください。
【００４４】
本実施例の選択可能な１つの実施形態において、ステップ１０５で最後の１つグループのデータの送信を完成した後、検証データを送信し、当該検証データによって、データの受信端が受信したデータの完備性及び正確性を判断するステップ１０６をさらに含んでもよい。検証データは、ＭAC検証、パリティ検証、サム検証などの検証方法によって計算された検証データであるが、これらに限定しない。
【００４５】
本実施例の選択可能な１つの実施形態において、ステップ１０５で最後の１つグループのデータの送信を完成した後、或いはステップ１０５で最後の１つグループのデータの送信を完成した後であって、ステップ１０６の前に、A個の終了信号（A≧１、且つ整数である）を送信するステップ１０７をさらに含んでもよい。終了信号がハンドシェイク信号と同じであってもよいし、異なってもよい。当該終了信号によって、受信端がデータの受信が終了したか否かを判断できる。 
【００４６】
上述した本発明の実施例により提供された技術手段によれば、送信端は送信波形の時間間隔で送信波形のデータを示すことができ、二本の線のみを使ってデータの送信を完成でき、電子機器に適用するとき、電子機器の体積を有効的に低減できる。
【００４７】
以下、現在の送信対象のビットストリングが００１１１００１００であり、且つＮ＝２であることを例として、本発明の実施例により提供されるデータ送信方法に対して簡単に説明する。
【００４８】
ステップ１０１において、現在の伝送時間パラメータを決定する。その他、２つの時間パラメータ、即ち、第１の時間パラメータｅｔｕ及び第２の時間パラメータｐｄｔを決定する。ここで、ｅｔｕ＝１０μs、ｐｄｔ＝３０μsである。本発明の実施例において、時間パラメータとは、データの送信に占められる時間長さである。時間パラメータの個数はＮとの間に対応関係が存在しなく、受信端と一致すればよい。本実施例は、時間パラメータがデータの数値に対応する時間間隔を表現できればよいので、その具体的な個数に対して限定しない。
【００４９】
ステップ１０２において、時間パラメータによって、Ｎビットデータに含まれる２Ｎ個の異なる数値と時間間隔の対応関係を取得する。例えば、Ｎ＝２である場合、時間パラメータによって、２ビットデータに含まれる４つの異なる数値と時間間隔の対応関係を取得する。即ち、００＝ｅｔｕ、０１＝ｅｔｕ＋ｐｄｔ、１０＝ｅｔｕ＋２ｐｄｔ、１１＝ｅｔｕ＋３ｐｄｔであってもよい。本発明において、時間パラメータの複数の組み合わせ方式によって２ビットデータの数値に対応する時間間隔を表現できるが、これに対して限定しない。 
【００５０】
ステップ１０３において、現在の送信対象のデータビットストリング００１１１００１００を取得する。
【００５１】
ステップ１０４において、データビットストリング００１１１００１００に対して、各グループのデータが２ビットであり、即ち、００ １１ １０  ０１ ００を含むようグループ分けを行う。
【００５２】
ステップ１０５において、取得された対応関係に基づいて、各グループのデータの数値に対応する時間間隔で当該グループのデータを示すように、当該グループのデータを送信する。本実施例において、各グループのデータの数値が１つの時間間隔に対応してもよいし、複数の同じ時間間隔に対応してもよい。例えば、００が１つのｅｔｕの時間間隔（例えば、１０μs）に対応し、１つの信号の後、当該時間間隔で他の１つの信号を送信する。このように形成されたｅｔｕの時間長さが数値００を示す。勿論、００が３つのｅｔｕの時間間隔（例えば、各時間間隔が１０μsである）に対応してもよく、１つの信号の後、ｅｔｕの時間間隔で３つの信号を連続して送信し、受信端においてこのような３つの同じ時間長さを受信する場合に、数値００を受信したと認定する。複数の同じ時間間隔で各グループのデータを示すとき、送信端と受信端において時間間隔の個数が同じであればよいが、本実施例はこれに対して具体的に限定しない。
【００５３】
本実施例において、データビットストリングの順序に従って、ｅｔｕの時間間隔で数値００を送信することを示す。ｅｔｕ＋３ｐｄｔの時間間隔で数値１１を送信することを示し、ｅｔｕ＋２ｐｄｔの時間間隔で数値１０を送信することを示し、ｅｔｕ＋ｐｄｔの時間間隔で数値０１を送信することを示し、ｅｔｕの時間間隔で数値００を送信することを示す。各グループのデータの数値に対応す１つの時間間隔を例として、データビットストリング００１１１００１００を送信する波形を図３のように示すが、各信号の間の時間間隔で、当該データビットストリングの送信を完成する。
【００５４】
以下、現在の送信対象のビットストリングが００１１１００１００であり、 且つＮ＝１であることを例として、本発明の実施例により提供されるデータ送信方法に対して簡単に説明する。
【００５５】
ステップ１０１において、現在の伝送時間パラメータを決定する。その他、２つの時間パラメータ、即ち、第１の時間パラメータｅｔｕ及び第２の時間パラメータｐｄｔを決定する。ここで、ｅｔｕ＝１０μs、ｐｄｔ＝３０μsである。時間パラメータの個数はＮとの間に対応関係が存在しなく、本実施例は、時間パラメータがデータの数値に対応する時間間隔を表現できればよいので、時間パラメータの具体的な個数に対して限定しない。
【００５６】
ステップ１０２において、時間パラメータによって、Ｎビットデータに含まれる２Ｎ個の異なる数値と時間間隔の対応関係を取得する。例えば、Ｎ＝１である場合、時間パラメータによって、１ビットデータに含まれる２つの異なる数値と時間間隔の対応関係を取得する。即ち、０＝ｅｔｕ、１＝ｐｄｔであってもよい。本発明において、時間パラメータの複数の組み合わせ方式によって１ビットデータの数値に対応する時間間隔を表現できるが、これに対して限定しない。
【００５７】
ステップ１０３において、現在の送信対象のデータビットストリング００１１１００１００を取得する。
【００５８】
ステップ１０４において、データビットストリング００１１１００１００に対して、各グループのデータが１ビット、即ち、０ ０ １ １ １ ０ ０ １ ０ ０を含むようにグループ分けを行うが、本ステップを省略してもよい。
【００５９】
ステップ１０５において、取得された対応関係に基づいて、各グループのデータの数値に対応する時間間隔で当該グループのデータを示すように、当該グループのデータを送信する。本実施例において、各グループのデータの数値が１つの時間間隔に対応してもよいし、複数の同じ時間間隔に対応してもよい。例えば、０が１つのｅｔｕの時間間隔（例えば、１０μs）に対応し、１つの信号の後、当該時間間隔で他の１つの信号を送信する。このように形成されたｅｔｕの時間長さが数値０を示す。勿論、０が３つのｅｔｕの時間間隔（例えば、各時間間隔が１０μsである）に対応してもよく、１つの信号の後、ｅｔｕの時間間隔で３つの信号を連続して送信し、受信端においてこのような同じ３つの時間長さを受信する場合に、数値０を受信したと認定する。
【００６０】
本実施例において、データビットストリングの順序に従って、各グループのデータを送信する。即ち、各信号の時間間隔はｅｔｕの時間間隔、ｅｔｕの時間間隔、 ｐｄｔの時間間隔、ｐｄｔの時間間隔、ｐｄｔの時間間隔、ｅｔｕの時間間隔、ｅｔｕの時間間隔、ｐｄｔの時間間隔、ｅｔｕの時間間隔、ｅｔｕの時間間隔である。各グループのデータの数値に対応する１つの時間間隔を例として、データビットストリング００１１１００１００を送信する波形を図４のように示すが、各信号の間の時間間隔で、当該データビットストリングの送信を完成する。
【００６１】
以下、現在の送信対象のビットストリングが００１１１００１００であり、且つＮ＝３であることを例として、本発明の実施例により提供されるデータ送信方法に対して簡単に説明する。
【００６２】
ステップ１０１において、現在の伝送時間パラメータを決定する。その他、２つの時間パラメータであり、即ち、第１の時間パラメータｅｔｕ及び第２の時間パラメータｐｄｔを決定する。ここで、ｅｔｕ＝１０μs、ｐｄｔ＝３０μsである。時間パラメータの個数はＮとの間に対応関係が存在しなく、本実施例は、時間パラメータがデータの数値に対応する時間間隔を表現できればよいので、時間パラメータの具体的な個数に対して限定しない。
【００６３】
ステップ１０２において、時間パラメータによって、Ｎビットデータに含まれる２Ｎ個の異なる数値と時間間隔の対応関係を取得する。例えば、Ｎ＝３である場合、時間パラメータによって、３ビットデータに含まれる８つの異なる数値と時間間隔の対応関係を取得する。例えば、０００＝ｅｔｕ、００１＝ｅｔｕ＋ｐｄｔ、０１０＝ｅｔｕ＋２ｐｄｔ、０１１＝ｅｔｕ＋３ｐｄｔ、１００＝ ｅｔｕ＋４ｐｄｔ、１０１＝ ｅｔｕ＋５ｐｄｔ、１１０＝ ｅｔｕ＋６ｐｄｔ、１１１＝ｅｔｕ＋７ｐｄｔを取得する。本発明において、時間パラメータの複数の組み合わせ方式によって３ビットデータの数値に対応する時間間隔を表現できるが、これに対して限定しない。
【００６４】
ステップ１０３において、現在の送信対象のデータビットストリング００１１１００１００を取得する。
【００６５】
ステップ１０４において、データビットストリング００１１１００１００に対して、各グループのデータが３ビットになるようにグループ分けを行う。本実施例において、取得されたデータビットストリングが各グループに含まれるビット数の整数倍ではない場合、データビットストリングに対して０を補足する操作を行う。データビットストリングの送信順序がロービッドから高位ビットになる場合、ハイビッドに０を補足してグループ分けを行って、０００ ０１１ １００ １００になり、データビットストリングの送信順序が高位ビットから低位ビットになる場合、低位ビットに０を補足してグループ分けを行って、００１ １１０ ０１０ ０００になる。
【００６６】
ステップ１０５において、取得された対応関係に基づいて、各グループのデータの数値に対応する時間間隔で当該グループのデータを示すように、当該グループのデータを送信する。本実施例において、各グループのデータの数値が１つの時間間隔に対応してもよく、複数の同じ時間間隔に対応してもよい。
【００６７】
本実施例において、データビットストリングの低位ビットから高位ビットまでの順序で各グループのデータを送信する。即ち、ｅｔｕ＋４ｐｄｔの時間間隔の信号、ｅｔｕ＋４ｐｄｔの時間間隔の信号、 ｅｔｕ＋３ｐｄｔの時間間隔の信号、ｅｔｕの時間間隔の信号を送信する。各グループのデータの数値に対応する１つの時間間隔を例として、データビットストリング００１１１００１００を送信する波形を図５のように示すが、各信号の間の時間間隔で、当該データビットストリングの送信を完成する。勿論、高位ビットから低位ビットまでの順序で各グループのデータを送信する場合、低位ビットに０を補えばよい。データ送信方法は低位ビットから高位ビットまでの順序と類似する。高位ビットから始まる数値に対応する時間間隔に従って信号を順次送信すればよいので、ここで贅言して説明しない。
【００６８】
Ｎ≧４である場合、Ｎ＝２又はＮ＝３である場合のデータ送信方法を参照してデータを送信すればよい。
【００６９】
Ｎ＝１．５である場合、Ｎ＝２である場合のデータ送信方法を参照してデータを送信すればよいが、以下に差異がある。
【００７０】
少なくとも２つの時間間隔を使って３ビットデータ中の数値に対応する。即ち、Ｎの値が非整数である場合、複数の時間間隔を使ってBビットデータ中の異なる数値に対応する。ただし、BがＮの整数倍であり、Bが正整数である。
【００７１】
実施例２
本実施例は、データ受信方法を提供し、図６は本実施例の選択可能な１つのデータ受信方法のフローチャートである。本発明の実施例の実行主体はデータを受信する受信端であってもよい。
【００７２】
図６に示すように、当該データ受信方法は主に以下のステップ２０１〜ステップ２０３を含む。
【００７３】
ステップ２０１、現在のデータを伝送する時間パラメータを決定する。
【００７４】
本実施例の選択可能な１つの実施形態において、現在のデータを伝送する時間パラメータは、データの受信端において予め設定して決定されたものであってもよい。また、データの受信端が送信端から取得して決定されたものであってもよい。またさらに、データの受信端が予め設定することにより計算して決定されたものであってもよい。例えば、受信端は、データを受信する前に、先にハンドシェイク信号を受信し、ハンドシェイク信号によって、現在のデータを伝送する時間パラメータを決定するが、本発明は現在のデータを伝送する時間パラメータの決定方式に対して限定しない。最終に、現在のデータを伝送する時間パラメータを決定可能な方式であれば、何れも本発明の保護範囲に属する。
【００７５】
本実施例の選択可能な１つの実施形態において、本ステップは選択可能なステップである。
【００７６】
ステップ２０２、Ｘ個の信号を受信し、Ｘ個の信号における隣接する２つの信号の各開始時刻の間の時間間隔を決定して、Ｘ-１個の時間間隔を取得する。ただし、Ｘが正整数であり、且つＸ＞１である。
【００７７】
本実施例の選択可能な１つの実施形態において、「Ｘ個の信号を受信する」とは、Ｘ回のローレベルパルスを検出してもよく、Ｘ回のハイレベルパルスを検出してもよい。当該ローレベルパルス/ハイレベルパルスは、矩形波、正弦波、三角波などによってローレベルパルス/ハイレベルパルスを区別できる波形が示されるが、これに対して限定しない。好ましくは、検出されたのがローレベルパルスである。即ち、送信端が受信端にハイレベルを提供できる場合、ローレベルパルスを生成し、このような方式によって、送信端と受信端が通信するとき、受信端は送信端からのハイレベルを電源として、受信端の電気消費部材に電気エネルギーを提供する。例えば、受信端は、送信端からのハイレベルによって充電され、或いは受信端内部に電源を設けず、送信端からのハイレベルを電源として直接に使用する。このような方法を採用する機器は、情報インタラクションを行うとき、同一の線を介して給電及び情報の受信を同時に実施できるので、機器の体積及びコストを低減できる。
【００７８】
本実施例の選択可能な１つの実施形態において、ステップ２０２の前に、Ｋ個の信号を受信し、Ｋ個の信号の間が予め設定された関係を満足するか否かを検出するステップ２０２aをさらに含む。ただし、Ｋ≧２、且つＫが整数である。隣接する２つの信号の間だけに１つの時間間隔が形成するので、少なくとも１つの時間間隔を取得するように、少なくとも２つのハンドシェイク信号を受信すべきである。受信端は、Ｋ個の信号の間が予め設定された関係を満足するか否かによって当該Ｋ個の信号がハンドシェイク信号であるか否かを判断する。受信端はハンドシェイク信号を受信して、当該ハンドシェイク信号によってデータ伝送の開始位置を判断し、データ伝送効率を向上する。
【００７９】
その他、ステップ２０２aにおいて、Ｋ個の信号の間の時間間隔を検出して、第１の時間間隔と第２の時間間隔が予め設定された関係を満足するか否かを判断する。ここで、第１の時間間隔が第ｉ個の信号の開始時刻と第ｉ−１個の信号の開始時刻との間の時間間隔であり、第２の時間間隔が第ｉ個の信号の開始時刻と第ｉ＋１個の信号の開始時刻との間の時間間隔であり、ｉ＝２,４,……,２ｊ、ｊ＝(Ｋ−１)/２、Ｋ≧３、且つＫが奇数である。第１の時間間隔と第２の時間間隔が予め設定された関係を満足すると、Ｘ個の信号を受信するステップを実行する。即ち、受信されたＫ個の信号がハンドシェイク信号であり、Ｋ個の信号後の信号がデータ伝送信号であることを決定する。ここで、Ｋの値は予め設けられたものである。さらに、第１の時間間隔と第２の時間間隔が予め設定された関係を満足しないと、後続のＫ個の信号の間の時間間隔を検出し、予め設定された関係を満足するＫ個の信号を検出するまでに、後続のＫ個の信号の第１の時間間隔と第２の時間間隔の間が予め設定された関係を満足するか否やかを判断する。即ち、ハンドシェイク信号を検出しなかった場合、受信端はハンドシェイク信号を検出し続け、ハンドシェイク信号を検出してからデータの受信を始まる。これによって、送信端のミス操作があった場合に、受信端に信号を送信することを防止でき、同時に、データの開始も判断できる。さらに、第１の時間間隔と第２の時間間隔の間が満足する予め設定された関係は、送信端と受信端が予め約束した関係であってもよい。例えば、第２の時間間隔が第１の時間間隔の２倍である。受信端は、受信されたデータが予め設定された関係を満足するか否かによって、受信された信号がハンドシェイク信号であるか否かを判断する。例えば、５つの信号を受信した場合、ｔ０、ｔ１、ｔ２及びｔ３の４つの時間間隔を含み、ここで、第１の時間間隔がｔ０及びｔ２を含み、第２の時間間隔がｔ１及びｔ３を含んでもよい。また、第１の時間間隔と第２の時間間隔が満足する予め設定された関係がｔ１＝２ｔ０、ｔ３＝２ｔ２であってもよい。
【００８０】
さらに、ステップ２０２aにおいて、受信されたＫ個の信号が時間パラメータをさらに含み、ステップ２０１において、Ｋ個の信号によって時間パラメータを決定できる。その他、先に第１の時間間隔グループと第２の時間間隔グループを決定し、ここで、第１の時間間隔グループが少なくとも１つの第１の時間間隔を含み、第２の時間間隔グループが少なくとも１つの第２の時間間隔を含む。そして、第１の時間間隔グループ及び第２の時間間隔グループによって時間パラメータを決定する。例えば、送信端が５つのハンドシェイク信号を送信し、第１の時間間隔ｔ１＝ｅｔｕ、第２の時間間隔ｔ２＝ｅｔｕ＋ｐｄｔであると、受信端が第１の時間間隔及び第２の時間間隔によって時間パラメータｅｔｕ及びｐｄｔの値を決定できる。Ｋ個の信号によって時間パラメータを決定することで、受信端の理論時間パラメータと実際時間パラメータが一致しないことを防止でき、データ伝送の正確性を確保できる。
【００８１】
データを伝送する信号に類似して、受信端がＫ回のローレベルパルスを検出して、Ｋ個の信号を受信したことを決定できる。或いは、Ｋ回のハイレベルパルスを検出して、Ｋ個の信号を受信したことを決定できる。当該ローレベル/ハイレベルパルスは、矩形波、正弦波などによって実現できる。好ましくは、ローレベルパルスを検出し、即ち、送信端が受信端にハイレベルを提供し、Ｋ個の信号を送信する必要がある場合、Ｋ回のローレベルパルスを生成することで、送信端と受信端が通信するとき、受信端が送信端からのハイレベルを電源として使い、或いは受信端の内部に電源を設けず、送信端のハイレベルを電源として直接に使う方法を採用する。このような方法による機器は、情報インタラクションを行うとき、同一の線を介して給電及び情報の受信を同時に実施できるので、機器の体積及びコストを低減できる情報インタラクションを行うとき、同一の線を介して給電及び情報の受信を同時に実施できるので、機器の体積及びコストを低減できる。
【００８２】
以上は、Ｋ個の信号を受信して時間パラメータを取得する具体的な形態に関し、実施例１４〜１７のいずれか１つの実施例を参照すればよい。
【００８３】
本実施例の選択可能な１つの実施形態において、Ｘ個の信号を受信することは、Y＋１個の信号受信し、Y＋１個の信号におけるノイズを除去して、Ｘ個の信号を取得することを含む。ただし、Y＋１≧Ｘである。具体的は、実施例１０〜１３のいずれか１つの実施例を参照すればよい。
【００８４】
ステップ２０３、ステップ２０１において決定された現在のデータを伝送する時間パラメータによって、Ｘ-１個の時間間隔における連続的なＳ個の時間間隔ごとの個別の時間間隔に対応する数値を取得して、Ｓ個の時間間隔において伝送された数値を取得し、 Ｓ個の時間間隔において伝送した数値が個別の時間間隔に対応する数値であり、数値はＮビットデータに含まれる２Ｎ個の異なる数値中の１つであり、ここで、Ｓ＞１である場合、Ｓ個の時間間隔が同じであり、 Ｘ及びＳがいずれも正整数であり、且つ、Ｓ≦Ｘ-１、Ｎ≧１である。Ｘ-１個の時間間隔において、Ｓ＞１である場合、Ｓ個の連続的な時間間隔がそれぞれ同じであり、ここで、個別の時間間隔に対応するＮビットデータの数値が当該Ｓ個の時間間隔において伝送された数値である。例えば、７つの信号を受信すると、６つの時間間隔を取得し、その中の３つの連続的な時間間隔が同じである。即ち、送信端は、複数の同じ時間間隔でＮビットデータの数値を示し、３つの時間間隔中の個別の時間間隔に対応するＮビットデータを取得し、さらに、３つの時間間隔に伝送された数値を取得し、Ｓ＝１である場合、１つの時間間隔に伝送された数値を取得する。
【００８５】
本発明の実施例の選択可能な１つの実施形態として、ステップ２０１において決定された現在のデータを伝送する時間パラメータによって、Ｘ-１個の時間間隔における連続的なＳ個の時間間隔ごとの個別の時間間隔に対応する数値を取得して、Ｓ個の時間間隔において伝送された数値を取得し、複数の計算方法によって、個別の時間間隔に対応する数値を計算して取得する。例えば、予め設定した又は合意した計算方法である、数値ｍの時間間隔＝ｅｔｕ＋ｍ*ｐｄｔによって、時間間隔に対応する数値を取得する。例えば、１つの時間間隔を受信し、ｅｔｕ及びｐｄｔによって、ｍの数値を計算して取得する。例えば、ｍ＝１である場合、予め設定した又は合意した各グループのデータが１ビットであると、当該数値が１であり、各グループのデータが２ビットであると、当該数値が０１であり、各グループのデータが３ビットであると、当該数値が００１であり、各グループのデータが４ビット又は４ビット以上である場合、数値を取得する方法が同じであり、ここで贅言して説明しない。
【００８６】
本発明の実施例の選択可能な１つの実施形態として、決定された現在のデータを伝送する時間パラメータによって、Ｘ-１個の時間間隔における連続的なＳ個の時間間ごとの個別の時間間隔に対応する数値を取得して、Ｓ個の時間間隔において伝送される数値を取得する（数値はＮビットデータに含まれる２Ｎ個の異なる数値中の１つであり、ここで、Ｓ＞１である場合、Ｓ個の時間間隔が同じであり、 Ｘ及びＳはいずれも正整数であり、且つ、Ｓ≦Ｘ-１、Ｎ≧１）ことに関し、以下のように理解できる。
【００８７】
決定された現在のデータを伝送する時間パラメータによって、Ｘ-１個の時間間隔における連続的なＳ個の時間間隔ごとの個別の時間間隔に対応するビットストリングを取得して、Ｓ個の時間間隔において伝送されるビットストリングを取得する。ここで、Ｓ個の時間間隔において伝送される数値が個別の時間間隔に対応するビットストリングであり、Ｓ＞１である場合、Ｓ個の時間間隔が同じであり、Ｓが正整数であり、且つ、Ｓ≦Ｘ-１である。例えば、Ｘ＝２、Ｓ＝１である場合、１つの時間間隔のみを有し、当該時間間隔に対応するビットストリングを取得する。Ｘが３又は３以上であり、且つＳ＝１である場合、複数の時間間隔を有し、各時間間隔に対応するビットストリングを取得すする。Ｘ＝３、Ｓ＝２である場合、２つの時間間隔を有し、この２つの時間間隔が同じであり、且つ、当該時間間隔が１つのビットストリングに対応し、この２つの時間間隔が当該１つの時間間隔に対応するビットストリングを示す。Ｘが５又は５以上であり、且つＳ＝２である場合、４つの時間間隔を有し、前の２つの連続的な時間間隔における１つの時間間隔が１つのビットストリングに対応し、後の２つの連続的な時間間隔における１つの時間間隔が他の１つのビットストリングに対応する。即ち、前の２つの時間間隔が１つのビットストリングを示し、後の２つの時間間隔が他の１つのビットストリングを示す。勿論、以上に挙げた例は例示的であり、Ｓ個の時間間隔において伝送されるビットストリングを取得することが可能な方法は何れも本発明の保護範囲に属する。
【００８８】
本実施例の選択可能な１つの実施形態において、ステップ２０３でＸ-１個の時間間隔における第１個の連続的なＳ個の時間間隔において伝送される数値を取得する前に、時間パラメータによって、Ｎビットデータに含まれる２Ｎ個の異なる数値と時間間隔の対応関係を取得するステップ２０３’をさらに含む。ここで、異なる数値に対応する時間間隔が異なり、Ｎ≧１である。前述のＮビットデータに含まれる２Ｎ異なる数値及び時間間隔を予め算出することによって受信された時間間隔に対応する数値を決定することで、データを受信した後のデコード時間をさらに縮減できる。本発明の実施例の選択可能な１つの実施形態として、時間パラメータによって、Ｎビットデータに含まれる２Ｎ個の異なる数値と時間間隔の対応関係を取得する（ここで、異なる数値に対応する時間間隔が異なり、Ｎ≧１）とは、以下のように理解できる。時間パラメータによって、２Ｎ個の長さがＮであるビットストリングにおける各ビットストリングと時間間隔の対応関係を取得する（ここで、２Ｎ個のビットストリングが互いに異なり、且つ、異なるビットストリングに対応する時間間隔が異なり、且つＮ≧１である）。
【００８９】
本実施例の選択可能な１つの実施形態において、当該実施形態にはステップ２０１が含まず、本ステップ中の「Ｎビットデータに含まれる２Ｎ個の異なる数値と時間間隔の対応関係を取得し、ここで、異なる数値に対応する時間間隔が異なる」が必須のステップである、即ち、現在のデータ伝送を決定する時間パラメータを含まないと、Ｎビットデータに含まれる２Ｎ個の異なる数値と時間間隔の対応関係を含まなければならない。
【００９０】
本実施例の選択可能な１つの実施形態において、「Ｎビットデータに含まれる２Ｎ個の異なる数値」とは、以下のように理解できる。例えば、Ｎ＝１である場合、１ビットデータに２１個の異なる数値を含み、それぞれ０と１である。Ｎ＝２である場合、２ビットデータに含まれる２２個の異なる数値を含み、それぞれ００、０１、１０、１１である。「時間パラメータによって、Ｎビットデータに含まれる２Ｎ個の異なる数値と時間間隔の対応関係を取得する」とは、以下のように理解できる。例えば、Ｎ＝１である場合、時間パラメータによって、０に対応する時間間隔を取得し、時間パラメータによって、１に対応する時間間隔を取得する。Ｎ＝２である場合、時間パラメータによって、００に対応する時間間隔を取得し、時間パラメータによって、０１に対応する時間間隔を取得し、時間パラメータによって、１０に対応する時間間隔を取得し、時間パラメータによって、１１に対応する時間間隔を取得する。勿論、Ｎが他の値である場合、上述と同じように理解できるので、ここで贅言して説明しない。
【００９１】
その他、データの受信端は、データの送信端と予め設定又は合意した計算方法によって、当該データの数値に対応する時間間隔を算出する。Ｎ＝nであり、数値ｍに対応する時間間隔の計算方法は、数値ｍに対応する時間間隔＝ｅｔｕ＋ｍ*ｐｄｔ（ただし、０≦ｍ≦２n-１、ｅｔｕが第１の時間パラメータであり、ｐｄｔが第２の時間パラメータである。例えば、ｅｔｕ＝１０μs、ｐｄｔ＝３０μs）であり、即ち、数値１１に対応する時間間隔の計算方法は１０μs＋３*３０μs＝１００μsであり、当該選択可能な実施形態によって、数値に対応する時間間隔を計算できる。勿論、本発明は、他の予め合意された計算方法によって時間間隔を決定してもよい。本実施例はこれに対して具体的に限定しない。予め合意された計算方法によって当該数値に対応する時間間隔を算出すると、データ伝送の拡張性を確保できる。即ち、Ｎの値が何かに問わず、送信端及び受信端が各データの数値に対応する時間間隔を算出することができる。そして、受信端は、計算された時間間隔を受信された時間間隔と比較して、当該時間間隔に対応する数値を直接に決定でき、データを決定する効率を向上できる。
【００９２】
本発明の実施例の選択可能な他の１つの実施形態として、データの受信端は、データの送信端と予め合意して記憶したリストによって、当該数値に対応する時間間隔を決定できる。リストを照会する方法で当該数値に対応する時間間隔を決定すると、当該数値に対応する時間間隔を取得する効率を向上できる。
【００９３】
本実施例の選択可能な１つの実施形態において、Ｘ-１＝n*Ｓ、n≧１、且つnが整数である。このような選択可能な実施形態によれば、Ｘ個の信号がn*Ｓ個のデータをちょうど伝送でき、余計な信号によってデコードできない課題が生じられない。
【００９４】
本実施例の選択可能な１つの実施形態において、データ伝送中、時間パラメータを更新することもできる。即ち、ステップ２０３の後、予め設定された規則によって、現在使用中の時間パラメータを新しい時間パラメータに替えて、新しい時間パラメータを現在のデータを伝送する時間パラメータとして決定し、Ｘ個の信号を受信し、Ｘ個の信号における隣接する２つの信号の各開始時刻の間の時間間隔を決定して、Ｘ-１個の時間間隔を取得し、そして、現在のデータを伝送する時間パラメータを使用して、Ｘ-１個の時間間隔における連続的なＳ個の時間間隔ごとの個別の時間間隔に対応する数値を取得して、Ｓ個の時間間隔において伝送される数値を取得し、Ｓ個の時間間隔において伝送される数値が各時間間隔に対応する数値であり、数値がＮビットデータに含まれる２Ｎ個の異なる数値における１つであり、Ｓ＞１の場合、Ｓ個の時間間隔における各時間間隔が同一であるステップ２０４をさらに含む。本実施形態において、新しい時間パラメータの決定は、送信端と受信端との合意によって完成してもよく、また、送信端と受信端が予め記憶した時間パラメータのリストを照会することで完成してもよい。例えば、あるタイプのデータを送信するときに、リストを照会することで、当該タイプのデータが使用すべきの時間パラメータを決定する。送信端の時間パラメータは可変であり、異なるデータ処理能力を有する受信端又は異なるタイプのデータにマッチングできて、データ処理の效率をさらに向上する。具体的には、実施例5から9のいずれかの実施例を参照してください。
【００９５】
本実施例の選択可能な１つの実施形態において、ステップ２０３で最後の１つのデータの受信を完成した後、送信端はA個の終了信号（A≧１、且つ整数である）を送信することもでき、受信端はA個の終了信号を受信することもできる。終了信号はハンドシェイク信号と同じものであってもよく、また、他の特定のフォーマットの信号であってもよい。受信端は当該終了信号によってデータの受信が終了したか否やかを判断する。
【００９６】
本実施例の選択可能な１つの実施形態において、ステップ２０３で最後の１つのデータの受信を完成した後、或いは、最後の１つのデータの受信を完成した後であって、A個の終了信号を受信する前に、受信端は送信端から送信した検証データを受信することもでき、データの受信端は当該検証データによって、受信したデータが完備で正確であるか否やかを判断する。検証データは、ＭAC検証、パリティ検証、サム検証などのチェック方法によって計算された検証データを含む。
【００９７】
上述の本発明の実施例により提供された技術手段によれば、受信端は受信波形の時間間隔によって受信波形のデータの数値を決定でき、二本の線のみを使ってデータの受信を完成でき、電子機器に適用するとき、電子機器の体積を有効的に低減できる。
【００９８】
本発明の選択可能な１つの実施形態として、データの受信端を、他の装置（以下、第１の端末と称する）とデータの送信端の通信に対して中継する１つの中継装置としてもよい。このとき、データの受信端は、本実施例に係る受信方法により、第２のインターフェースを介してＸ個の信号を受信して、取得されたＳ個の時間間隔によりおける個別の時間間隔に対応する数値によって、Ｘ-１個の時間間隔に対応する第２のデータビットストリングを取得し、また、第１のインターフェースによりサポートされるプロトコールによって第２のデータビットストリングに対いてエンコードして、第２のデータを取得し、第１のインターフェースを介して第２のデータを送信してもよい。このとき、第１のインターフェースのインターフェースのタイプによって、サポートするプロトコールによって受信された第２のデータビットストリングに対いてエンコードする。例えば、第１のインターフェースはＵＳＢプロトコール、オーディオプロトコール、シリアルポートプロトコール、ブルートゥースプロトコール、ＷｉＦｉプロトコール、ＮFCプロトコールなどによって、第２のデータビットストリングに対いてエンコードして、現在の送信対象の第２のデータを取得する。当該第１のインターフェースを介してデータ変換を行って、本実施例において生成されたデータビットストリングをユニバーサルインターフェースプロトコールがサポート可能なデータに変換して、異なるインターフェースの間の変換を実現し、本実施例のデータの受信端の適用範囲を広げた。勿論、本発明のデータの受信端が中継装置とする場合、第１のインターフェースを介して第１のデータを受信することも可能であり、第１のインターフェースによりサポートされるプロトコルによって第１のデータに対してデコードして、現在の送信対象の第１のデータビットストリングを取得し、また、第１のインターフェースを介して現在の送信対象のデータビットストリングを取得した後、本発明の実施例１により提供されるデータ送信方法により、第２のインターフェースを介して現在の送信対象のデータビットストリングを送信すればよい。また、データの受信端を中継装置とする場合、データの受信端が２つの通信インターフェースをゆうしてもよい。、例えば、第１のインターフェース及び第２のインターフェースを有し、第１のインターフェースが第１の端末と通信するインターフェースであり、第２のインターフェースがデータの送信端と通信するインターフェースである。第１のインターフェースは例えば、ＵＳＢインターフェース、オーディオインターフェース、シリアルポート、ブルートゥース、ＷｉＦｉ、ＮFCなどの無線インタフェースや有線インターフェースの従来のユニバーサルインターフェースであってもよい。当該第１のインターフェースを介して第１の端末に接続して、第１の端末に第２のデータを送信してもよい。第１の端末は、携帯電話、コンピュータ、PADなどの機器であってもよく、当該第２のデータは携帯電話、コンピュータ、PADが受信するデータであってもよい。同時に、第１のインターフェースのインターフェースのタイプに従って、サポートするプロトコールによって、受信された第１のデータに対してデコードする。例���ば、第１のインターフェースは、ＵＳＢプロトコール、オーディオプロトコール、シリアルポートプロトコール、ブルートゥースプロトコール、ＷｉＦｉプロトコール、又はＮFCプロトコールなどによって、第１のデータに対してデコードして、第１のデータに対応するデータビットストリングを取得し、そして、前記実施例１に記載された送信方法により、第２のインターフェースを介して送信してもよい。第２のインターフェースは電子支払い機器（即ち、データの受信端）に接続されたインターフェースであってもよい。当該第２のインターフェースを介してデータを電子支払い機器に送信してもよく、また、第２のインターフェースを介して電子支払い機器から送信したデータを受信してもよい。当該第２のインターフェースは１つのＴＷＩインターフェースであってもよい。当該電子支払い機器は、ＵＳＢＫｅy、OTP及びスマートカードなどの機能を実現可能である。本発明のデータの受信端を中継装置として、当該第１のインターフェースを介してデータ変換を行って、データの送信端からのデータを端末との通信に適合するデータに変換することが実現できる。
【００９９】
以下、受信を待機するビットストリングが００１１１００１００であり、且つＮ＝２であることを例として、本発明の実施例により提供されるデータ受信方法に対して簡単に説明する。
【０１００】
ステップ２０１において、現在のデータを伝送する時間パラメータを決定する。その他、２つの時間パラメータである第１の時間パラメータｅｔｕ及び第２の時間パラメータｐｄｔを決定する。ここで、ｅｔｕ＝１０μs、ｐｄｔ＝３０μsである。本発明の実施例において、時間パラメータはデータ送信に占められる時間長さである。時間パラメータの個数はＮとの間に対応関係が存在しなく、単に送信端と合意して一致すればよい。本実施例は、データの数値に対応する時間間隔を表現できればよいので、時間パラメータの具体的な個数に対して限定しない。
【０１０１】
ステップ２０２において、６つの信号を受信し、６つの信号における隣接する２つの信号のの開始時刻の間の時間間隔を決定して、ｅｔｕ、ｅｔｕ＋３ｐｄｔ、ｅｔｕ＋２ｐｄｔ、ｅｔｕ＋ｐｄｔ、ｅｔｕの５つの時間間隔を取得する。
【０１０２】
ステップ２０３において、上述の５つの各時間間隔に対応する２ビットデータを取得する。本実施例において、データの送信端と予め合意された計算方法ｍ＝ｅｔｕ＋ｍ*ｐｄｔによって、時間間隔に対応する数値を取得する。例えば、１つの１００μsの時間間隔を取得すれば、ｍ＝３を取得できる。即ち、当該時間間隔に伝送される数値が１１である。また、本ステップの前に、時間パラメータによって、Ｎビットデータに含まれる２Ｎ個の異なる数値と時間間隔の対応関係を取得する。例えば、Ｎ＝２である場合、時間パラメータによって、２ビットデータに含まれる４つの異なる数値と時間間隔の対応関係を取得する。即ち、００＝ｅｔｕ、０１＝ｅｔｕ＋ｐｄｔ、１０＝ｅｔｕ＋２ｐｄｔ、１１＝ｅｔｕ＋３ｐｄｔを取得する。例えば、１００μsの時間間隔を受信すると、当該時間間隔に伝送される数値が１１であることを直接に決定できる。最終に、ビットストリング００１１１００１００の受信を完成する。
【０１０３】
本実施例において、送信端の送信対策に従って、受信端は１つの時間間隔で１つのグループのデータを示すことができる。例えば、一回のみのｅｔｕの時間間隔で００を示すことであり、データ伝送の速度が速くなる。また、複数の同じ時間間隔で１つのグループのデータを示すことができる。例えば、三回のｅｔｕの時間間隔で００を示すことであり、データ伝送の精度が高く、時間間隔の紛失による判断ミスを防止できる。
【０１０４】
以下、受信を待機するビットストリングが００１１１００１００であり、且つＮ＝１であることを例として、本発明のデータ受信方法に対して簡単に説明する。
【０１０５】
ステップ２０１において、現在のデータを伝送する時間パラメータを決定する。その他、２つの時間パラメータである第１の時間パラメータｅｔｕ及び第２の時間パラメータｐｄｔを決定する。ここで、ｅｔｕ＝１０μs、ｐｄｔ＝３０μsである。時間パラメータの個数はＮと対応関係が存在しない。本実施例は、データの数値に対応する時間間隔を表現できればよいので、時間パラメータの具体的な個数に対して限定しない。
【０１０６】
ステップ２０２において、１１個の信号を受信し、１１個の信号における隣接する２つの信号の各開始時刻の間の時間間隔を決定して、ｅｔｕ、ｅｔｕ、ｐｄｔ、ｐｄｔ、ｐｄｔ、ｅｔｕ、ｅｔｕ、ｐｄｔ、ｅｔｕ、ｅｔｕの１０個の時間間隔を取得する。
【０１０７】
ステップ２０３において、上述の１０個の各時間間隔に対応する１ビットデータを取得し、ｅｔｕの時間間隔に伝送される数値０を取得し、ｅｔｕの時間間隔に伝送される数値０を取得し、ｐｄｔの時間間隔に伝送される数値１を取得し、ｐｄｔの時間間隔に伝送される数値１を取得し、……、ｅｔｕの時間間隔に伝送される数値０を取得し、最終に、ビットストリング００１１１００１００の受信を完成する。
【０１０８】
本実施例において、送信端の送信対策に従って、受信端は１つの時間間隔で１ビットのデータを示すことができる。例えば、一回のみのｅｔｕの時間間隔で００を示すことであり、データ伝送の速度が速くなる。また、複数の同じ時間間隔で１ビットのデータを示すことができる。例えば、三回のｅｔｕの時間間隔で００を示すことであり、データ伝送の精度が高く、時間間隔の紛失による判断ミスを防止できる。
【０１０９】
以下、受信を待機するビットストリングが００１１１００１００であり、且つＮ＝３であることを例として、本発明の実施例により提供されるデータ受信方法に対して簡単に説明する。
【０１１０】
ステップ２０１において、現在伝送の時間パラメータを決定する。その他、２つの時間パラメータである第１の時間パラメータｅｔｕ及び第２の時間パラメータｐｄｔを決定する。ここで、ｅｔｕ＝１０μs、ｐｄｔ＝３０μsである。本発明の実施例において、時間パラメータはデータ送信に占められる時間長さである。時間パラメータの個数はＮとの間に対応関係が存在しなく、単に送信端と合意して一致すればよい。本実施例は、データの数値に対応する時間間隔を表現できればよいので、時間パラメータの具体的な個数に対して限定しない。
【０１１１】
ステップ２０２において、５つの信号を受信し、５つの信号における隣接する２つの信号の各開始時刻の間の時間間隔を決定して、ｅｔｕ、ｅｔｕ＋３ｐｄｔ、ｅｔｕ＋４ｐｄｔ、ｅｔｕ＋４ｐｄｔの４つの時間間隔を取得する。
【０１１２】
ステップ２０３において、上述の４つの各時間間隔に対応する２ビットデータを取得する。本実施例において、データの送信端と予め合意された計算方法ｍ＝ｅｔｕ＋ｍ*ｐｄによって、時間間隔に対応する数値を取得する。例えば、１つの１００μsの時間間隔を取得すれば、ｍ＝３を取得できる。即ち、当該グループのデータが１０１である。また、本ステップの前に、時間パラメータによって、Ｎビットデータに含まれる２Ｎ個の異なる数値と時間間隔の対応関係を取得する。例えば、Ｎ＝３である場合、時間パラメータによって、３ビットデータに含まれる８つの異なる数値と時間間隔の対応関係を取得する。即ち、０００＝ｅｔｕ、００１＝ｅｔｕ＋ｐｄｔ、０１０＝ｅｔｕ＋２ｐｄｔ、０１１＝ｅｔｕ＋３ｐｄｔ、１００＝ ｅｔｕ＋４ｐｄｔ、１０１＝ ｅｔｕ＋５ｐｄｔ、１１０＝ ｅｔｕ＋６ｐｄｔ、１１１＝ｅｔｕ＋７ｐｄｔを取得する。例えば、１００μsの時間間隔を受信すると、当該データの数値が１０１であることを直接に決定できる。最終に、データ送信端と予め合意されたデータビット数によって、０を補足したビットを削除して、ビットストリング００１１１００１００の受信を完成する。
【０１１３】
本実施例において、送信端の送信対策に従って、受信端は１つの時間間隔で１つのグループのデータを示すことができる。例えば、一回のみのｅｔｕの時間間隔で０００を示すことであり、データ伝送の速度が速くなる。また、複数の同じ時間間隔で１つのグループのデータを示すことができる。例えば、三回のｅｔｕの時間間隔で０００を示すことであり、データ伝送の精度が高く、時間間隔の紛失による判断ミスを防止できる。
【０１１４】
Ｎ≧４である場合、Ｎ＝２又はＮ＝３である場合のデータ受信方法を参照してデータを受信でき、ここで贅言して説明しない。
【０１１５】
実施例３
本実施例は、データ送信装置を提供する。当該装置は、実施例１に係るデータ送信方法に対応するので、贅言して説明しないが、ここで簡単に説明する。説明が明確ではない部分は、実施例１を参照すればよい。
【０１１６】
本実施例において、データ送信装置は、携帯電話、コンピュータ、ＰＯＳレジなどの機器であってもよい。
【０１１７】
図７は、本実施例の選択可能な１つのデータ送信装置の構成を示す模式図である。当該装置は、主に時間パラメータ決定ユニット３０１、時間間隔取得ユニット３０２、データビットストリング取得ユニット３０３、及び送信ユニット３０４を備える。
【０１１８】
本実施例において、時間パラメータ決定ユニット３０１は、現在のデータを伝送する時間パラメータを決定するためのものである。時間間隔取得ユニット３０２は、時間パラメータによって、Ｎビットデータに含まれる２Ｎ個の異なる数値と時間間隔の対応関係を取得するためのものであり、ここで、異なる数値に対応する時間間隔が異なり、 Ｎ≧１である。データビットストリング取得ユニット３０３は、現在の送信対象のデータビットストリングを取得して、データビットストリングに対して、各グループのデータがＮビットになるようにグループ分けを行うためのものである。送信ユニット３０４は、取得された対応関係に基づいて、各グループのデータの数値に対応する時間間隔で当該グループのデータを示すように、当該グループのデータを送信するためのものである。
【０１１９】
本発明の選択可能な１つの実施形態として、送信ユニット３０４が各グループのデータに対して当該グループのデータを送信することは、送信ユニット３０４がＭ個の信号を生成して送信することを含む。ここで、各信号の開始時刻と、隣接する前の１つの信号の開始時刻の時間間隔が当該グループのデータの数値に対応する時間間隔であり、Ｍ≧１、且つＭが自然数である。
【０１２０】
本発明の選択可能な１つの実施形態として、送信ユニット３０４によるＭ個の信号の生成は、送信ユニット３０４が時間間隔によってＭ回のローレベルパルスを生成することを含む。
【０１２１】
本発明の選択可能な１つの実施形態として、データ送信装置は、Ｋ個のハンドシェイク信号を生成して送信するためのハンドシェイク信号送信ユニット３０５をさらに備え、ここで、 Ｋ≧２、且つＫが整数である。
【０１２２】
本発明の選択可能な１つの実施形態として、Ｋ個のハンドシェイク信号の間が予め設定された関係を満足する。
【０１２３】
本発明の選択可能な１つの実施形態として、Ｋ個のハンドシェイク信号が時間パラメータを含む。
【０１２４】
本発明の選択可能な１つの実施形態として、Ｋ個のハンドシェイク信号の間が予め設定された関係を満足することは、第１の時間間隔と第２の時間間隔の間が予め設定された関係を満足することを含み、第１の時間間隔が第ｉ個のハンドシェイク信号の開始時刻と第ｉ-１個のハンドシェイク信号の開始時刻との間の時間間隔であり、第２の時間間隔が第ｉ個のハンドシェイク信号の開始時刻と第ｉ＋１個のハンドシェイク信号の開始時刻との間の時間間隔であり、ｉ＝２,４,……,２j、j＝(Ｋ-１)/２、Ｋ≧３、且つＫが奇数である。
【０１２５】
本発明の選択可能な１つの実施形態として、データ送信装置は、時間パラメータによって第１の時間間隔グループ及び/又は第２の時間間隔グループを決定するためのハンドシェイク信号時間間隔決定ユニット３０６をさらに備え、前記第１の時間間隔グループは少なくとも１つの前記第１の時間間隔を含み、前記第２の時間間隔グループは少なくとも１つの前記第２の時間間隔を含む。
【０１２６】
本発明の選択可能な１つの実施形態として、ハンドシェイク信号送信ユニット３０５によるＫ個のハンドシェイク信号の生成は、ハンドシェイク信号送信ユニット３０５が第１の時間間隔及び第２の時間間隔によってＫ回のローレベルパルスを生成することを含む。
【０１２７】
本発明の選択可能な１つの実施形態として、データ送信装置は、予め設定された規則によって、現在使用中の時間パラメータを新しい時間パラメータに替えて、新しい時間パラメータを現在のデータを伝送する時間パラメータとして決定し、時間間隔取得ユニット３０２をトリガして新しい時間パラメータによって対応関係を更新するための時間パラメータ更新ユニットと３０７と、現在のデータを伝送する時間パラメータによって対応関係を更新するための時間間隔取得ユニット３０２と、更新された対応関係に基づいてデータ伝送を行うための送信ユニット３０４と、をさらに含む。
本実施例では、時間パラメータ確定ユニット301と、現在のデータ転送の時間パラメータを決定するために使用されています。
本実施例のオプション実施方式では、現在のデータ伝送の時間のパラメータをデータ送信装置内にデザインした、でもデータ送信装置から取得後の他の装置を確定し、またデータ送信装置を預設の方式で計算され得た後に確定した、本申請にとどまらない現在のデータ伝送時間パラメータの確定方式、最終確定できさえすれば、当面データ伝送時間パラメータの方式は全て属するべき本申請の保護範囲。
時間間隔をユニット302用に、時間をNビットデータパラメータに含まれる2N数値と違う時間間隔の対応関係、中に、異なる数値対応の時間間隔と違って、Nですいち。
本実施例の一つとしてのオプションの実施方法、時間間隔に時間を得るユニット302パラメータNビットデータを含めた2N数値と違う時間間隔の対応関係、中に、異なる数値対応の時間間隔と違って、Nですいちがいい：
2N取得の長さをNの中でそれぞれのビットビット串串と時間間隔の対応関係で、その中、2Nのビット串別個、しかも違うビット串対応の時間間隔と違って、Nですいち。例えば、N＝いち時に、長さをいちの中でそれぞれのビットビット串串それぞれ0といち、ときに、N＝に時、よんしよの長さにビットの中でそれぞれのビット串串それぞれ：00、01、じゅうとじゅういちとき、N＝さんや以上の場合、参照N＝に、ここでもう贅言。
本実施例のオプション実施方式では、Nビットデータを含めた2N異なる数値、理解することができる：例えば、N＝いち時、いちビットデータを含め、その21の異なる数値は、それぞれ0、いち; N＝に、時にビットデータを含め、その22種類数値は、それぞれ00 . 01、じゅう、じゅういち。Nビットデータに時間を含むパラメータの2N異なる数値と時間間隔の対応関係する：例えば、私N＝いち時に時間を0対応の時間間隔パラメータによって、時間を対応の時間間隔パラメータいち；N＝にには、その時間を00対応のパラメータ時間間隔に時間を01対応の時間間隔パラメータによって、時間を対応の時間間隔じゅうパラメータによって、時間をじゅういちパラメータ対応の時間間隔。もちろん、Nが他の値となる場合は、上記の理解方式と同じで、ここではもはや説明しない。
本実施例のオプション実施方式では、データを送信装置の時間間隔を採用ユニット302とデータ受信装置を協議しておくべき数値計算の計算方法に対応する時間間隔のときのようなN＝n時、送信データにm対応の時間間隔の計算方法を計画、数値m対応の時間間隔＝etu+m * pdt（中には、0 m≦≦2n-1、etuを一時間パラメータ、pdt第二時間パラメータ、例えばetu＝じゅうμs、pdt＝さんじゅうμs）、つまり数値じゅういち対応の時間間隔で計算方法をじゅうμs+3 *さんじゅうμs＝ひゃくμsは、同オプション実施方式で計算する数値対応の時間間隔。もちろん、本申請を採用することができる他あらかじめ協議の計算方法確定時間間隔で、本申請しない制限について。事前協議を通じての計算方法を算出する同数値対応の時間間隔で、保証データの伝送の拡張性、すなわちどんなにNのことはいくらで、データ送信装置やデータ受信装置も異なる数値計算と時間間隔の対応関係。
本実施例として申請の別のオプションの実施の形態、データ送信装置の時間間隔をユニット302も採用とデータ受信装置をあらかじめ協議ストレージのリストを確定することも同数値対応の時間間隔を採用し、検索リストの方にはこの数値の時間間隔で、この値を得て対応を高めることができますの時間間隔の効率。
本実施例として申請の別のオプションの実施の形態、データ送信装置の時間間隔をユニット302採用とデータ受信装置を協議しておくべき数値計算の計算方法に対応する時間間隔の後、データ送信装置の時間間隔をあらかじめメモリーユニット302検索のリストを判断するこの計算で得たデータに対応の時間間隔に属するかどうか受信データ装置の受信範囲。数値計算を採用対応の時間間隔後さらに検索リストの方式を数値対応の時間間隔で、保証データ受信装置も正常に受信する前提の下でデータ伝送の拡張性を高める。
データビット串をユニット303を得るために、現在、待送信データビット串、データビット串をグループ化する、一データをNビット。
本申請のオプション実施方式では、データビット串を生成ユニット303自ら当面待送信データビット串も他の装置やデータ送信装置の他のユニットを当面のデータ送信受信しビット串、本申請は当面のデータ送信にとらわれていビット串の取得方式限り、最終的に現在のデータを得ることができて待送信ビット串の方式は全て属するべき本申請の保護範囲。
本申請のオプションとして実施方式、データ送信装置としての切換装置は、そのはその他装置（以下第一ターミナル）とデータの転送通信を受信装置。データ送信装置を切り替え装置の情況の下で、データを送信装置が以下の様に送信データビットを当面の串：第一インターフェース受信第一データ;第一インターフェース支持の協議第一データを獲得してデコード、送信の第一データビット串。データ送信装置切換装置としての情況の下で、データ送信装置が二つある通信ポート、例えば最初のインターフェースと第二のインターフェイス、第一のインターフェイスを第一と端末を通信のインターフェース、第二のインターフェイスをとデータの受信側のインターフェイスを通信。第一のインターフェイスは既存の通用するインターフェイスを含め、無線、有線インタフェース、例えばUSBインターフェイス、オーディオインターフェース、シリアル、Bluetooth、wifi、NFCなどのインタフェース、同第一インターフェースを接続可能一端末は、最初から送信受信端末で初めてデータ。第一ターミナルは携帯電話、コンピュータ、PADなどの設備、同第一データは携帯電話、コンピュータ、PAD端必要のデータ伝送。また、第一インターフェースによってポートタイプの違うし、自身の支持の協議に受信第一データで復号化し、例えば、第一インターフェースにUSB協議、オーディオ協議、シリアル協議は、Bluetoothプロトコル、wifi協議、またはNFC協議等の第一のデータで復号化し、1位を獲得してデータの対応のデータビット串、このデータビット串を待発送の第一データビット串（現在待送信データビット串）。第二のインターフェイスが接続して電子決済設備（すなわちデータ受信装置）のインターフェースは、同第二インターフェースデータを送信から電子決済設備。この第二インターフェースは2線インターフェースです、この電子決済設備を実現することができUSBkey機能、OTP機能やスマートカード機能など。本申請のデータを送信して動かす切り替え装置は、同第一インターフェースデータ転換を実現することができ、端末を送ったデータに変換装置に受信データ通信のデータによって、実現のインターフェイスの切り替えを拡大した本申請のデータ送信装置の使用範囲。データ送信装置に切り替え装置として、第一のインターフェイスを当面待送信データビット串を第二のインターフェイスを待送信データビット串を送信することができます。
本実施例では、任意に、データビット串をユニット303任意でデータを取る時執行ビット串とグループの操作すれば、発送ユニット304データ送信前に行うことができ。また、データ送信装置が毎回送信データは、時間にパラメータ確定ユニット301、時間間隔をユニット302入手を行うのNビットデータを含めた2N数値と違う時間間隔の対応関係の操作で、あるいは、データ送信装置を先には時間パラメータ確定ユニット301、時間間隔をユニット302操作を行って、毎回送信データも続き、使用は時間パラメータ確定ユニット301、時間間隔を操作する取得のユニット302 Nビットデータを含めた2N数値と違う時間間隔の対応関係に対応する、送ったデータをコード;又は、設置の有効期間は、データ送信装置同の有効期間内にデータを送るため、皆使用時間パラメータ確定ユニット301、時間間隔を操作する取得のユニット302 N比特にデータを含めた2N数値と違う時間間隔の対応関係に対応するデータを送信のコード。又は、イベントトリガーの方式で、1次の事件からトリガ、例えば、ユーザーが入力し現在のデータ伝送時間パラメータ計算に一度Nビットデータを含めた2N数値と違う時間間隔の対応関係。具体的に本実施例は限定しない。
本申請のオプションとして実施方式、データビット串をユニット303データビット串をグループ化する、一データをNビットを採用して多種の方式をグループ化することを採用して、一いちを含むビットの方式をグループ化する、を採用することができる各組によりを含む特の方式をグループ化する。データビットのビットビットを串を含む単数の情況の下で、できないために完全にビットを組み合わせ、データビット串を補って0をグループに分けて、この時、データ送信装置やデータ受信装置をあらかじめ設定し又は協議補0の方式、ときに、データからの高位から送信データビット串時、ビット串の最下位補0、ときに、データからの低位から送信データビットビット串串時、高位の補0。もちろん、一さんを含むビット以上の場合は、ビットの参照各組に方式を組み合わせ、ここでもう贅言。
発送ユニット304用に、取得の対応関係によって、各組データの数値対応の時間間隔で表示できるようにした同グループのデータグループデータ。
本実施例の中で、一の数値データに対応できる時間間隔にも対応でき、多くの同じ時間間隔。採用各組データの数値対応の時間間隔で、正確な判断を同時間間隔対応の数値を防ぐために、データの伝送する過程の中にの紛失時間間隔によるミス。
本実施例のオプション実施方式では、データを送信し、一グループデータベースの時は、発送ユニット304に送信をMの信号を生むことができて、中、すべての信号の始まりと隣接するのにひとつの信号の開始時の時間間隔がこのグループの数の数値によると対応の時間間隔、MですいちかつMを自然数。信号の方式で発生した時間間隔は、検出や安定性があります。
オプションに送信され、ユニット304に時間間隔発生M度ローレベルパルス信号発生Mの方式は、発生に時間間隔M度高いレベルパルス方式M信号発生。同ローレベルパルス/高レベルのパルスを採用することができる方形波、正絃波、三角波などに分けて高低レベルパルスの波形表示、ここは限定しません。優先採用に低レベルパルス間隔、データ送信装置とデータ受信装置通信の時、データ送信装置を使用できるように高いレベルを受信データ装置を供給、低レベルの方式を通じてパルス情報伝送。この方法の設備を採用し、情報を交互に一本の線を使うと同時に完成給電と情報発信、小さくなった設備の体積や製造コスト。
本実施例のオプション実施方式では、データを送信装置も含む握手送信ユニット305、中に、握手信号発生ユニット305用に、送信をKの握手信号、KですにかつKの整数。しかないから隣接した2つの信号の間にやっと発生時間間隔で、そのため、は少なくとも発生送信を2つの握手を体現する信号は、少なくとも1つの時間間隔。データ送信装置握手信号送信受信データによると、装置も握手信号判断データ伝送の位置からアップデータ伝送効率。
オプション地では、K個の握手信号の間で設定関係を満たすことができます。データ送信装置の握手送信ユニット305発送満足デザイン関係の握手、信号を受信データ装置も同デザイン関係の正確な判断を受信データが握手信号。
オプションに握手で、信号が含めて時間のパラメータは、受信データ装置も同K握手し得時間信号パラメータ、それによって受信データ受信装置を送信側の信号を送信する時、時間の間隔を通じて、時間をパラメータと時間間隔を送ったデータから端。この方式では、受信データ装置によってデータを送り装置のパラメータを使用時間はデータの数値対応の時間間隔で、解決データ受信装置の理論と実際の時間パラメータ時間パラメータの不一緻の問題。
任意に、上記のKの握手信号の間を満たしデザイン関係は第一時間間隔と第二時間間隔デザイン関係の間を満たして、その中、第1時間の間隔をｉ番目の握手信号の始まりと第i-1の握手信号の開始時刻の間の時間を隔てて第二時間の間隔をｉ番目の握手信号の始まりと第i+1の握手信号の開始時刻の間の時間間隔で、i＝に、よんしよ、……、2j、j＝（K - 1）/に、Kさんは奇数でKです。このオプション実施方式では、１時間間隔と第二時間間隔の間に満足のデザイン関係は任意のデータ送信装置とデータ受信装置をあらかじめ約束の関係、例えば第二時間間隔は第一時間間隔の二倍。データ送信装置を送信して満足デザイン関係の握手、信号を受信装置でデータを受信データを満たすかどうかを判断するデザイン関係受信信号が握手信号。例えば、私がご送信をの握手信号含まよんしよ時間間隔t0、t 1、t 2とワインは、その中に、第時間間隔を含む可能t0とt 2、第二時間間隔を含む可能t 1とワインはその第一時間間隔と第二時間間隔で満足のデザイン関係を：t 1＝2t0ワイン＝2t2。
オプションは、まだ、上記Kの握手信号の間の時間間隔でデータ伝送時間パラメータは、受信装置が同Kの握手信号を送信装置を使ってデータの時間パラメータ、さらに確認データ受信装置を使う時間パラメータ。具体的には、データの送信装置も握手を含む信号間隔確定ユニット、同ユニットには時間によってパラメータ確定第一時間間隔組と/あるいは第二時間間隔組、第一時間間隔を含む少なくともグループ最初の時間間隔で、第二時間間隔組を含む少なくとも1つの第二時間間隔。
任意に、握手送信ユニット305を以下の方式がKの握手信号：握手送信ユニット305に第一時間間隔と第二時間間隔がK回低レベルパルス方式がKの握手信号。もに第一時間間隔と第二時間間隔がK回高レベルパルス方式の信号発生K握手、低レベルパルス/高レベルのパルスを採用することができる方形波、正絃波、三角波などに分けて高低レベルパルスの波形表示、その限制しない。優先採用に時間間隔低レベルパルスの形式が握手信号、データ送信装置とデータ受信装置通信の時、データ送信装置を使用できるように高いレベルを受信データ装置を供給、低レベルの方式を通じてパルス情報伝送。この方法の設備を採用し、情報を交互に一本の線を使うと同時に完成給電と情報発信、小さくなった設備の体積や製造コスト。
以上、握手信号を送信する方法について具体的に実施例14から17のいずれかの実施例を参照してください。
本実施例のオプション実施方式では、現在のデータ伝送速度を満たすためのデータ送信装置は含む：時間パラメータユニット306更新され、デフォルトのルールには、現在の使用時間パラメータに代える新しい時間パラメータは、新しいの時の間として当面パラメータデータ伝送時間パラメータ；トリガ時間間隔を新たな時間に従ってユニット302パラメータ更新対応関係；時間間隔をユニット302、使用用に当面データ伝送時間パラメータ更新対応関係;送信ユニット304、更新後の対応関係に利用してデータ伝送。本実施案では、新しい時間パラメータの確定することを通じてデータ送信装置やデータ受信装置完成の協議も、データ送信装置やデータ検索あらかじめメモリーの受信装置時間パラメーターリストを完瞭するなど、発送にあるタイプでデータを表確定タイプのデータを使用するべきである時間のパラメータ。データ送信装置の時間パラメータは変化が一緻することができますによって、データ処理能力のデータを受信装置、または一緻の異なるタイプのデータを、データ処理の効率を向上させ。具体的には、実施例5から9のいずれかの実施例を参照してください。
本実施例のオプション実施方式では、データを送信装置も含む検査データ送信ユニット307、発送ユニット304完成最後のグループのデータ送信後、検査データ送信ユニット307発送検査データは、同検査データを、データ受信装置も完全に正しいかどうか判断受信データ。検査データを含むがこれに限らない、MAC検査、パリティ、あるいは取りやチェックなどのパリティ方式で計算した検査データ。
本実施例のオプション実施方式では、データを送信装置は含む：終わり送信ユニット308、同ユニットに発送ユニット304完成最後のグループのデータ送信後、または検査データ送信ユニット307完成検査データを送信後、送信A（Aですいちしかも整数）が終わり信号、終瞭信号と同じ握手信号も違う。この終了信号により、データ受信装置は、データの受信が終了するかどうかを判断することができます。
【０１２８】
上述した本発明の実施例により提供された技術手段によれば、データ送信装置は送信波形の時間間隔で送信波形のデータを示すことができ、二本の線のみを使ってデータの送信を完成でき、電子機器に適用するとき、電子機器の体積を有効的に低減できる。
【０１２９】
実施例４
本実施例は、データ受信装置を提供する。当該装置は、実施例２に係るデータ受信方法に対応するので、贅言して説明しないが、ここで要約的に説明する。説明が明確ではない部分は、実施例２を参照すればよい。
【０１３０】
本実施例において、データ受信装置は、スマートカード、スマートキーデバイス、ダイナミックパスワードなどの機器の機能を有す電子支払い機器であってもよく、実施例３におけるデータ送信装置と組み合わせて使われる。
【０１３１】
図８は、本実施例の選択可能な１つのデータ受信装置の構成を示す模式図である。当該装置は、時間パラメータ決定ユニット４０１、受信ユニット４０３、及びデータ取得ユニット４０４を備える。
【０１３２】
本実施例において、時間パラメータ決定ユニット４０１は、現在のデータを伝送する時間パラメータを決定するためのものである。受信ユニット４０３は、Ｘ個の信号を受信し、Ｘ個の信号における隣接する２つの信号の各開始時刻の間の時間間隔を決定して、Ｘ-１個の時間間隔を取得するためものであり、ただし、Ｘが正整数であり、且つＸ＞１である。データ取得ユニット４０４は、決定された時間パラメータに基づいて、Ｘ-１個の時間間隔における連続的なＳ個の時間間隔ごとの個別の時間間隔に対応する数値を取得して、Ｓ個の時間間隔において伝送される数値を取得するためのものであり、Ｓ個の時間間隔において伝送される数値が前記個別の時間間隔に対応する数値であり、数値がＮビットデータに含まれる２Ｎ個の異なる数値における１つであり、ここで、Ｓ＞１の場合、Ｓ個の時間間隔における各時間間隔が同一である。
【０１３３】
本発明の選択可能な１つの実施形態において、データ受信装置は、データ取得ユニットがＸ-１個の時間間隔における第１個の連続的なＳ個の時間間隔において伝送される数値を取得する前に、時間パラメータによってＮビットデータに含まれる２Ｎ個の異なる数値と時間間隔の対応関係を取得するための時間間隔取得ユニット４０２をさらに含む。ここで、異なる数値に対応する時間間隔が異なる。
【０１３４】
本発明の選択可能な１つの実施形態において、Ｘ-１＝n*Ｓ、n≧１、且つnが整数である。
【０１３５】
本発明の選択可能な１つの実施形態において、受信ユニット４０３がＸ個の信号を受信することは、受信ユニット４０３がＸ回のローレベルパルスを検出したことを含む。
【０１３６】
本発明の選択可能な１つの実施形態において、データ受信装置は、Ｋ個の信号を受信し、Ｋ個の信号の間が予め設定された関係を満足するか否かを検出するためのハンドシェイク信号受信ユニット４０５をさらに備える。
【０１３７】
本発明の選択可能な１つの実施形態において、時間パラメータ決定ユニット４０１が現在のデータを伝送する時間パラメータを決定することは、時間パラメータ決定ユニット４０１がＫ個の信号によって時間パラメータを決定することを含む。
【０１３８】
本発明の選択可能な１つの実施形態において、ハンドシェイク信号受信ユニット４０５がＫ個の信号を受信することは、ハンドシェイク信号受信ユニット４０５がＫ個の信号の間の時間間隔を検出して、第１の時間間隔と第２の時間間隔の間が予め設定された関係を満足するか否かを判断し、第１の時間間隔が第ｉ個の信号の開始時刻と第ｉ−１個の信号の開始時刻との間の時間間隔であり、第２の時間間隔が第ｉ個の信号の開始時刻と第ｉ＋１個の信号の開始時刻との間の時間間隔であり、ｉ＝２,４,……,２j、j＝(Ｋ-１)/２、Ｋ≧３、且つＫが奇数であり、第１の時間間隔と第２の時間間隔の間が予め設定された関係を満足する場合、受信ユニットにＸ個の信号を受信するステップを実行するように通知することを含む。
【０１３９】
本発明の選択可能な１つの実施形態において、時間パラメータ決定ユニット４０１が現在のデータを伝送する時間パラメータを決定することは、時間パラメータ決定ユニットが第１の時間間隔グループ及び/又は第２の時間間隔グループを決定し、第１の時間間隔グループが少なくとも１つの第１の時間間隔を含み、第２の時間間隔グループが少なくとも１つの第２の時間間隔を含み、第１の時間間隔グループ及び/又は第２の時間間隔グループによって時間パラメータを決定することを含む。
【０１４０】
本発明の選択可能な１つの実施形態において、ハンドシェイク信号受信ユニット４０５がＫ個の信号を受信することは、ハンドシェイク信号受信ユニットがＫ回のローレベルパルスを検出することを含む。
【０１４１】
本発明の選択可能な１つの実施形態において、予め設定された規則によって、現在使用中の時間パラメータを新しい時間パラメータに替えて、新しい時間パラメータを現在のデータを伝送する時間パラメータとして決定するするための時間パラメータ更新ユニット４０６と、Ｘ個の信号を受信し、Ｘ個の信号における隣接する２つの信号の各開始時刻の間の時間間隔を決定して、Ｘ-１個の時間間隔を取得するための受信ユニットであって、ただし、Ｘが正整数であり、且つＸ＞１である受信ユニットと、時間パラメータ更新ユニットが取得した現在のデータを伝送する時間パラメータによって、Ｘ-１個の時間間隔における連続的なＳ個の時間間隔ごとの個別の時間間隔に対応する数値を取得して、Ｓ個の時間間隔において伝送される数値を取得するデータ取得ユニットであって、Ｓ個の時間間隔において伝送される数値が各時間間隔に対応する数値であり、数値がＮビットデータに含まれる２Ｎ個の異なる数値における１つであり、ここで、Ｓ＞１の場合、Ｓ個の時間間隔における各時間間隔が同一であるデータ取得ユニットと、をさらに備える。
【０１４２】
本発明の選択可能な１つの実施形態において、データ受信装置は、Y＋１個の信号を受信して、Y＋１個の信号におけるノイズを除去して、Ｘ個の信号を取得して受信ユニットに送信するためのフィルターリングユニット４０７をさらに備え、ここで、Y＋１≧Ｘである。
本実施例の中に、時間のパラメータユニット401確定され、現在のデータ伝送時間のパラメータを確定する。
本実施例のオプション実施方式では、現在のデータ伝送の時間のパラメータを時間パラメータユニット401内預設を確定することも時間パラメータユニット401データ送信装置から確定を得る確定の後も、時間のパラメータを確定単元から取得後401その他装置の確定、また時間パラメータユニット401預設の方式を通じて確定を計算して得た後に確定した。例えば、データ受信装置が受信データの前に、まず信号を受信握手、握手と信号確定当面データ伝送時間パラメータ。本申請にとどまらない現在のデータ伝送時間パラメータの確定方式、最終確定できさえすれば、当面データ伝送時間パラメータの方式は全て属するべき本申請の保護範囲。
受信ユニットにX 403、受信信号確定X信号に隣接する2つの信号のスタート時の間の時間間隔で、得X-1時間間隔で、その中、Xは正整数で、X＞いち。
本実施例のオプション実施方式では、受信ユニットX 403受信信号検出はX回低レベルパルスは、検出X回高レベルパルス。同ローレベルパルス/高レベルのパルスを採用することができる方形波、正絃波、三角波などに分けて高低レベルパルスの波形表示、ここは限定しません。好ましいを検出した低レベルパルス、すなわちデータ送信装置を受信装置でデータを提供し、高レベルの情況の下で、低レベルパルス。この方式では、受信装置とデータ送信装置データ通信の時、データ送信装置を使用することができるデータ受信装置を提供の高レベルの電源として、データを受信装置の消費電力を提供する電気部品。例えば、受信データ送信装置を利用してデータを提供する装置の高レベルの充電やデータ受信装置内部設置電源、直接使用データ送信装置の高レベルの電源として。この方式を採用したデータを受信装置では、情報を交互に一本の線を使うと同時に完成給電と情報を受信し、小さくなった設備の体積や製造コスト。
本実施例のオプション実施方式では、受信データ装置も含めて握手受信ユニット405、同ユニット受信用K信号検出Kの信号との間には満足デザイン関係、KですにかつKの整数。しかないから隣接した2つの信号の間にやっと発生時間間隔で、そのため、は少なくとも2つの信号を受信握手を得て、少なくとも1つの時間間隔。受信側によって判断K信号との間には満足デザイン関係の判断で、Kの信号が握手信号。受信側受信握手信号により、同握手信号判断データ伝送の位置からアップデータ伝送効率。
さらに、握手受信ユニット405検出できるKの信号の間の時間間隔で、判断第一時間間隔と第二時間間隔を満たしているかデザイン関係の間、その中、第1時間の間隔をｉ番目の信号の始まりと第i-1信号の開始時に刻の間の時間間隔で、第二時間間隔をｉ番目の信号の始まりと第i+1信号の開始時の間の時間間隔で、i＝に、よんしよ、……、2j、j＝（K - 1）/にKですさんでKは奇数なら一時間間隔と第二時間間隔満足デザイン関係、すなわち確定受信Kの信号を握手信号、Kの合図の信号を受信データ伝送信号は、トリガユニット403受信X信号そのうち、Kのことはあらかじめ予定の。さらに、もし一時間間隔と第二時間間隔を満たさないデザイン関係、引き続き検出後続のKの信号の間の時間間隔で、判断後続のK信号の第一時間間隔と第二時間間隔の間を満たすかどうかを検出するデザイン関係までデザイン関係のKの信号は、検査では握手信号までの情況の下で、受信データ検出装置が握手信号検出まで握手信号から受信データを避けることができる、それによってデータ送信装置の誤作動状況でデータを受信装置に合図を送る姿、また判断データの始まり。さらに、1時間間隔と第二時間間隔の間に満足のデザイン関係はデータ送信装置とデータ受信装置をあらかじめ約束の関係、例えば第二時間間隔は第一時間間隔の二倍。データ受信装置を受信データを満たすかどうかを判断するデザイン関係受信信号が握手信号。例えば、受信信号を含むごとき、よんしよ時間間隔t0、t 1、t 2とワインは、その中に、第時間間隔を含む可能t0とt 2、第二時間間隔を含む可能t 1とワインはその第一時間間隔と第二時間間隔で満足のデザイン関係を：t 1＝2t0ワイン＝2t2。
さらに、握手受信ユニット405受信のKの信号も携帯時間パラメータ。したがって、このオプション実施方式では、受信データ装置の時間パラメータユニット401確定、K信号パラメータによって確定時間。オプションに時間が確定し、パラメータユニット401先が決まって一時間間隔組目と２時間間隔組、中に、第一時間間隔を含む少なくともグループ最初の時間間隔で、第二時間間隔組を含む少なくとも1つの第二時間間隔で、それに基づいて一時間間隔組目と２時間間隔組確定時間パラメータ。例えば、もしデータ送信装置のご送信の握手信号、第一時間間隔t 1＝etu、第二時間間隔t 2＝etu+pdtは、データ受信装置を第一時間間隔と第二時間間隔時間パラメータを確定することができetuとpdtのこと。K信号パラメータを通じて確定時間、克服データ受信装置の理論と実際の時間パラメータ時間パラメータが一緻しない場合には、データの伝送の正確性を保障する。
とデータの伝送信号に似ていて、データ受信装置の握手受信ユニット405での使用を検出K回低レベルパルスの情況の下で、受信確認K信号。あるいは、K回高レベルパルスを検出することもでき、Kの信号が受信されたことを確認することもできます。この低レベル/高レベルのパルスを採用することができて、正絃波などの方法で実現する方形波。優先採用検出ローレベルパルス、すなわちデータ送信装置からデータを受信装置を提供し、高レベル、必要発送K信号発生時、K回低レベルパルス、のように、データ送信装置とデータ受信装置通信の時、受信データ使用データ送信装置を提供する装置の高レベルの電源として、あるいはデータ受信装置内部設置電源、直接使用送信側の高レベルの電源として、同方式の設備を採用し、情報を交互に一本の線を使うと同時に完成給電と情報を受信し、小さくなった設備の体積や製造コスト。
以上は受信Kの信号を入手時間パラメータの具体的な方法は参実施例じゅうよんからじゅうななじゅうしち中のいずれかの実施例。
本実施例のオプション実施方式では、受信データ装置を含むフィルターユニットには、受信Y+1信号をY+1信号の妨害を得て、Xの信号は、そのY+1ですX、データ受信装置フィルターの具体的な実施例を参照じゅうよんじゅうからにいずれかの実施例の説明。
データ取得ユニット404用に、時間によってパラメータユニット401確定確定の現在のデータ伝送時間のパラメータをX-1時間間隔で各連続Sの時間間隔で1時間間隔対応の数値を得て、Sの時間間隔伝送の数値は、Sの時間間隔のデータ伝送を1時間間隔対応の数値数値を含め、Nビットデータの2N異なる数値の1つで、その中で、S＞いちの情況の下で、Sの時間間隔が同じで、XとSはすべて正整数で、S≦X-1 Nですいち。つまり、X-1時間間隔で、S＞いちの場合、1 S連続同じ時間間隔で、その1時間間隔対応のNビットデータの数値は同Sの時間間隔のデータ伝送。例えば、受け取りななしち信号をろくの時間間隔で、その中の連続さんの時間間隔は同じで、つまり送信側に採用した多数の同じの時間間隔で表示したNビットデータの数値を得て、さんの時間間隔で1時間間隔対応のNビットデータを得て、進一歩さんの時間間隔伝送の数値は、S＝いちの場合、いちの時間間隔のデータ伝送。
本実施例として申請のオプションの実施形態、時間によってパラメータユニット401確定確定の現在のデータ伝送時間のパラメータをX-1時間間隔で各連続Sの時間間隔で1時間間隔対応の数値を得て、Sの時間間隔伝送の数値を採用することができて、多種の計算の方式を得て計算1時間間隔対応の数値。例えば：あらかじめを確定してあるいは協議の計算方法にmの時間間隔＝etu+m * pdt得時間間隔対応の数値は、例えば受信の時間間隔は、etuによるとpdt得mの数値計算。例えば、m＝いち場合、あらかじめ設定し又は協議の各組データをいちビットは、その数値をいち、もし各組にデータをビットは、その数値は01、もし各組データビットをさんは、その数値を001、一データをよんしよあるいは以上のビット場合、数値の方式同じ、ここでもう贅言。
本実施例として申請のオプションの実施形態によって、確定の現在のデータ伝送時間のパラメータをX-1時間間隔で各連続Sの時間間隔で1時間間隔対応の数値を得て、Sの時間間隔伝送の数値は、数値をNビット数によると異なる数値に含まれる2N一つ、その中で、S＞いちの情況の下で、Sの時間間隔が同じで、XとSはすべて正整数で、S≦X-1 Nですいちする：
によって確定の現在のデータ伝送時間のパラメータをX-1時間間隔で各連続Sの時間間隔で1時間間隔対応ビットの串を得て、Sの時間間隔伝送のビット串、そのうち、Sの時間間隔のデータ伝送を1時間間隔対応ビット串、S＞のいち場合は、Sの時間間隔が同じで、Sは正整数で、S X-1≦。例えば、X＝に、S＝いち時、俺は時間間隔で、同時間間隔を対応ビット串；Xをさんや以上、S＝いちにしたのは、多くの時間間隔で取得し、各時間間隔対応ビット串；X＝さん、S＝に、時二つの時間間隔で、この二つの時間間隔が同じであり、かつ、その時間間隔対応ビット串、この二つの時間間隔は同一時間間隔対応ビット串；Xをごあるいは以上の場合、S＝ににしたのは、4つの時間間隔で、前の2つの連続した時間間隔の中の一つの時間間隔対応ビット串、後の2つの連続した時間間隔の中の一つの時間間隔対応別のビット串、すなわちまで2時間間隔はビット串、後2時間の間隔は別のビット串。もちろん、以上の例を挙げてただサンプル性の、できる限り得Sの時間間隔伝送のビット串の方式は全て属するべき本申請の保護範囲。
本実施例のオプション実施方式では、受信データ装置を含む可能時間間隔は取得ユニット402、されているデータ取得ユニット404取得X-1時間間隔で初の連続Sの時間間隔伝送の数値に時間を前に、Nビットデータのパラメータを含め2N数値と違う時間間隔の対応関係、中に、異なる数値対応の時間間隔と違って、Nですいち、中に、上記を含むあらかじめ計算Nビットデータの2N数値と違う時間間隔の方が固まっ受信時間間隔の数のデータによると、さらに減らす受信データ後のデコード時間。本実施例として申請のオプションの実施形態によって、時間をNビットデータのパラメータを含め2N異なる数値と時間間隔の対応関係、中に、異なる数値対応の時間間隔と違って、Nですいちする時間の長さによってパラメータを2NをNの中でそれぞれのビットビット串串と時間間隔の対応関係で、その中、2Nのビット串別個、しかも違うビット串対応の時間間隔と違って、Nですいち。
本実施例のオプション実施方式では、Nビットデータを含めた2N異なる数値、理解することができる：例えば、N＝いち時、いちビットデータを含め、その21の異なる数値は、それぞれ0、いち; N＝に、時にビットデータを含め、その22種類数値は、それぞれ00 . 01、じゅう、じゅういち。Nビットデータに時間を含むパラメータの2N異なる数値と時間間隔の対応関係する：例えば、私N＝いち時に時間を0対応の時間間隔パラメータによって、時間を対応の時間間隔パラメータいち；N＝にには、その時間を00対応のパラメータ時間間隔に時間を01対応の時間間隔パラメータによって、時間を対応の時間間隔じゅうパラメータによって、時間をじゅういちパラメータ対応の時間間隔。もちろん、Nが他の値となる場合は、上記の理解方式と同じで、ここではもはや説明しない。
オプションを採用することが可能に、データ受信装置とデータの送信装置の仕掛けや協議決定するの計算方法とデータの数値計算の時間間隔のときのようなN＝n、送信データにmの時間間隔の計算方法は：数値m対応の時間間隔＝etu+m *  pdt（中には、0 m 2n-1≦≦第1時間、etuパラメータ、pdt第二時間パラメータ、例えばetu＝じゅうμs、pdt＝さんじゅうμs）、つまり数値じゅういち対応の時間間隔で計算方法をじゅうμs+3 *さんじゅうμs＝ひゃくμsは、同オプション実施方式で計算するデータに応じた時間間をあけて。もちろん、本申請を採用することができる他あらかじめ協議の計算方法確定時間間隔、本実施は具体的に制限しない。事前協議を通じての計算方法とデータの数値計算の時間間隔で、保証データの伝送の拡張性、すなわちどんなにNのことはいくらで、データ送信装置やデータ受信装置も相応の数値計算の時間間隔。後、データ送信装置によって算出した時間間隔と時間の間隔を受信することによって、直接この時間間隔対応の数値を確定し、データの効率。
本申請の実施例としての別のオプション実施方式。データ受信装置も採用とデータの送信装置あらかじめメモリーのリストを確定することは、データの数値対応の時間間隔を採用し、検索リストの方が固まっこのデータの数値の時間間隔を得、数値対応の時間間隔の効率。
本実施例のオプション実施方式では、X-1＝n * S、nですいちかつnを整数を採用し、このオプション実施方式、X信号伝送n * Sまた同じことのデータは、余分な信号が、復号化問題ない。
本実施例のオプション実施方式では、受信データ装置も含めて更新時間パラメータユニット406、同ユニット用交換時間パラメータにルールを預設、当面使用時間パラメータに代える新しい時間パラメータは、新しい時間パラメータ作を当面データ伝送時間パラメータ、受信X信号まで、確定X信号に隣接する2つの信号のスタート時の間の時間間隔で、得X-1時間間隔、そして現在のデータ伝送の使用時間をX-1パラメータの時間間隔で各連続Sの時間間隔で1時間間隔対応の数値を得て、Sの時間間隔伝送数値で、Sの時間間隔のデータ伝送を1時間間隔対応の数値は、数値をNビットデータを含めた2N異なる数値の1つで、その中で、S1の場合はSの時間間隔が同じである。本実施案では、新しい時間パラメータの確定することを通じてデータ送信装置やデータ受信装置完成の協議も、データ送信装置やデータ検索あらかじめメモリーの受信装置時間パラメーターリストを完瞭するなど、発送にあるタイプでデータを表確定タイプのデータを使用するべきである時間のパラメータ。データ送信装置の時間パラメータは変化が一緻することができますによって、データ処理能力のデータを受信装置、または一緻の異なるタイプのデータを、データ処理の効率を向上させ。具体的には、実施例5から9のいずれかの実施例を参照してください。
本実施例のオプション実施方式では、受信ユニット403完成受信最後のデータから、レシーブユニットはAが403受信信号（Y+1ですいちしかも整数）、終瞭信号と同じ握手信号は、他の特定のフォーマットの信号は、同終瞭信号データ受信装置も終わりかどうか判断データ受信。
本実施例のオプション実施方式では、受信ユニット403完成受信最後のデータの後、または受信ユニット403完成受信最後のデータを受信後、Aが信号を受信ユニットは前に、403受信できる検査データを通じて、検査数データによると、データを受信装置も判断受信データを完全に正しいかどうか。検査データは、MAC検査、パリティ、取りやチェックなどパリティ方式で計算した検査データ。
【０１４３】
上述した本発明の実施例により提供された技術手段によれば、データ受信装置は受信波形の時間間隔で受信波形のデータを示すことができ、二本の線のみを使ってデータの受信を完成でき、電子機器に適用するとき、電子機器の体積を有効的に低減できる。
実施例5
図きゅう、く示す申請を提供した本実施例の種数伝送方法のフローチャートによると、図きゅう、くに示すように、この方法は主にステップS901からステップS903。
S901、初装置の週波数情報取得し、第2週波数情報送信装置。
中には、この週波数情報を用データ伝送の新しい時間パラメータ、あるいは新時間パラメータ標識、新時間パラメータ標識と新時間パラメータ対応。では、この新しいパラメータを含む可能時間2時間のパラメータは、最初の時、パラメータetuと第二時間パラメータpdt、本申請では、同時間パラメータに当てはめるデータ伝送に占用する時間の長さ。
本実施例においては、第一装置と第2装置が主に設備から。第一装置を主とする設備、第二装置を設備から、あるいは第一装置を設備から、第二装置を主とする設備。主とする設備の装置例えば端末としては、例えば設備からの装置は電子決済設備（例えば、電子署名ツールキー、スマートカード、キーカード合一設備など）。
S902、第二第一装置の週波数送信受信装置情報によると週波数情報確定データ伝送の新時間パラメータ。
その中に、第装置から第二装置の週波数情報の送信多種の方式を通じて、例えば握手信号を送信や、データ信号を送信。週波数情報採用の伝送方式によって、このステップで週波数情報によって確定データ伝送の新しい時間パラメータの方も違う、具体的に参照以下実施例中の具体的な説明。
S903、第二装置を支持して新しい時間にパラメータをデータ伝送の時は、新時間パラメータ新た時間パラメータで2Nの長さをNの中でそれぞれのビットビット串串と時間間隔の対応関係によると述べた対応関係に送信データ信号、あるいは、時間通りによって新しいパラメータ受信データ信号に基づくデータ信号の中の時間間隔で獲得のごとく時間間隔対応ビット串、そのうち、2Nのごとくビット串別個、しかも違うようにビット串対応の時間間隔と違って、Nですいち。
例えば、N＝いちを例に、2Nの長さをNのビットビットでは、各串串0、いち、によると、新しい時間パラメータ新た時間パラメータで2N長さをNの中でそれぞれのビットビット串串と時間間隔の対応関係、を含む可能0＝etu、いち＝etu+pdt、中に、0＝etu表示時間の間隔を採用etuな信号伝送データビット串0、いち＝etu+pdt表示時間の間隔を採用etu+pdtな信号伝送データビット串いち。
また、N＝にを例に、2Nの長さをNのビットビットでは、各串串00、01、じゅう、じゅういち、新時間パラメータ新た時間パラメータで2Nの長さをNの中でそれぞれのビットビット串串と時間間隔の対応関係、を含む可能00＝etu、01＝etu+pdt、じゅう＝etu+2pdt、じゅういち＝etu+3pdt、中に、00＝etu表示を採用して時間の間隔をetuな信号伝送データビット串00、01＝etu+pdt表示を採用して時間の間隔をetu+pdtな信号伝送データビット串01、じゅう＝etu+2pdt表示時間の間隔を採用etu+2pdtな信号伝送データビット串じゅう、じゅういち＝etu+3pdt表示を採用して時間の間隔をetu+3pdtな信号伝送データビット串じゅういち。本申請中、パラメータの組み合わせを採用することができる時間多種形式表現ビット串対応の時間間隔で、それだけではない。
第二の装置を使用することができます新時間のパラメータをデータ送受信や、当第二装置に新しい時間パラメータにデータを送るために、N＝にを例にして、必要のデータ送信ビット序列を0110時、発送可能時間間隔をetu+pdtデータ信号伝送01、髪を時間の間隔をetu+2pdtのデータ信号伝送じゅう。当第二装置に新しい時間パラメータデータ受信時、N＝にを例にして、受信時間の間隔をetu+pdtのデータ信号の時、獲得データビット串01、受信時間の間隔をetu+2pdtのデータ信号の時、獲得データビット串じゅう。
本実施例の中に中断データ伝送の場合には、その第一装置から第二装置の週波数情報送信、第二装置による情報データ伝送の週波数を使用して新しい時間パラメータ新時間パラメータをデータの吸収と/または送付して、データの伝送の時の通信パラメータ調整、効率を高めた通信。
説明が必要なことは、データの伝送する時間パラメータは同時、獲得の通信速度もとは違い、調整パラメータの週波数の目的を実現することができる。例えば、当面の時間を取ることを新時間調整パラメータのパラメータのこと（つまり、カレント時間パラメータでetuのことを調整する時間を取ることetuの新しいパラメータで、当面の時間を取ることpdtパラメータでの調整を新時間パラメータでpdtのこと）、データを行う場合は伝負け週波数通信速度を変えて実現することができ、資源利用の最適化、例えば、特定のアプリケーション実行時要らないのはあまりに高い通信速度を下げることができて、この時に達成する電気通信速度を節約する目的で、いくつかの応用の実行に必要の高い通信速率を高めることができて、この時通信速度の方の実現に応用する機能。
実施例6
本実施例では、週波数、情報は新しい時間パラメータを信号伝送握手し、握手信号、第一時間に新しいパラメータ発生装置。図じゅうを示す申請を提供した本実施例の種数伝送方法のフローチャートによると、図じゅうに示すように、この方法は主にステップS1001からステップS1005。
S1001、初装置に新しい発生時間握手信号パラメータの確定。
本実施例は、新しい時間パラメータを決定するための握手信号を実現する。
方式、第一装置確定発生握手信号の数の数によって、握手信号発生、握手の時間間隔用信号の中で決める新時間パラメータ。
例えば、第一装置と第二装置を預設協議決定する数の握手信号伝送新時間パラメータ、第一装置発生預設数の握手信号。例えばはち発生の時間間隔で同じ握手信号伝送新時間パラメータ、握手の時間間隔信号では新時間パラメータを採用し、具体的な握手信号の中のどの時間間隔で表示etuとpdtは第一装置と第二装置を通信協商確定、ここは限定しません。例えばはちの時間間隔で同じ信号の中の時間の間隔を新時間パラメータでetuやpdt、etuとpdt満たす関係にetuとpdtの中の一つの確定別のこと。また、第一時間間隔に応じて発生装置の握手はち信号、そして第二時間間隔に応じて発生はち握手して新しい信号伝送時間パラメータ、一時間間隔に用いることができると時間のetuパラメータで、第二時間間隔には新しい時の間にpdtパラメータ。
二、第一に新しい方式装置時間パラメータ確定第一時間間隔組と/あるいは第二時間間隔に応じて組;第1時間間隔組と/あるいは第二時間間隔組発生Kの握手信号。
中には、新しい時間を含む握手信号パラメータ、一時間間隔を含む少なくともグループ最初の時間間隔で、第二時間間隔組を含む少なくとも1つの第二時間間隔で、最初の時間間隔と第二時間間隔デザイン関係の間を満たし、第1時間の間隔をｉ番目の握手信号の始まりと第i-1つ握手の信号の開始時刻の間の時間間隔で、第二時間の間隔をｉ番目の握手信号の始まりと第i+1の握手信号の開始時刻の間の時間間隔で、i＝に、よんしよ、……、2j、j＝（K - 1）/に、Kさんは奇数でKです、
例えば、K＝ごを例にして、目の定義に握手信号の始まりと第いちの握手信号の間の開始時の間の間隔をt0、定義第さんの握手信号の始まりと第に握手し信号の間の開始時の間の間隔をt 1、第よんしよ定義握手し信号の始まりと第さんの握手信号の間の開始時の間の間隔をt 2、定義第ごの握手信号の始まりと第よんしよの握手信号の間の開始時の間の時間間隔がワイン。は、t0とともに第1 t 2時間間隔で、最初の時間間隔を含むt0組とt 2 t 1とともに、ワインは第二時間間隔で、第二時間間隔を含むt 1組とワイン。その中に、第時間間隔と第二時間間隔満足デザイン関係、例えば、一定の倍数関係、t 1＝2t0ワイン＝2t2。もちろん、実際に応用するのが必要で、最初の時間間隔と第二時間間隔も満足できる他のある特定の関係を、ここでは限定しません。
任意の時間を含む、新しいパラメータは2時間のパラメータは、最初の時、パラメータetuと第二時間pdtパラメータによって、新しい時間パラメータ確定第一時間間隔組と/あるいは第二時間間隔組の実現は以下の通りでの既知etuとpdtを取ることによって具体的な状況の下で、特定の2元1次方程式例えば、edu＝t0、pdt＝（t2-t0）／ご確認t0と/あるいはt 2によると1時間間隔と第二時間間隔で満足のデザイン関係確定t 1 /やワイン。
また、K＝さんを例にして、目の定義に握手信号の始まりと第いちの握手信号の間の開始時の間の間隔をt0、定義第さんの握手信号の始まりと第に握手し信号の間の開始時の間の間隔をt 1は、t0を一時間間隔で、t 1第二時間間隔。新しい時間を含むパラメータは2時間のパラメータは、最初の時、パラメータetuと第二時間pdtパラメータによって、新しい時間パラメータ確定第一時間間隔組と/あるいは第二時間間隔組の実現は以下の通りでの既知etuとpdtことの具体的な情況の下で、edu＝t0、pdt＝t 1。その後、に沿って、時間間隔t0とt 1さんの握手信号発生。
S1002、初装置から第二握手信号送信装置。
S1003、第二第一装置の握手送信装置受信信号。
S1004、第二装置によって週波数情報確定データ伝送の新時間パラメータ。
とステップ1001の中で発生握手信号の方式に対応し、本実施例の提供も以下の2種類の実現によって週波数情報確定データ伝送の新しい時間パラメータの方式。
A（方式とステップ1001中方対応）、第二装置受信預設数の握手、信号と握手の時間間隔を信号の中で、時間によって間隔を決める新時間パラメータ。
例えば、第二装置を受信信号はち握手し、握手しはち信号の間の間隔は同じ、この時間の間隔を新時間パラメータでのetuやpdt。etuとpdtを満たすため関係にetuとpdtの中の一つの確定別のこと。また、第二装置を受信信号じゅうろく握手し、前の握手はち信号の間の時間間隔で同じ皆第一時間間隔で、後の握手はち信号それぞれ前の握手信号の間の時間間隔で同じ皆第二時間間隔は第1時間の間隔を確定し、新しい時間パラメータ（etuとpdt）の中の一つとして、第二時間の間隔を新時間パラメータ（etuとpdt）もう一つ。具体的にどんな、第一装置と第二装置を協議して、ここでもう制限。
B（方式とステップ1001で方式2対応）、第二装置を握手信号の中の第一時間間隔組と/あるいは第二時間間隔組を第一時間間隔組と/あるいは第二時間間隔組確定データ伝送の新しい時間パラメータ。
例えば、K＝ごを例にして、ご信号検出握手し得るの後、ご握手信号中のt0、t 1、t 2、ワインは、既知のt0、t 1、t 2、ワインを取ることによって具体的な情況の下で、特定の2元の一次方程式、例えば、edu＝t0、pdt＝（t2-t0）／ご確認etuとpdt。このetuとpdtつまりデータ伝送の新しい時間パラメータ。
また、K＝さんを例にして、検出さんの握手信号後、握手するさんの信号の間の間隔は、2番目に握手信号と第いちの握手信号の間の時間間隔t0確定をedu、第さんの握手信号と第に握手し信号の間の時間t 1定をpdt間隔は確かに、etuとの間の関係だけではないpdt預設に上記の線形関係、また他の関係は、再び制限しない。
S1005、第二装置を支持して新しい時間にパラメータをデータ伝送の時は、新時間パラメータ新た時間パラメータで2Nの長さをNの中でそれぞれのビットビット串串と時間間隔の対応関係によると述べた対応関係に送信データ信号、あるいは、時間通りによって新しいパラメータ受信データ信号に基づくデータ信号の中の時間間隔で獲得のごとく時間間隔対応ビット串、そのうち、2Nのごとくビット串別個、しかも違うようにビット串対応の時間間隔と違って、Nですいち。
例えば、N＝にを例に、2Nの長さをNのビットビットでは、各串串00、01、じゅう、じゅういち、新時間パラメータ新た時間パラメータで2Nの長さをNの中でそれぞれのビットビット串串と時間間隔の対応関係、を含む可能00＝etu、01＝etu+pdt、じゅう＝etu+2pdt、じゅういち＝etu+3pdt、中に、00＝etu表示を採用して時間の間隔をetuな信号伝送データビット串00、01＝etu+pdt表示を採用して時間の間隔をetu+pdtな信号伝送データビット串01、じゅう＝etu+2pdt表示時間の間隔を採用etu+2pdtな信号伝送データビット串じゅう、じゅういち＝etu+3pdt表示を採用して時間の間隔をetu+3pdtな信号伝送データビット串じゅういち。
第二の装置を使用することができます新時間のパラメータをデータ送受信や、当第二装置に新しい時間パラメータにデータを送るために、N＝にを例にして、必要なデータビットシリアルを0110送信には、その時間間隔（etu+pdt）送信データ信号伝送ビット串01、そして時間間隔（にetu+2pdt）送信データ信号伝送ビット串じゅう。当第二装置に新しい時間パラメータデータ受信時、N＝にを例にして、受信データ信号までの時間間隔をetu+pdt時、獲得データビット串01、受信データ信号までの時間間隔をetu+2pdt時、獲得データビット串じゅう。
このステップで、第二装置に新しい時間2Nパラメータで長さをNの中でそれぞれのビットビット串串と時間間隔の対応関係に初めて装置送信データ信号、送信データ信号として週波数確認情報をお知らせ第装置は数によると採用のパラメータを調整する時間伝送新しい時間パラメータを得て新しい時間パラメータで対応の通信速度。
本実施例では、握手信号が発生した場合には、低レベルのパルスが発生することによって実現することができます。または他の波形信号によって実現することはできません。ここでは制限はありません。
では、本実施例は、ステップ1001で初めて装置は発生Kの握手信号とともに、第一装置によって時間も新しいパラメータを獲得し2Nの長さをNの中でそれぞれのビットビット串串と時間間隔の対応関係によって対応関係を送信データ信号。このデータ信号携帯の数値は第一装置が送信第二装置のデータは、このデータを含む可能時間がなくても新しいパラメータは、新しい時間を含むパラメータ、第一装置送信データ信号の方式と第二装置送信データ信号の方と同じように、ここでもう贅言。この時、ステップ1005では、第二装置によって新しい時間パラメータデータ受信信号に基づくデータ信号の中の時間間隔獲得時間間隔対応ビットの串。
本実施例の中に中断データ伝送の情況の下で、初めて握手と信号装置に第二装置の週波数情報送信、第二装置による情報データ伝送の週波数を使用して新しい時間パラメータ新時間パラメータをデータの吸収と/または送付して、データの伝送に通信パラメータの調整、通信効率を高めた。
実施例7
本実施例では、週波数、情報は新しい時間パラメータをデータ伝送信号を、このデータ信号、第一にカレント時間パラメータ発生装置。図じゅういち示す申請を提供した本実施例の種数伝送方法のフローチャートによると、図じゅういち通り、本実施例のデータ伝送方法は主にステップS1101からステップS1105。
S1101、初装置によってデータの伝送の現在の時刻を当面パラメータで2Nパラメータ時間の長さをNの中でそれぞれのビットビット串串と時間間隔の対応関係によると対応関係が発生するFのデータ信号、そのうち、すべてのデータ信号の始まりと相隣にひとつの信号の開始時点で時間間隔をビット串対応の時間間隔で、FですいちかつFを自然数、Fの新しいデータ信号伝送時間パラメータ。
その中で、データを伝送するためのデータ信号のために使用することができます。本実施例には、F個のデータ信号を採用して新しい時間パラメータを送信する。
現在のタイムパラメータは、第1装置と第2装置がデータ転送時に採用している時間パラメータである。オプションの、その時現在のパラメータを含む2時間のパラメータは、最初の時、パラメータetuと第二時間pdtパラメータ。
本ステップで初めて装置に時間を当面パラメータカレント時間パラメータで2Nの長さをNの中でそれぞれのビットビット串串と時間間隔の対応関係、と実施例ごにステップ903第二装置によって時間を時間2Nパラメータの下に新しいパラメータの長さをNの中でそれぞれのビットビット串串時間との間隔の対応関係の実現に類似して、ここでもう贅言。
サンプル性によって、このステップでデータ伝送の現在の時刻を当面パラメータで2Nパラメータ時間の長さをNの中でそれぞれのビットビット串串と時間間隔の対応関係によると述べた対応関係が発生するFのデータ信号の実現は次の通り：新採用データビットシリアル00101011時間パラメータは、Nをに時を例にして、この時、2Nの長さをNのビットビットでは、各串串00、01、じゅう、じゅういち、当面の時間2Nパラメータで長さをNの中でそれぞれのビットビット串串と時間間隔の対応関係、を含む可能00＝etu、01＝etu+pdt、じゅう＝etu+2pdt、じゅういち＝etu+3pdt、中に、00＝etu表示を採用して時間の間隔をetuな信号伝送データビット串00、01＝etu+pdt表示を採用して時間の間隔をetu+pdtな信号伝送データビット串01、じゅう＝etu+2pdt表示時間の間隔を採用etu+2pdtな信号伝送データビット串じゅう、じゅういち＝etu+3pdt表示を採用して時間の間隔をetu+3pdtな信号伝送データビット串じゅういち。
送信データビットシリアル00101011（新時間パラメータ）には、行うコード発生ご信号Ｆ＝ご時、第一個の信号と二番目の信号の間の間隔をetu用に、送信データビット串00、二つ目の信号と三つ目の信号の間の間隔をetu+2pdt用に、送信データビット串じゅう、三つ目の信号と第4の信号の間の間隔をetu+2pdt用に、送信データビット串じゅう、第四の信号と五つ目の信号の間の間隔をetu+3pdt用に、送信データビット串じゅういち。
S1102、初装置から第2 Fのデータ信号送信装置。
例えば、第一装置は、以下の方式でF個のデータ信号を送信することができる：
新しい時間パラメータを表示するデータビットのシリアル番号を取得します、
データビットシリアルをグループ化する、一串をNビットデータビット、
取得の対応関係によって、各組データビット串対応の時間間隔で表示同組データビット串をできるようにした同グループデータビット串。
S1103、第二第一装置のF送信装置受信データ信号。
S1104、第二装置に応じて時間のデータ信号を受信FパラメータによってFデータ信号に各データ信号の開始時の間の時間間隔新た時間パラメータ。
サンプル性の、新採用データビットシリアル00101011時間パラメータは、Nをに時を例にして、この時、ステップ1101に知ることができるF＝ごとき、第二装置受信信号検出ご後、順次ご信号の間の時間間隔で、もし検知時間間隔をetuはデコード出送信したデータビット串を00、もし検知時間間隔をetu+2pdtデコードのデータ伝送は、得ビット串をじゅう、もし検知時間間隔をetu+3pdtデコードのデータ伝送は、得ビット串をじゅういち、それによって受信時間前後に順次で復号化します得データビット序列00101011を得ることができ、それによって新しい時間パラメータ。
S1105、第二装置を支持して新しい時間にパラメータをデータ伝送の時は、新時間パラメータ新た時間パラメータで2Nの長さをNの中でそれぞれのビットビット串串と時間間隔の対応関係によると述べた対応関係に送信データ信号、あるいは、時間通りによって新しいパラメータ受信データ信号に基づくデータ信号の中の時間間隔で獲得のごとく時間間隔対応ビット串、そのうち、2Nのごとくビット串別個、しかも違うようにビット串対応の時間間隔と違って、Nですいち。
ステップS1105具体的に実現して参照する実施例ろくでS1005に関する説明して、ここでもう贅言。
このステップで、第二装置に新しい時間2Nパラメータで長さをNの中でそれぞれのビットビット串串と時間間隔の対応関係に初めて装置送信データ信号、送信データ信号として週波数確認情報をお知らせ第装置は数によると採用のパラメータを調整する時間伝送新しい時間パラメータを得て新しい時間パラメータで対応の通信速度。
もちろん、本実施例の中で、次のステップを含む：第二装置を支持して新しい時間にパラメータをデータ伝送には、その時現在で2Nパラメータの長さをNの中でそれぞれのビットビット串串と時間間隔の対応関係に初めて装置に表を示す発送確認情報のデータ信号の週波数。すなわち、第二装置は現在発送時間をパラメータの週波数確認情報をお知らせ第装置を採用したパラメータ調整データ伝送時間を新時間パラメータを得て新しい時間対応の通信速度パラメータで、それが後のデータ伝送に向けて新たに時間のパラメータをデータ伝送。
説明が必要なことは、オプション、本実施例は、ステップ1101で初めて装置にカレント時間パラメータ発生Fのデータ信号（Fのデータ信号伝送用新時間パラメータ）とともに、第一装置は現在で2Nパラメータによって時間の長さをNの中でそれぞれのビット串串よりッター時間との間隔の対応関係に第二他のデータ信号送信装置。当該他のデータ信号伝送装置が最初に送信第二装置の他のデータは、第一装置発生送信を他のデータ信号の方式は、ステップ1101に送信をFのデータ信号の方と同じように、ここでもう贅言。あるいは、オプションの、最初の装置で現在の時刻にパラメータ発生Fデータ信号（Fのデータ信号伝送用新時間パラメータ）前に、一番装置は当面パラメータ発生時間に握手信号送信を第二装置。
本実施例の中に中断データ伝送の情況の下で、初めて装置をデータ信号に第二装置の週波数情報送信、第二装置による情報データ伝送の週波数を使用して新しい時間パラメータ新時間パラメータをデータの吸収と/または送付して、データの伝送に通信パラメータの調整、通信効率を高めた。
実施例8
本実施例と実施例ななしちの区別：週波数情報は新しい時間パラメータ標識、他の実現は実施例ななしち過程と同じ、同じ内容を詳しくなく、参照ください実施例ななしちに関する記述。
本実施例の中で週波数情報も、データ伝送信号を、このデータ信号、第一にカレント時間パラメータ発生装置。図を示すじゅうに本実施例の申請を提供しても1種数伝送方法のフローチャートによると、図じゅうに通り、本実施例のデータ伝送方法は主にステップ1201からステップで1205。
S1201によると、データの伝送の現在の時刻を当面パラメータで2Nパラメータ時間の長さをNの中でそれぞれのビットビット串串と時間間隔の対応関係によると対応関係が発生するFのデータ信号、そのうち、すべてのデータ信号の始まりと隣接するのにひとつの信号の開始時の時間間隔一つのビット串対応の時間間隔で、FですいちかつFを自然数、Fのデータ信号は新しい時間パラメータの表示。
本実施例の中で、Fデータ信号伝送時間パラメータ新しい標識、新時間パラメータ標識は週波数情報。
S1202、初装置から第2 Fのデータ信号送信装置。
例えば、第一装置は、以下の方式でF個のデータ信号を送信することができる：
新しい時間パラメータを表示するデータビットのシリアル番号を取得します、
データビットシリアルをグループ化する、一串をNビットデータビット、
取得の対応関係によって、各組データビット串対応の時間間隔で表示同組データビット串をできるようにした同グループデータビット串。
S1203、第二第一装置のF送信装置受信データ信号。
S1204、第二装置に応じて時間のデータ信号を受信FパラメータによってFデータ信号に各データ信号の開始時の間の時間間隔新た時間パラメータ標識、デフォルトの検索時間表に新しいパラメータ標識対応の新しい時間パラメータ。
この中で、新しい時間パラメータの表示は新しい時間パラメータと一つ一つ対応しています。例えば、新しい時間パラメータ標識0対応の新しい時間のパラメータをetu＝100us、pdt＝10us、新しい時間パラメータ標識をいち時、対応の新しい時間のパラメータをetu＝10us、pdt＝1usなど。デフォルトの表を収納する新時間パラメータ標識と新しい時間パラメータの対応関係を通じて、表で調べによる新時間パラメータ標識を決める新時間パラメータ。
S1205、第二装置を支持して新しい時間にパラメータをデータ伝送の時は、新時間パラメータ新た時間パラメータで2Nの長さをNの中でそれぞれのビットビット串串と時間間隔の対応関係によると述べた対応関係に送信データ信号、あるいは、時間通りによって新しいパラメータ受信データ信号に基づくデータ信号の中の時間間隔で獲得のごとく時間間隔対応ビット串、そのうち、2Nのごとくビット串別個、しかも違うようにビット串対応の時間間隔と違って、Nですいち。
このステップで、第二装置に新しい時間2Nパラメータで長さをNの中でそれぞれのビットビット串串と時間間隔の対応関係に初めて装置送信データ信号、送信データ信号として週波数確認情報をお知らせ第装置は数によると採用のパラメータを調整する時間伝送新しい時間パラメータを得て新しい時間パラメータで対応の通信速度。
もちろん、本実施例の中で、次のステップを含む：第二装置を支持して新しい時間にパラメータをデータ伝送には、その時現在で2Nパラメータの長さをNの中でそれぞれのビットビット串串と時間間隔の対応関係に初めて装置に表を示す発送確認情報のデータ信号の週波数。すなわち、第二装置は現在発送時間をパラメータの週波数確認情報をお知らせ第装置を採用したパラメータ調整データ伝送時間を新時間パラメータを得て新しい時間対応の通信速度パラメータで、それが後のデータ伝送に向けて新たに時間のパラメータをデータ伝送。
説明が必要なことは、オプション、本実施例は、ステップ1201で初めて装置にカレント時間パラメータ発生Fのデータ信号（Fのデータ伝送信号に新しい時間パラメータ標識）とともに、第一装置は現在で2Nパラメータによって時間の長さをNの中でそれぞれのビットビット串串時間との間隔の対応関係に第二他のデータ信号送信装置。当該他のデータ信号伝送装置が最初に送信第二装置の他のデータは、第一装置発生送信を他のデータ信号の方式は、ステップ1201に送信をFのデータ信号の方と同じように、ここでもう贅言。あるいは、オプションの、最初の装置で現在の時刻にパラメータ発生Fデータ信号（Fのデータ信号伝送用新時間パラメータ標識）前に、一番装置は当面パラメータ発生時間に握手信号送信を第二装置。
本実施例の中に中断データ伝送の情況の下で、初めて装置をデータ信号に第二装置の週波数情報送信、第二装置による情報データ伝送の週波数を使用して新しい時間パラメータ新時間パラメータをデータの吸収と/または送付して、データの伝送に通信パラメータの調整、通信効率を高めた。
説明が必要なことは、上記の実施例はちごから実施例では、第二装置獲得新時間パラメータ後、上記方法も含む第二装置を支持するか判断自身を新採用時間パラメータをデータ伝送の手順は、次の2つの具体化を採用することができる：
方式、第二時間かどうか判断新装置パラメータ自身で支持のデータ伝送時間パラメータの範囲内で、もし判断する新時間パラメータが自身のデータ伝送時間サポートパラメータの範囲内で、第二装置によって確定支持新時間パラメータをデータ伝送。
サンプル性、第2の装置に格納自身支持のデータ伝送時間パラメータの範囲は、例えば、edu範囲を1us-100us、pdt範囲を0.1us-10us、第二装置新た時間パラメータ後、それぞれ判断新時間パラメータでのeduことか、eduの範囲内で、pdtことか、pdtの範囲内で、もしeduのこととpdtのことは皆それぞれの範囲内で、説明は第二装置に新しい支持時間パラメータをデータ伝送。さもなくば、例えばeduとpdtに存在のことその対応の範囲内で、説明は第二装置を支持しない時間に新しいパラメータをデータ伝送。
方式を二、第二装置は自身の支持のデータ伝送時間パラメータ表に検索が存在するかどうかを探すなら新しい時間パラメータは、新しい時間パラメータ、確定第二装置支持に新しい時間パラメータをデータ伝送。
サンプル性、第2の装置に格納自身支持のデータ伝送時間パラメーターリスト、例えば、下表を参照のこと：
【表０】
2018527790.tif 000003
第二装置新た時間パラメータ後、テーブルに含まれるかどうかを探す新時間パラメータでeduとpdtのこと。もし検索、説明は第二装置に新しい支持時間パラメータをデータ伝送、例えば、新しい時間をedu＝ごじゅうパラメータus、pdt＝ごus際、上記の表で検索できる時間をいちパラメータ標識の時間パラメータと新時間同じ説明パラメータは第二装置によってedu＝50us、pdt＝5usデータ伝送。さもなくば、第2装置は新しい時間パラメータによってデータ転送を行うことを支持しないことを説明する。
もちろん、オプションのとき、週波数情報を新採用時間パラメータ標識時も、第二装置支持のデータ伝送時間パラメータ表に存在するかどうかを新しい検索時間パラメータ標識、もし新しい検索時間パラメータ標識、確定第二装置によって参数時間サポート新しいデータ伝送。
実施例9
本申請実施例も提供して1種数によると伝送システム用に、上記のデータ伝送執行方法、このシステムの機能を実現して上記の実施例からはちご参照に関する記述、同じまたは類似の流れでもう贅言。本システムの第1装置と第2装置は、主にデバイスから。主とする設備の装置例えば端末としては、例えば設備からの装置は電子決済設備（例えば、電子署名ツールキー、スマートカード、キーカード合一設備など）。
以下はこのシステムについて簡単に説明する：
図じゅうさん通り、そのシステムを含む：第一装置と第二装置、その中に、第装置、情報を得るために、週波数、そして第二に送信装置の週波数情報;第二装置、受信装置の週波数に初めて送信情報によると週波数情報確定データ伝負け新時間パラメータ;支持新しい時間通りにパラメータをデータ伝送の時は、新時間パラメータ新た時間パラメータで2Nの長さをNの中でそれぞれのビットビット串串と時間間隔の対応関係によると述べた対応関係に送信データ信号、あるいは、時間通りによって新しいデータ受信信号パラメータをデータによって信号の中の時間間隔を獲得のごとく時間間隔対応ビット串、そのうち、2Nのごとくビット串別個、しかも違うようにビット串対応の時間間隔と違って、Nですいち。
サンプル性の、最初の装置が握手と信号伝送週波数情報、週波数情報は新しい時間パラメータ;この時、第一装置、具体的に時間に新しいパラメータ確定第一時間間隔組と/あるいは第二時間間隔に応じて組;第1時間間隔組と/あるいは第二時間間隔組発生Kの握手信号新しい時間を含む、握手信号パラメータ、一時間間隔を含む少なくとも1つのグループの第1時間間隔で、第2時間間隔組を含む少なくとも1つの第二時間間隔で、最初の時間間隔と第二時間間隔の間にいっぱい足デザイン関係、第1時間の間隔をｉ番目の握手信号の始まりと第i-1つ握手の信号の開始時刻の間の時間間隔で、第二時間の間隔をｉ番目の握手信号の始まりと第i+1の握手信号の開始時刻の間の時ｉ、i＝2、4、……、2j、j＝（K - 1）/に、Kさんは奇数でKです。
第二装置、具体を得るために、Kの握手信号の中の第一時間間隔組と/あるいは第二時間間隔組；第一時間間隔組と/あるいは第二時間間隔組確定データ伝送の新しい時間パラメータ。
サンプル性の、最初の装置をデータ信号伝送週波数情報、週波数情報は新しい時間パラメータ;この時、第一装置によって具体的にデータ伝送の現在の時刻を当面パラメータで2Nパラメータ時間の長さをNの中でそれぞれのビットビット串串と時間間隔の対応関係によると対応関係が発生するFデータ信号、そのうち、すべてのデータ信号の始まりと隣接するのにひとつの信号の開始時の時間間隔をビット串対応の時間間隔で、FですいちかつFを自然数、Fのデータ伝送時間手紙号新しいパラメータ;第2装置、具体的に時間に応じてパラメータデータ信号を受信FにFデータ信号に各データ信号の開始時の間の時間間隔新た時間パラメータ。
サンプル性の、最初の装置をデータ信号伝送週波数情報、週波数情報は新しい時間パラメータ標識；この第装置、具体的にデータによって伝送の現在の時刻を当面パラメータで2Nパラメータ時間の長さをNの中でそれぞれのビットビット串串と時間間隔の対応関係によると対応関係が発生するFデータ信号、そのうち、すべてのデータ信号の始まりと隣接するのにひとつの信号の開始時の時間間隔をビット串対応の時間間隔で、FですいちかつFを自然数、Fの新しいデータ信号伝送時間パラメータ標識；第二装置、具体的に時間に応じてパラメータデータ信号を受信FにFのデータ信号の中の時間間隔新た時間パラメータ標識、デフォルトの検索時間表に新しいパラメータ標識対応の新時間パラメータ。
また、初めて装置を行うことができるかどうかをお知らせするための週波数、第二装置での使用によって、支持新時間パラメータをデータ伝送には、その時現在で2Nパラメータの長さをNの中でそれぞれのビットビット串串と時間間隔の対応関係に初めて装置を示すために発送確認情報のデータ信号の週波数。
サンプル性、本実施例のシステムを提供する申請中の第二装置も実現することができるかどうか判断に自身の支持新時間パラメータをデータ伝送の機能は、具体的にする：
第二装置、新たに時間かどうか判断パラメータ自身で支持のデータ伝送時間パラメータの範囲内で、もし判断する新時間パラメータが自身のデータ伝送時間サポートパラメータの範囲内で、第二装置によって確定支持新時間パラメータをデータ伝送か；、
第二装置、支持されている自身のデータ伝送時間パラメータ表に検索が存在するかどうかを探すなら新しい時間パラメータは、新しい時間パラメータ、確定第二装置支持に新しい時間パラメータをデータ伝送。
本実施例の提供するシステムの中に中断データ伝送の情況の下で、初めて装置をデータ信号に第二装置の週波数情報送信、第二装置による情報データ伝送の週波数を使用して新しい時間パラメータ新時間パラメータをデータの吸収と/または送付して、データの伝送時通信パラメータの調整、効率を高めた通信。
実施例10
本実施例1種の方法を提供した受信、使える方法は信号の受信側（例えば、上記各実施例での受信側やデータ受信装置）、受信信号を濾過して、有効信号。
図じゅうよんは本実施例の提供する受信方法のフロー図のように、じゅうよんに示すように、この方法は主に以下のステップ（ステップS1402 -ステップS1410）。
ステップS1402を2Nの長さをNの中でそれぞれのビットビット串串と時間間隔の対応関係で、その中、2Nのビット串別個、しかも違うビット串対応の時間間隔と違って、Nですいち。
本実施例の中で、長さはNのビット串に対応できるの時間間隔で、多くの時間間隔でも対応できさえすれば、違うビット串対応の時間間隔で同じでない。
本実施例のオプション実施方式では、現下のデータ伝送時間のパラメータを2N長さをNの中でそれぞれのビットビット串串と時間の間隔の対応関係。中には、現在のデータ伝送の時間のパラメータはあらかじめ送信側と協議し、又は、送信側から送ったデータによって、例えば、送信側が送信データの前に、先に発送握手信号、握手と信号を受信側に伝送当面データ伝送時間パラメータ、具体的な本しない限定実施例。したがって、本実施例のオプション実施方式では、上記の対応関係を前に、確定可能時間パラメータ。はN＝にを例にして、もし二つある時間eduとpdtパラメータは、長さにの各ビット串対応の時間間隔がいち表の通り。もちろん、これに限らない、実際には、それぞれのビット串対応の時間間隔時間とパラメータの対応関係を採用することができる、表いち述べたその他の関係を具体的にもう贅言。
【表１】
2018527790.tif 000004
もちろん、これに限らない、本実施例の別のオプション実施方式では、こともできない時間によってパラメータを上記の対応関係ではなく、あらかじめ設定したルール（例えば、上記の表いち）、直接上記の対応関係を得て、例えば、N＝いちの場合、直接約束ビット0とビットいち対応の時間間隔で、例えば、それぞれじゅうμsとじゅうごμs。または、上記の対応関係を受信しておくこともでき、具体的に本実施例は限定しない。
は時間によってパラメータを上記の対応関係の場合は、データの受信側採用とデータの送信側事前協議決定するの計算方法とデータビット計算の時間間隔のときのようなN＝n、送信データビットmの時間間隔TM＝etu+m * pdt（0 m≦≦2n-1）も他の事前協議を採用することができるの計算方法確定時間間隔で、本実施例の具体的な制限はしない。事前協議を通じての計算方法を算出するこのデータビットの時間間隔で、保証データの伝送の拡張性、すなわちどんなにNのことはいくらで、送信側と受信側も計算データビットの時間間隔。
ステップS1404、受け取りY+1信号、中に、同Y+1信号の中の第一個の信号を指示用データ伝送開始の合図がいち、Yです、しかもYは正整数で、Y+1を受信信号の総数。
本実施例の中に指示、データ伝送開始の合図はデータの伝送の第一個のデータ信号、例えば、予定の時刻（同時刻、受信側と送信側約束確定）の受信後、初めてのデータ信号を送ったら、あるいは、受信側端に発データ前に、受信側に送って握手信号は、データの伝送開始の合図に指示も受信送信側からの握手信号の中の最後の信号。本実施例、握手信号は、送信側に指示データ送信受信側の開始時の信号は、また、本実施例の中で、送信側も握手と信号伝送上記時間パラメータ。
例えば、送信側のご送信の握手信号パラメータ、時間を含む2：etuとpdt握手し、ご信号の時間間隔でそれぞれ：t0、t 1 t 2とは、ワインをt0＝etu、t 1＝etu+pdtは、受信側によると確定することができt0 t 1時間etuとパラメータpdtのこと、あるいは、によっても第二時間間隔組中のt 2とワインは確定して、2t2＝2etu、2t1＝に（etu+pdt）、受信側によるとワインも確定できt 2時間etuとのことpdtパラメータ。あるいは、t0とt 1も満足できるその他の関係を通じて、限りt0とt 1のことを得ることができる時間etuとのことでpdtパラメータ。また、もし時間パラメータが一つだけは直接できKの握手信号の中の一つの時間間隔で決定するこの時間パラメータ、あるいは、もし時間が3つのパラメータは、Kの握手を通じて信号の間の時間間隔で満足の関係によって確定３時間パラメータのこと具体的な実施例、もう贅言。Kの信号を通じて握手するパラメータを克服する時間、受信側の理論と実際の時間パラメータ時間パラメータが一緻しない場合には、データの伝送の正確性を保障する。
ステップS1406に指示、データ伝送開始の合図が確定は第一個の有効信号。
S1408判断手順、受信第Z信号のスタート時には、前の有効信号のスタート時の時間間隔を得るかどうかの通りの対応関係の中の一つの時間間隔で、もしは、第Z信号を有効に信号を記録、そのうち、Z＝に、さん、よんしよ、……、Y+1。
は、ステップS1408で順次判断を受信第Z（Z＝に、さん、よんしよ、……Y+1）、信号の開始時には、前の有効信号のスタート時の時間間隔を得るかどうかの上記の対応関係に記録の時間間隔で、第Y+1信号まで判断が終わるまでは、該当する要求信号記録を有効に信号を捨てられないし、該当する要求信号効率よくろ過落ちチャネルの雑音信号、保証データの伝送の正確性と完全性。
たとえば今伝送時間のパラメータを2時間のパラメータ、つまり第一時間パラメータetuと第二時間パラメータpdt、そのetu＝じゅうμs、pdt＝にじゅうμs。Ｎ＝いち時に時間の長さをいちのパラメータをビット串（つまりいちビットのデータやいち位ビット串）に対応した時間間隔、すなわち0対応の時間間隔をetu、いち対応の時間間隔をpdt。受け手確定初めて有効信号を受信後、順次に殘りのY信号を判断して、受信に第に信号を同信号の開始時に計算すると最初の有効信号免許の始まり時の時間間隔をじゅうごμs、同時間間隔といち位ビット串0といち所対応の時間間隔は同じないため、信号は有効信号は、同信号記録を無効にする信号Dは、当該無効信号Dを捨てて。
判断の信号のスタート時第さんと初めて有効信号C 1のスタート時の時間間隔をにじゅうμs、同時間間隔といち位ビット串いちに対応した同じ時間間隔ため、信号は有効信号は、同信号記録を第2の有効信号C 2し、同第二の有効信号C 2の開始時に。
第よんしよ判断の信号の開始時刻と第2の有効信号C 2のスタート時の時間間隔……このため、受信に至るまで、判断の第Y+1信号が終わるまで。
本申請実施例のオプション実施案で、第Zの信号のスタート時には、前の信号のスタート時の時間間隔はデフォルト値より大きい。すなわちこのオプション実施案では、ステップS1404中、初めて有効信号完成受信後、受信側のハードウエア層ろ過落ち当面信号の始まり時刻と前の信号のスタート時の時間間隔がデフォルト値の当面の信号は、受信側のMCUいやな信号に応答しても、現在の信号の開始時にだけ、前の信号のスタート時の時間間隔はイコールデフォルト値の現在の信号（すなわち第Z信号）を高めることができて応え、後続の有効信号検出効率を減らして、少なくMCUの作業負荷。
さらに、上述のハードウエア層のフィルタを採用することができる以下方式：受信側からの信号を受信機に受信の第一個の有効信号のスタート時Tからクロノグラフ、T +デフォルト値の範囲内のいかなる信号を受信しない時間で、自T +デフォルト値この瞬間から重い新から受信信号受信信号まで第Z（Z＝に）を、同第Z信号（Z＝に）の開始時刻と新たなT、上記の手順を繰り返してまで、第Y+1受信信号まで。
さらに、上述のデフォルト値をステップS1402取得のごとく対応関係の中の時間間隔の最小値。現在の信号の開始時から、前の信号のスタート時の時間間隔が同対応関係の中の時間間隔の最小値、きっと当面信号は有効信号を受信しないので、この現在信号。
本実施例のオプション実施方式では、受信Y+1信号は検出されY+1度ローレベルパルスは、検出されY+1度高いレベルパルス。同ローレベルパルス/高レベルのパルスを採用することができる方形波、正絃波、三角波などに分けて高低レベルパルスの波形表示、ここは限定しません。ステップS1410に判定結果を得て、X有効信号、中に、X≦Y+1、しかもXは正整数。
ステップS1408の判断によって、Xの効果的な信号によるX有効信号で復号化し、送信側のデータを送信。したがって、本実施例の申請のオプション実施案では、手順S1410た後でも、以下の手順を含むS1412 -ステップS1416（図に未を示す）。
ステップS1412、確定中X有効信号ごとに2つの信号の始まりに隣接する時の間の時間間隔で、得X-1時間間隔。
ステップS1414に取得の対応関係をX-1時間間隔で各連続Sの時間間隔で1時間間隔対応ビットの串を得て、Sの時間間隔伝送のビット串、そのうち、Sの時間間隔で伝送するビットの串を1時間間隔対応ビット串、S＞のいち場合、このSの時間間隔が同じで、Sは正整数で、S X-1≦。
本実施例のオプション実施方式では、X-1＝n * S、nですいちかつnを整数を採用し、このオプション実施方式、X信号伝送n * Sまた同じことができるデータビットではないが、余分な信号による復号化問題ない。
例えば、私X＝に、S＝いち時、俺は時間間隔で、同時間間隔を対応ビット串；Xをさんや以上、S＝いちにしたのは、多くの時間間隔で取得し、各時間間隔対応ビット串；X＝さん、S＝に時は、2つの時間間隔で、この二つの時間間隔が同じであり、かつ、その時間間隔対応ビット串、この二つの時間間隔は同一時間間隔対応ビット串；Xをごとき、S＝ににしたのは、4つの時間間隔で、前の2つの連続した時間間隔の中の一つの時間間隔対応よりッター串、後の2つの連続した時間間隔の中の一つの時間間隔対応別のビット串、すなわちまで2時間間隔はビット串、後2時間の間隔は別のビット串。もちろん、以上の例を挙げてただサンプル性の、できる限り得Sの時間間隔伝送のビット串の方式は全て属するべき本申請の保護範囲。
ステップS1416、X-1時間間隔で各連続Sの時間間隔伝送のビット串を切り替えを得て、このX-1時間間隔のビットシリアル伝送。
例えば、仮にＸ＝きゅう、く、S＝いち、ステップS1414で得はちの時間間隔で、それぞれの時間間隔対応ビット串順に「01」、「00」、「01」、「じゅう」、「じゅういち」、「じゅう」、「00」と「01」は、最後に入手このご時間間隔伝送のビットシリアルを「0100011011100001」。
任意に、得たX-1時間間隔伝送のビットシリアルで復号化し、得X-1時間間隔伝送のデータは、復号化した時に、はち位でビット組組成のバイトし、その結果X-1時間間隔のデータ伝送。
本申請実施例のオプション実施案では、X-1時間間隔伝送のビットシリアルも含む検査ビット、例えば、最後のバイトを検査位と、さらなる同検査位に検査ビット前のデータの完全性検査。データの完全性検査を含むがこれに限らない、CRC奇偶検査、デジタル署名、取りや検査、MAC検査など。
任意に、上記Y+1信号の後、受け手が送受信端からのAが信号（Aですいちしかも整数）、あるいは、Aが信号も含めY+1内の信号。終瞭信号と同じ握手信号は、他の特定のフォーマットの信号を通じて、終瞭の信号は、受信側がデータビット串受信終わりかどうか判断。
本実施例の提供するを通じて受信方法、有効なろ過落ち騒音、受信の効率を高める。
実施例11
本実施例を提供する1種の受信方法、図じゅうごは本実施例の提供する受信方法のフローチャート。本実施例の提供する方法と実施例1提供方法の違いは、実施例じゅう中受け手は受け取るY+1信号から順次各信号を有効かどうか判断信号、本実施例の中で、最初の有効信号確定後、すべて受信信号は即座に判断この信号は有効かどうか信号。実施例10に比べて、本実施例で提供される方法の効率はさらに高い。
図じゅうご通り、本実施例の提供する同受信方法は主に以下の手順（ステップS1502 -ステップS1508）。
ステップS1502を2Nの長さをNの中でそれぞれのビットビット串串と時間間隔の対応関係で、その中、2Nのごとくビット串別個、しかも違うようにビット串対応の時間間隔と違って、Nですいち。
本実施例の中で、長さはNのビット串に対応できるの時間間隔で、多くの時間間隔でも対応できさえすれば、違うビット串対応の時間間隔で同じでない。
本実施例のオプション実施方式では、現下のデータ伝送時間のパラメータを2N長さをNの中でそれぞれのビットビット串串と時間の間隔の対応関係。中には、現在のデータ伝送の時間のパラメータはあらかじめ送信側と協議し、又は、送信側から送ったデータによって、例えば、送信側が送信データの前に、先に発送握手信号、握手と信号を受信側に伝送当面データ伝送時間パラメータ、具体的な本しない限定実施例。したがって、本実施例のオプション実施方式では、上記の対応関係を前に、確定可能時間パラメータ。
もちろん、これに限らない、本実施例の別のオプション実施方式では、こともできない時間によってパラメータを上記の対応関係ではなく、あらかじめ設定したルールを得て、直接上記の対応関係について、例えば、N＝いちの場合、直接約束よりッター0とビット対応のいち時間間隔で、例えば、それぞれじゅうμsとじゅうごμs。または、上記の対応関係を受信しておくこともでき、具体的に本実施例は限定しない。
は時間によってパラメータを上記の対応関係の場合は、データの受信側採用とデータの送信側事前協議決定するの計算方法とデータビット計算の時間間隔のときのようなN＝n、送信データビットmの時間間隔TM＝etu+m * pdt（0 m≦≦2n-1）も他の事前協議を採用することができるの計算方法確定時間間隔で、本実施例の具体的な制限はしない。事前協議を通じての計算方法を算出するこのデータビットの時間間隔で、保証データの伝送の拡張性、すなわちどんなにNのことはいくらで、送信側と受信側も計算データビットの時間間隔。
ステップS1504、受信に指示データ伝送開始の合図として、この信号は第一個の有効信号。
本実施例に指示データ伝送開始の合図はデータの伝送の第一個のデータ信号、例えば、予定の時刻（同時刻、受信側と送信側約束確定）の受信後、初めてのデータ信号、またはそれを送信側にデータを受信側から前に受信側に送って握手信号は、データの伝送開始の合図に指示も受信送信側からの握手信号の中の最後の信号。本実施例、握手信号は、送信側に指示データ送信受信側の開始時の信号は、また、本実施例の中で、送信側も握手と信号伝送上記時間パラメータ。
ステップS1506、引き続き受信、判断を受信する第Z信号のスタート時には、前の有効信号のスタート時の時間間隔を得るかどうかの通りの対応関係の中の一つの時間間隔で、もしは、第Z信号を有効に信号を記録、そのうち、Z＝いち、に、さん、よんしよ、……Y、Y、Yは受信し続ける信号の数で、Yは正の整数である、
順次判断を通じて受信第Z信号のスタート時には、前の有効信号のスタート時の時間間隔で、上記の対応関係かどうかに記録の時間間隔で、第Y信号まで判断が終わるまでは、該当する要求の信号を記録して捨てない信号が効果、該当する要求の信号が有効ろ過落ちチャネルの雑音信号、保証データの伝送の正確性と完全性。
例えば、当面の伝送時間パラメータを第1時間パラメータetuと第二時間パラメータpdt、そのetu＝じゅうμs、pdt＝ごμsを例にして、N＝に時、ステップS1502中に時間を長さの違うパラメータにデータビット対応の時間間隔で、表に示す。
【表２】
2018527790.tif 000005
受信データ伝送用で指示開始の合図の第一個の有効信号免許の後、仮にじゅうμs後受信第いち信号その信号の開始時刻と初めて有効信号のスタート時の時間間隔をじゅうμs、同時間間隔と表2：00により串対応の時間間隔で同じため、信号を有効に信号を記録、信号を第2の有効信号C 2し、その第2の有効信号C 2の開始時に。
第に受け続け、信号は、計算を同信号の始まり時刻と第2の有効信号C 2の始まり時の時間間隔をじゅうろくμs、同時間間隔と表2ビット串00、01、じゅうとじゅういちに対応した時間間隔は同じではないため、信号を有効に信号をこの信号記録を無効にする信号Dは、当該無効信号Dを捨てて。
受信第Z信号（Z＝さん）に、その信号を計算する必要の開始時刻と第2の有効信号C 2のスタート時の時間まで、このため、判断を受信第Y信号が終わるまで。最後に入手ろく有効信号（C 1〜C6）。
本実施例のオプション実施方式では、受信初めて有効信号と受け続けてのY信号は検出されY+1度ローレベルパルスは、検出されY+1度高いレベルパルス。同ローレベルパルス/高レベルのパルスを採用することができる方形波、正絃波、三角波などに分けて高低レベルパルスの波形表示、ここは限定しません。好ましいを検出した低レベルパルス、すなわち送信側で受信側を提供し、高レベルの情況の下で、低レベルパルス、この方式では、受信側送信側と通信の時、受信側を使用できるように送信側提供の高レベルの電源として、受信側の消費電力を提供する電気部品例えば、受信側が利用できる送信側提供の高レベルの充電方法の設備を採用し、情報を交互に一本の線を使うと同時に完成給電と情報を受信し、小さくなった設備の体積や製造コスト。
ステップS1508、受け取るY信号による判定結果を得た後、、X有効信号、中に、X≦Y+1、しかもXは正整数。
受信完Y信号を経て、ステップS1506の処理、X有効信号、フォローアップの復号化の過程の中で、当該X有効信号で復号化し、その結果を送信側のデータ送信。
本実施例の提供するを通じて上述の方法に指示、受信データ伝送開始の合図の後、その信号記録を有効に信号を受信ごとに、後続の信号は、この信号が前の有効信号の間の間隔を判断して、もしその時の間との間隔は長さをN任意のビット串対応の時間間隔は、この信号無視すれば、時間の間隔はと長さをNのその中の１つのビット串対応の時間間隔は、この信号記録を有効に信号を通じて、この方法を効果的に手紙とノイズ干渉信号を高め、データの伝送の正確性と安定性。
本申請実施例のオプション実施案では、手順S1508後は、さらに効果的にX信号で復号化し、X有効信号伝送のビットシリアル。したがって、ステップS1508後、同方法を含む可能ステップS1510からステップS1514（図に未を示す）。
ステップS1510、確定のX有効信号に隣接する2つの信号ごとの始まりの時の間の時間間隔で、得X-1時間間隔。
ステップS1512に取得の対応関係をX-1時間間隔で各連続Sの時間間隔で1時間間隔対応ビットの串を得て、このSの時間間隔伝送のビット串、中に、同Sの時間間隔伝送のビット串は上記1時間対応ぶりのビット串、S＞いちの情況の下で、前記Sの時間間隔が同じで、Sは正整数で、S X-1≦。
本実施例のオプション実施方式では、X-1＝n * S、nですいちかつnを整数を採用し、このオプション実施方式、X信号伝送n * Sまた同じことができるデータビットではないが、余分な信号による復号化問題ない。
ステップS1514、X-1時間間隔で各連続Sの時間間隔伝送のビット串をつなぎ合わせて、得X-1時間間隔のビットシリアル伝送。
例えば、仮にＸ＝きゅう、く、S＝いち、ステップS1510で得はちの時間間隔で、それぞれの時間間隔対応ビット串順に「01」、「00」、「01」、「じゅう」、「じゅういち」、「じゅう」、「00」と「01」は、最後に入手このご時間間隔伝送のビットシリアルを「0100011011100001」。
本申請実施例のオプション実施案では、手順S1514た後、さらに得たビットシリアルで復号化し、得X-1時間間隔伝送のビットシリアル、復号化した時に、はち位でビット組組成のバイトの時間間隔で、その結果X-1伝送データ。
さらに、X-1時間間隔伝送のビットシリアルも含む検査ビット、例えば、最後のバイトを検査位と、さらなる同検査位に検査ビット前のデータの完全性検査。データの完全性検査を含むがこれに限らない、CRC奇偶検査、デジタル署名、取りや検査、MAC検査など。
本実施例のオプション実施方式では、受信第Z信号の始まりの時は、前の信号のスタート時の時間間隔はデフォルト値より大きい。オプションでステップS1504完成受信初めて有効信号後、受信側のハードウエア層ろ過落ち当面信号の始まり時刻と前の信号のスタート時の時間間隔がデフォルト値の当面の信号は、受信側のMCUいやこの信号は何一つも鳴るだけでは、現在信号の始まり時には、前の信号のスタート時の時間間隔はイコールデフォルト値の現在の信号（すなわち第Z信号）を高めることができて応え、後続の有効信号検出効率減ってMCUの作業負荷。
さらに、上述のハードウエア層のフィルタを採用することができる以下方式：受信側からの信号を受信機に受信の第一個の有効信号のスタート時Tからクロノグラフ、T +デフォルト値の範囲内のいかなる信号を受信しない時間で、自T +デフォルト値この瞬間から重い新から受信信号受信信号まで第Z（Z＝いち）を、同第Z信号（Z＝いち）の開始時刻と新たなT、上記の手順を繰り返し、受信まで第Y信号まで。
さらに、上記の設定値は、取得した対応関係に記録された時間間隔の最小値になることができます。現在の信号の開始時から、前の信号のスタート時の時間間隔が同対応関係の中の時間間隔の最小値は、その現在の信号に属していないS1506きっとステップ中の有効信号を受信しないために、この現在信号。
本申請実施例のオプション実施案では、引き続き受信Y信号の中が含めて送信側からのAが信号（Aですいちしかも整数）、又は、続いてY信号を受信後、送受信端から送られてきたAが信号。終瞭信号と同じ握手信号は、他の特定のフォーマットの信号を通じて、終瞭の信号は、受信側がデータビット串受信終わりかどうか判断。
実施例12
本実施例を提供する1種の受信装置、装置に執行実施例じゅうで述べた受信方法、受信装置を実施例よんしよ中のデータを受信装置、すなわち本実施例の中に説明受信装置の機能としての実施例よんしよ中のデータを受信装置機能の追加。
本実施例では、受信装置は、できるだけとは限らないスマートカードと/あるいは知能キー設備と/あるいは動態パスワードの札の機能の電子決済設備。
図じゅうろくは本実施例の提供する1種の受信装置の構造の案内図図じゅうろくに示すように、この装置は主に：時間間隔をユニット120、吸収ユニット110、記録ユニット140、判断ユニット130と有効信号取得ユニット150。次に説明を行う。
時間間隔をユニットを得るために、120、2Nの長さをNの中でそれぞれのビットビット串串と時間間隔の対応関係で、その中、2Nのビット串別個、しかも違うビット串対応の時間間隔と違って、Nですいち。
本実施例のオプション実施方式では、時間の間隔を通じてユニット120以下の方式を上記の対応関係：確定当面データ伝送時間パラメータ、に沿って、前記時間パラメータを2N長さをNの中でそれぞれのビットビット串串と時間の間隔のごとく対応関係。中には、現在のデータ伝送の時間のパラメータはあらかじめ送信側と協議し、又は、送信側から送ったデータによって、例えば、送信側が送信データの前に、先に発送握手信号、握手と信号を受信側に伝送当面データ伝送時間パラメータ、具体的な本しない限定実施例。
もちろん、これに限らない、本実施例の別のオプション実施方式では、ユニット間隔を120こともできない時間によってパラメータを上記の対応関係ではなく、あらかじめ設定したルールを得て、直接上記の対応関係について、例えば、N＝いちの場合、直接約束ビット0とビットいち対応の時間間隔で、例えば、それぞれじゅうμsとじゅうごμs。または、上記の対応関係を受信しておくこともでき、具体的に本実施例は限定しない。
は時間によってパラメータを上記の対応関係の場合、時間間隔をユニット120採用とデータの送信側事前協議して計算方法計算の長さをNのビット串に対応した時間間隔のときのようなN＝n、発送長さｎのビット串に対する時間間隔Tm＝etu+m *  pdt（0 m≦≦2n-1）を採用することもできるほか、あらかじめ協議の計算方法確定時間間隔で、本実施例の具体的な制限はしない。事前協議を通じての計算方法を算出するこのデータビットの時間間隔で、保証データの伝送の拡張性、すなわちどんなにNのことはいくらで、送信側と受信側も計算データビットの時間間隔。
本申請実施例のオプション実施案では、受信装置も含め更新時間パラメータユニットのための交換時間をパラメータをトリガ時間間隔ユニット更新上述の対応関係、つまり時間パラメータユニットにデフォルト規則を更新し、現在の時間をパラメータに代える新しい時間パラメータは、新しいパラメータの時間として当面データ伝送時間パラメータ、トリガ時間間隔をユニット201下新しい時間パラメータを得るの長さを再2N Nの中でそれぞれのビットビット串串と時間間隔の通りに関係する。本実施案では、新しい時間パラメータの確定することを通じてデータ送信装置やデータ受信装置完成の協議も、データ送信装置やデータ検索あらかじめメモリーの受信装置時間パラメーターリストを完瞭するなど、発送にあるタイプでデータを表確定タイプのデータを使用するべきである時間のパラメータ。データ送信装置の時間パラメータは変化が一緻することができますによって、データ処理能力のデータを受信装置、または一緻の異なるタイプのデータを、データ処理の効率を向上させ。。
受信ユニット110用に、Y+1受信信号、中に、同Y+1信号の中の第一個の信号を指示用データ伝送開始の合図で、そのうち、Y+1を受信信号の総数。
本実施例の中に指示、データ伝送開始の合図はデータの伝送の第一個のデータ信号、例えば、予定の時刻（同時刻、受信側と送信側約束確定）の受信後、初めてのデータ信号を送ったら、あるいは、受信側端に発データ前に、受信側に送って握手信号は、データの伝送開始の合図に指示も受信送信側からの握手信号の中の最後の信号。本実施例、握手信号は、送信側に指示データ送信受信側の開始時の信号は、また、本実施例の中で、送信側も握手と信号伝送上記時間パラメータ。
例えば、送信側のご送信の握手信号パラメータ、時間を含む2：etuとpdt握手し、ご信号の時間間隔でそれぞれ：t0、t 1 t 2とは、ワインをt0＝etu、t 1＝etu+pdtは、受信側によると確定することができt0 t 1時間etuとパラメータpdtのこと、あるいは、によっても第二時間間隔組中のt 2とワインは確定して、2t2＝2etu、2t1＝に（etu+pdt）、受信側によるとワインも確定できt 2時間etuとのことpdtパラメータ。あるいは、t0とt 1も満足できるその他の関係を通じて、限りt0とt 1のことを得ることができる時間etuとのことでpdtパラメータ。また、もし時間パラメータが一つだけは直接できKの握手信号の中の一つの時間間隔で決定するこの時間パラメータ、あるいは、もし時間が3つのパラメータは、Kの握手を通じて信号の間の時間間隔で満足の関係によって確定３時間パラメータのこと具体的な実施例、もう贅言。Kの信号を通じて握手するパラメータを克服する時間、受信側の理論と実際の時間パラメータ時間パラメータが一緻しない場合には、データの伝送の正確性を保障する。
記録ユニット140は、データ転送開始を指示するための信号を第一の有効信号とする。
判断ユニット130、受信に判断第Z信号のスタート時には、前の有効信号のスタート時の時間間隔を得るかどうか時間間隔ユニット120取得の対応関係の中の一つの時間間隔で、その中、Z＝に、さん、よんしよ、……Y。
記録ユニット140、有効と判断する信号にユニット第Zの信号の開始時には、前の有効信号のスタート時の時間間隔を取得するための対応関係の中の一つの時間間隔の場合は、第Z信号記録を有効に信号。
有効信号取得ユニット150され、記録によればユニットの記録を得て、X有効信号、中に、X＜Y、しかもXは正整数。
たとえば今伝送時間のパラメータを2時間のパラメータ、つまり第一時間パラメータetuと第二時間パラメータpdt、そのetu＝じゅうμs、pdt＝にじゅうμs。Ｎ＝いち時に時間の長さをいちのパラメータをビット串（つまりいちビットのデータやいち位ビット串）に対応した時間間隔、すなわち0対応の時間間隔をetu、いち対応の時間間隔をpdt。受信ユニット110確定第いちの信号を有効に信号の後、このうち、受信に第2信号、判断ユニット130の判断で、信号の開始時刻と初めて有効信号C 1のスタート時の時間間隔をじゅうごμs、同時間間隔といち位ビット串0といちに対する時間の間隔は同じないため、信号は有効信号は、同信号記録を無効にする信号Dは、当該無効信号Dを捨てて。
判断ユニットじゅうさん続けて判断第さんの信号のスタート時刻と初めて有効信号C 1のスタート時の時間間隔をにじゅうμs、同時間間隔といち位ビット串いちに対応した同じ時間間隔ため、信号は有効信号、記録ユニット140当該信号記録を第2の有効信号C 2し、その第2の有効信号C 2の開始時に。
判断ユニットじゅうさん第よんしよ信号継続判断の開始時刻と第2の有効信号C 2のスタート時の時間間隔……このため、受信に至るまで、判断の第Y+1信号が終わるまで。
本申請実施例のオプション実施案で、第Zの信号のスタート時には、前の信号のスタート時の時間間隔はデフォルト値より大きい。すなわちこのオプション実施案では、最初の有効信号を受信した後、受信装置のハードウエア層ろ過落ち当面信号の始まり時刻と前の信号のスタート時の時間間隔がデフォルト値の当面の信号は、受信側のMCUいやな信号に応答だけでも、当面の信号開始時刻と前の信号のスタート時の時間間隔はイコールデフォルト値の現在の信号（すなわち第Z信号）を高めることができて応え、後続の有効信号検出効率MCUの仕事が減ってマイナス荷。
さらに、上述のハードウエア層のフィルタを採用することができる以下方式：受信装置の信号を受信機から受信の第一個の有効信号のスタート時Tからクロノグラフ、T +デフォルト値の範囲内のいかなる信号を受信しない時間で、自T +デフォルト値この瞬間から再スタート受信信号受信信号まで第Z（Z＝に）を、同第Z信号（Z＝に）の開始時刻と新たなT、上記の手順を繰り返してまで、第Y+1受信信号まで。
さらに、上述のデフォルト値を取得ユニット間隔120取得の対応関係の中の時間間隔の最小値。現在の信号の開始時から、前の信号のスタート時の時間間隔が同対応関係の中の時間間隔の最小値、きっと当面信号は有効信号を受信しないので、この現在信号。
有効信号取得ユニットを有効に150 X信号後、受信装置によってX有効信号で復号化し、送信側のデータを送信。したがって、本実施例の申請のオプション実施案では、受信装置は含む：確定ユニットにX確定を有効に隣接する信号二つの信号のスタート時の間の時間間隔で、得X-1時間間隔で、その中、X≦Y +いち、しかもXを正整数；データ取得ユニットに取得の対応関係によって、X-1取得の時間間隔で各連続Sの時間間隔で1時間間隔対応ビットの串を得て、Sの時間間隔伝送のビット串、そのうち、このSの時間間隔で伝送するビットの串を1時間間隔対応ビットの串いち、S＞の情況の下で、このSの時間間隔が同じで、Sは正整数で、S≦X-1；切り替えユニットには、X-1時間間隔で各連続Sの時間間隔伝送のビット串を切り替え、X-1までの時間間隔で伝送するビットの串。
本実施例のオプション実施方式では、X-1＝n * S、nですいちかつnを整数を採用し、このオプション実施方式、X信号伝送n * Sまた同じことができるデータビットではないが、余分な信号による復号化問題ない。
任意に、得たX-1時間間隔伝送のビットシリアルで復号化し、得X-1時間間隔伝送のデータは、復号化した時に、はち位でビット組組成のバイトし、その結果X-1時間間隔のデータ伝送。
本申請実施例のオプション実施案では、X-1時間間隔伝送のビットシリアルも含む検査ビット、例えば、最後のバイトを検査位、当該受信装置も含む検査ユニットには、X-1時間間隔伝送のビット串で復号化し、得X-1時間の間隔のデータ伝送し、X-1時間間隔のデータ伝送データの完全性検査。データの完全性検査を含むがこれに限らない、CRC奇偶検査、デジタル署名、取りや検査、MAC検査など
本実施例の中で各ユニットの執行の具体的な操作がさらに参照実施例いちの各オプションの実施計画の具体的な説明で、もはや贅言。
実施例13
本実施例を提供する1種の受信装置、受信装置に使うことができじゅういち執行実施例の描く受信方法、また、受信装置を実施例よんしよ中のデータを受信装置、すなわち本実施例の中に説明できる受信装置の功としてよんしよで実施例データ受信装置の機能の追加。
本実施例の提供する受信装置と実施例じゅうにの描く受信装置の違いは、実施例12中受信ユニット110受け取るY+1信号から判断ユニット130順次各信号を有効かどうか判断信号、本実施例の中、確かに初めて有効かも、信号と受信ユニット220すべて受信信号230すなわち判断ユニットの判断で、信号を有効かどうか信号。実施例12に比べて、本実施例で提供される方法の効率はさらに高い。
図じゅうななじゅうしちを本実施例が提供した受信装置の構造の案内図図じゅうななじゅうしち通り、受信装置は主に：時間間隔をユニットを得るために、2N  210、長さをNの中でそれぞれのビットビット串串と時間間隔の対応関係で、その中、2Nのビット串互違う、違う串かつビット対応の時間間隔と違って、Nですいち;受入ユニット220、受信用に指示データ伝送開始の合図として、信号を初めて有効信号、そして引き続き受信を判断するユニット230に判断し、次のユニット220を受け続けて第Zの信号のスタート時前の有効信号のスタート時の時間間隔を得るかどうか時間間隔ユニット210取得の対応関係の中の一つの時間間隔で、その中、Z＝いち、に、さん、よんしよ、……Y、Yを受け続けての信号の数、Yは正整数；記録ユニット240さで判断をユニット230判断第Zの信号のスタート時には、前の有効信号のスタート時の時間間隔時間間隔を得るユニット210の対応関係の中の一つの時間間隔の状況の下で、第Z信号記録を有効に信号；有効信号取得ユニット250され、記録によればユニット240の結果を記録、受信ユニット220受信Y信号の中のX有効信号。
本申請実施例のオプション実施案の中に指示データ伝送開始の合図をデータ伝送の第一個のデータ信号やを受信ユニット220受信の握手信号での最後の信号。
本申請実施例のオプション実施案では、時間の間隔を通じてユニット220以下の方式を2Nの長さをNの中でそれぞれのビットビット串串と時間間隔の対応関係：確定当面データ伝送時間パラメータ、に沿って、前記参数時間の長さを取得2N Nのビット串串の中でそれぞれのビットと時間間隔のごとく対応関係。
本申請実施例のオプションの実施計画では、同受信装置は含む：確定ユニットにX確定を有効に隣接する信号二つの信号のスタート時の間の時間間隔で、得X-1時間間隔で、その中、X≦Y+1、しかもXは正整数；データ取得ユニットによって、使用時間間隔をユニット220取得の対応関係をX-1時間間隔で各連続Sの時間間隔で1時間間隔対応ビットの串を得て、Sの時間間隔伝送のビット串、そのうち、このSの時間間隔で伝送するビットの串を1時間間隔に対応するビット串、S＞いちの場合、このSの時間間隔が同じで、Sは正整数で、S≦X-1；切り替えユニットには、X-1時間間隔で各連続Sの時間間隔伝送のビット串をつなぎ合わせて、得X-1時間間隔伝送のビット串。
本申請実施例のオプションの実施計画では、同受信装置も含む検査ユニットには、X-1時間間隔伝送のビット串で復号化し、得X-1時間間隔のデータ伝送し、X-1時間間隔のデータ伝送データの完全性検査。
具体的な応用の中で、本実施例の提供する受信装置の上述の各ユニットによって実施例に述べた方式実行対応の操作で、具体的にもう贅言。
実施例14
本実施例を提供したお伝送方法によると、図じゅうはち通り、本実施例1種数によると方法を提供する伝送主に以下の手順S1801からステップS1806。
ステップ：K S1801受信信号。
Kをあらかじめ設定値、Kさんは奇数でKです、例えばプリセットK＝ごとき、そんなにご累計受信信号を受信する場合は、にご信号処理し、本実施例の提供する方法を通じて、Kの信号の間の時間間隔の関係を判断することができるかどうか受信データから、つまり、もし満足デザイン関係はKの信号の後から受信データは、このKの信号として指示から受信データの握手信号；その中、信号を受信パルス信号、つまり高レベルパルス信号（上昇に沿って手紙号）、あるいは低レベルパルス信号（下がりに沿って信号）、パルス信号は方形波、正絃波、三角波や他の不規則波形は、上記の組み合わせによって波形。
本実施例では、K個の信号を受信し、以下のように少なくとも1つを含む：
方式1：K次低レベルパルスまで検出、
この方式では、検出できる端末が連続高レベルでのK回低レベルパルスは、例えば、高レベル検出後しばらく検出いち度ローレベルパルス、そしてまた高レベルの状態まで回復検査を経て、しばらくの時間以降に、またいち度低い電検出平パルスは、このような方式でKまで回連続測定低レベルパルス、
方式2：K次高レベルパルスまで検出された、
この方式では、検出できる端末が連続低レベルのK回高レベルパルスは、例えば、低レベルの検出後しばらく検出いち度高いレベルパルス、そして再び回復低レベル検出の状態を経て、しばらくの時間以降に、またいち度高い電検出平パルスは、このような方式で連続測定Kまで度高いレベルパルス、
上記の方式で、Kの信号は跳ね上がる信号、しかも跳ね上がる幅は明らかに、便利と雑音信号を分けて。
ステップS1802：検出Kの信号に隣接するごとに2つの間の時間間隔。
本実施例で、その連続受信信号検出ＫＫ後、合図に隣接する2つの信号の間の時間間隔で、オプションにが、Ｋの信号を連続高レベルでのKの低レベルの信号の時、低レベルの信号確定第pの開始時から第p+1つ電気信号の開始時に低平の間の時間は第pと第p+1信号の間の時間間隔で、同様にが、Ｋの信号を連続低レベルの高レベルの信号にK、確定第p高レベルの信号の開始時から第p+1高レベルの信号の始まり時の間の時間は第pと第p+1信号の間の時間間隔で、その、いち≦p≦K - 1、しかもp自然数として1種のオプションの実施を通して、方法すべてのパルス信号検出の開始時、それによって正確に隣接する2つの信号を開始時刻の時間間隔。
ステップS1803：判断第一時間間隔と第二時間間隔との間には満足デザイン関係。
本実施例として1種のオプションの実施方法は、ステップS1803で1時間間隔はｉ番目の信号の始まりと第i-1信号の開始時の間の時間間隔で、第二時間間隔はｉ番目の信号の始まりと第i+1信号の開始時の間の時間間隔で、その中、i＝に、よんしよ、……、2j、j＝（K - 1）/に、Kさんは奇数でKです；サンプル性のが、Ｋ＝ごとき、ごの信号に隣接する2つの間ごとに発生の時間間隔でよんしよi＝になる時、第1時間間隔は第一個の信号と二番目の信号開始時の間の時間間隔で、表記をt0、第二時間間隔を第2の信号と三つ目の信号を開始時の間の時間間隔で、表記をt 1 i＝よんしよ;とき時、第1時間の間隔を三つ目の信号と第4の信号開始時刻の間の時間間隔で、マークをt 2、第二時間間隔が第4号と手紙第ご信号開始時刻の間の時間間隔で、表記はワイン。判断の第1時間間隔と第二時間間隔との間にはいわゆる満足デザイン関係、と判断t0 t 1の間や、t 2とワインとの間には共に満足デザイン関係によって、このデザイン関係の技術者の経験を確定して、あるいは実際に実行時のパラメータかも確かに限り、保証が満たされるというデザイン関係確かにこのKの信号を指示から受信データの握手信号。つのオプションの実施方法として、デザイン関係をt 1＝a * t0かつワイン＝a * t 2 ;や、t 1＝（a + b）* t0かつワイン＝（a + b）* t 2 ;や、t 1＝（c * a + b）* t0かつワイン＝（c * a + b）* t 2、その中で、a、b、cをですいちの自然数、例えば、a =に、同デザイン関係は多種類、ここはもう贅言。
ステップS1804：確定第一時間間隔組と/あるいは第二時間間隔組。
その中に、第時間間隔を含む第一組j時間間隔で、第二時間間隔組を含むj二時間間隔、j＝（K - 1）/に、Kさんは奇数でKです。iを取ることによってないときとともに、Kの信号発生のK - 1時間の間隔を生むシリーズの第一時間間隔と第二時間間隔で、複数の異なるの最初の時間間隔で選択少なくともいちになって第一時間間隔組が、同様に、複数の異なるからの第二時間間隔選んで少なくともいちの第二時間間隔組、例えば、K＝ごとき、ご信号発生間隔で第1時間t0、t 2、および第二時間間隔t 1、ワインは、この時、t0を取り、t 2として第一時間間隔組を取って、t 1、ワインは第二時間ぶりに組本実施例のは限界第一時間間隔組や第二時間間隔組中時間間隔の数は少なくともひとつのことを通じて、このような方式を決定することができます第一時間間隔組と/あるいは第二時間間隔組、ように時間間隔分類処理を行う。
ステップS1805：もし一時間間隔と第二時間間隔満足デザイン関係によって、前記第一時間間隔はグループ中の少なくとも一時間間隔と/あるいは前記第二時間間隔のグループに少なくとも1つの第二時間間隔確定当面データ伝送時間参数。
ステップS1805によって前記第一時間間隔のグループに少なくとも一時間間隔と/あるいは前記第二時間間隔のグループに少なくとも1つの第二時間間隔で、具体的には、第一時間間隔組中の少なくとも2つの最初の時間間隔で確定当面データ伝負けた時間のパラメータによって第二時間間隔のグループに少なくとも二つの第二時間間隔確定当面データ伝送時間パラメータも第一時間間隔のグループに少なくとも一時間間隔と第二時間間隔のグループに少なくとも1つの第二時間間隔共同確定当面データ伝送時間パラメータ、かつ第一時間間隔と第二時間間隔は隣接する。
本実施例では、確定した第一時間間隔組や第二時間間隔組で、そのｉ番目の信号と第i-1信号の間の最初の時間間隔とｉ番目の信号と第i+1信号の間の第二時間間隔は満足デザイン関係の時、Kの信号を判定有効な握手信号は、この時、第一時間間隔組によって、または第二時間間隔組、または第一時間間隔組や第二時間間隔組とデータの送信側にあらかじめ約束の時間にパラメータ生成ルール、確定当面データ伝送の時の間にパラメータ、中に、あらかじめ約束の時間にパラメータ生成ルールは保証各データビット符号化方式の唯一の前提の下で、任意の種類の方式を選ぶことができる時間をパラメータの確定、
例えば、私K＝ごとき、ごの信号に隣接する2つの間の発生の時間間隔でよんしよi＝になる時、第1時間間隔は第一個の信号と二番目の信号を開始時の間の時間間隔で、表記をt0、第二時間間隔を第2の信号と第三つの信号開始時刻の間の時間間隔で、表記をt 1 i＝よんしよ;とき時、第1時間の間隔を三つ目の信号と第4の信号開始時刻の間の時間間隔で、表記をt 2、第二時間間隔が第4の信号と第ご信号開始時刻の間の時間間隔ワインは、マークは、これを例によって、以下のように一時間間隔のグループに少なくとも一時間間隔と/あるいは前記第二時間間隔のグループに少なくとも1つの第二時間間隔確定当面データ伝送時間パラメータのやり方の詳細。
本実施例の一つとしてのオプションの実施方式、選択しt0とt 2第1時間間隔組によって、一時間間隔組確定当面データ伝送の時間の時間を含むパラメータは、パラメータ第1時間パラメータetuと第二時間パラメータpdt、etuとpdtはt0とt 2唯一表の通りに、etuとpdtの値t0 t 2の値によると、任意計算方を獲得し、サンプル性、etuとpdt採用以下のいずれかの計算の方式を獲得し、もちろん、限らず以下の計算の方式：
etu=t0，pdt=（t0-t2）/5；
etu=t0+t2，pdt=（t0+t2）/10；
etu=t0+t2/2，pdt=(t0-t2)/5；
etu=t2，pdt=（t0-t2）/15；
……..
本実施例として別の1種の方式として選択t0オプションを実施し、第一時間間隔組によって、一時間間隔組確定当面データ伝送の時間の時間を含むパラメータは、パラメータ第1時間パラメータetuと第二時間パラメータpdt、etuとpdtはt0唯一は、etuとpdtの値によるとt0の値を任意計算の方式を獲得し、サンプル性、etuとpdt採用以下のいずれかの計算の方式を獲得し、もちろん、限らず以下の計算の方式：
etu=t0，pdt=t0/5；
etu=2*t0，pdt=t0/10；
etu=t0/2，pdt=t0/5；
etu=t0/3，pdt=t0/15；
……..
本実施例として別の1種の方式を選ぶのオプションの実施、t 1とワインは第二時間間隔組によって、第二時間間隔組確定当面データ伝送の時間の時間を含むパラメータは、パラメータ第1時間パラメータetuと第二時間パラメータpdt、etuとpdtはt 1とワインは唯一は、etuとpdtの値によるとワインの値を通じてt 1任意計算方を獲得し、サンプル性、etuとpdt採用以下のいずれかの計算の方式を獲得し、もちろん、限らず以下の計算の方式：
etu=t1，pdt=（t1-t3）/5；
etu=t1+t3，pdt=（t1+t3）/10；
etu=t1+t3/2，pdt=(t1-t3)/5；
etu=t3，pdt=（t1-t3）/15；
……..
本実施例として別の1種の方式として選択t 1オプションを実施し、第二時間間隔組によって、第二時間間隔組確定当面データ伝送の時間の時間を含むパラメータは、パラメータ第1時間パラメータetuと第二時間パラメータpdt、etuとpdtはt 1唯一は、etuとpdtの値に応じてt 1の値を任意計算の方式を獲得し、サンプル性、etuとpdt採用以下のいずれかの計算の方式を獲得し、もちろん、限らず以下の計算の方式：
etu=t1，pdt=t1/5；
etu=2*t1，pdt=t1/10；
etu=t1/2，pdt=t1/5；
etu=t1/3，pdt=t1/15；
……..
本実施例として別の1種の方式として選択t0オプションを実施し、第一時間間隔組、ワインとして選択第一時間間隔組によって、一時間間隔組や第二時間間隔組確定当面データ伝送時間のパラメータは、パラメータの第1時間は参数時間を含むetuと第二時間パラメータpdt、etuとpdtはt0唯一とワインは、etuとpdtの値によるとt0ワインの値を任意計算の方式を獲得し、サンプル性、etuとpdt採用以下のいずれかの計算の方式を獲得し、もちろん、限らず以下の計算の方式：
etu=t0，pdt=t3/5；
etu=2*t0，pdt=t3/10；
etu=t0/2，pdt=t3/5；
etu=t0/3，pdt=t3/15；
etu=t0+t3，pdt=t0+t3/5；
etu=t0/3+t3，pdt=t0+t3/15；
……..
同様に、ときにK＝ななしち時、信号の2つの間に隣接するななしち共が生じるろく時間間隔がi＝にした時に１時間間隔は第一個の信号と二番目の信号を開始時の間の時間間隔で、表記をt0、第二時間間隔を第2の信号と第三つの信号開始時刻の間の時間間隔で、表記をt 1 i＝よんしよ;とき時、第1時間の間隔を三つ目の信号と第4の信号開始時刻の間の時間間隔で、表記をt 2、第二時間間隔が第4の信号と五つ目の信号開始時刻の間の時間間隔ワインは、マークを；i＝ろく時から1時間の間隔を五つ目の信号と六番目の信号開始時刻の間の時間間隔で、表記をt4、第二時間の間隔を六番目の信号と七番目の信号開始時刻の間の時間間隔で、そのマークをt 5；、オプションをt0 t 2として、t4第一時間間隔組も選択t 1、ワインとt 5第二時間間隔組によって、一時間間隔組中の少なくとも2つの最初の時間間隔で確定当面データ伝送時間パラメータによって、第二時間間隔のグループに少なくとも二つの第二時間現在のデータ伝送の時間間隔確定パラメータも第一時間間隔のグループに少なくとも一時間間隔と第二時間間隔のグループに少なくとも1つの第二時間間隔共同確定当面データ伝送時間パラメータで、一時間間隔と第二時間間隔でない時間etuと隣接しており、パラメータpdtの取得方式は唯一、別の計算の方式を採用して、第一時間間隔組と/あるいは第二時間間隔組任意取得、具体的の取得方式を参考にできるK＝ごときの方案、これはもう贅言しない。
K＝さんが、さんの信号に隣接する2つの間の発生の時間間隔共に、ときに、i＝にした時に１時間間隔は第一個の信号と二番目の信号を開始時の間の時間間隔で、表記をt0、第二時間間隔を第2の信号と第三信号を開始時の間の時間間隔で、表記をt 1；これを例によって、以下のように一時間間隔のグループに少なくとも一時間間隔と/あるいは前記第二時間間隔のグループに少なくとも1つの第二時間間隔確定当面データ伝送時間パラメータのやり方で詳細説明。
本実施例として別の1種の方式として選択t0オプションを実施し、第一時間間隔組によって、一時間間隔組確定当面データ伝送の時間の時間を含むパラメータは、パラメータ第1時間パラメータetuと第二時間パラメータpdt、etuとpdtはt0唯一は、etuとpdtの値によるとt0の値を任意計算の方式を獲得し、サンプル性、etuとpdt採用以下のいずれかの計算の方式を獲得し、もちろん、限らず以下の計算の方式：
etu=t0，pdt=t0/5；
etu=2*t0，pdt=t0/10；
etu=t0/2，pdt=t0/5；
etu=t0/3，pdt=t0/15；
……..
本実施例として別の1種の方式として選択t 1オプションを実施し、第二時間間隔組によって、第二時間間隔組確定当面データ伝送の時間の時間を含むパラメータは、パラメータ第1時間パラメータetuと第二時間パラメータpdt、etuとpdtはt 1唯一は、etuとpdtの値に応じてt 1の値を任意計算の方式を獲得し、サンプル性、etuとpdt採用以下のいずれかの計算の方式を獲得し、もちろん、限らず以下の計算の方式：
etu=t1，pdt=t1/5；
etu=2*t1，pdt=t1/10；
etu=t1/2，pdt=t1/5；
etu=t1/3，pdt=t1/15；
……..
本実施例の中で上記の確定当面データ伝送時間パラメータの具体的な実施方式はサンプル的に実施する方式で、本申請に排除しない他の時間によってパラメータ生成規則第1時間間隔組中の少なくとも2つの最初の時間間隔で、または第二時間ぶりによって間のグループに少なくとも二つの第二時間間隔によって、あるいは第一時間間隔のグループに少なくとも一時間間隔や第二時間間隔のグループに少なくとも1つの第二時間間隔、確定当面データ伝送時間パラメータの実施方式。
本実施例第一時間間隔組と/あるいは第二時間間隔組を確定することetu時間パラメータとpdtことによって、保証データ伝送に毎回送信側と、受信側にetuとpdtのことで一緻して、毎回データ伝送の安定性と正確性、たびたびデータ伝送前に受信側も送信側に送った握手情報は新たな時間パラメータetuとpdtの値を避け、週波数差が複数文字の連続加算による誤差累計、送信防止に有効に時計と受信時間パラメータの違いは大きい時、受信側によるサンプリングたりして、受信エラー、通信効率低下の問題。
本実施例として1種のオプションの実施方法、もし一時間間隔と第二時間間隔満足満足しないデザイン関係上記デザイン関係は続行受信握手信号の手順は、すなわち戻ってステップS1801。
本実施例のデータ伝送の方法を通じて毎回受信データによる情報に握手は新たな時間のパラメータは、保証を送信側と受信側の時間パラメータ終始一緻、保証データの伝送の安定性とカラーを採用し、信号パルス信号を伝負けやすいと雑音信号を分けて、すべての信号の上昇を検出するまたは下落沿いに沿って、容易に得るすべての信号の開始時、それによって正確に隣接する2つの信号を開始時の間の時間間隔にの時間間隔を判断信号間の時間間隔を満たすかどうか判断デザイン関係、届いた信号を有効かどうかの握手信号で、正確に判断過程迅速で、かつ高い成功率によって、一時間間隔と/あるいは第二時間間隔確定第1時間間隔組と/あるいは第二時間間隔組を一時間間隔組と/あるいは第二時間間隔組を確定することetu時間パラメータとpdtことによって、保証データ伝送に毎回送信側と、受信側にetuとpdtのことで一緻して、毎回データ伝送の安定性と正確性、たびたびデータ伝送前に受信側も送信側に送った握手情報は新たな時間パラメータetuとpdtの値を避け、週波数差が複数文字の連続加算による誤差累計、送信防止に有効に時計と次の収時間パラメータの差がとても大きい時、受信側によるサンプリングずれ、受信エラー、通信効率の技術問題。
実施例15
本実施例1種数を提供する方法によるとじゅうく伝送、図の通り、本実施例のデータ伝送方法は主にステップS1901からステップS1903。
ステップS1901：確定時間パラメータ。
本実施例としての中で一種のオプションの実施方法、時間のパラメータは第一時間パラメータと/あるいは第二時間パラメータは、説明を容易にするために、本実施例の中将の第1時間は覚えetuパラメータは、第二時間パラメータ記をpdt、第一時間パラメータetuと第二時間パラメータpdt均代表時間の値を、例えばetu＝コンマ１秒、pdt＝0 . 01秒、値はデータを送信側と協議して受信側、この時間のパラメータは握手の時間間隔を確定する信号送信受信側によると、受信信号の握手を確定して、もちろん、時間だけで1パラメータも多く時間のパラメータは、本実施例で説明を例に持ち、だけで時間のパラメータを例にして、利用に時間のパラメータ確定第一時間間隔組や第二時間間隔組だが、多くの時間を排除しないパラメータの場合。
手順通りによってS1902：時間一時間間隔パラメータ確定組目と２時間間隔組。
その中に、第時間間隔を含む第一組j時間間隔で、第二時間間隔組を含むj二時間間隔として本実施例の中で1種のオプションの実施の形態、第一時間間隔は、送信Kの握手信号の時、ｉ番目の信号の始まりと第i-1信号の始まり時の間の時間間隔で、Ti-1覚えたり、i、第二時間間隔は、送信Kの握手信号の時、ｉ番目の信号の始まりと第i+1信号の開始時の間の時間間隔で、Ti覚えたり、i+1、中に、i＝に、よんしよ、……、2j、j＝（K - 1）/に、Kさんは奇数でKです。
本実施例で説明が必要なことは、まず第一時間間隔組の中の第一時間間隔Ti-1、iと第二時間間隔組の中の第二時間間隔Ti、i+1一定のデザインとの関係を通じて、デザイン関係の有効性を保証することができて握手信号を受信側で受信この握手信号の後には、第一時間間隔Ti-1、iと第二時間間隔Ti、i+1のデザイン関係、判断し握手信号用指示から受信データの信号です；その次、第一時間間隔組の中の各一時間間隔Ti-1、iと第1時間パラメータetuおよび/または第二時間パラメータpdt一定のデザイン関係は、受信側では受信信号によって、握手した後、同じデザイン関係を通じて、受信した多くの最初の時間間隔計算第1時間パラメータe戒めと/あるいは第二時間pdtなパラメータを受信側によって第一時間パラメータetuおよび/または第二時間パラメータ計算をpdt伝送の時間間隔で対応ビットデータ。
本実施例では、１時間間隔組の中の第一時間間隔Ti-1、iと第二時間間隔組の中の第二時間間隔Ti、i+1一定のデザイン関係を含む可能の多くの種類、第一時間間隔組の中の各一時間間隔Ti-1、i 1時の間etuとパラメータ/または第二時間パラメータpdt一定のデザイン関係もいろいろに含む、以下、サンプル的な方法を説明する。
本実施例の一つとしてのオプションの実施の形態は、K＝ごを例にして、ごの信号に隣接する2つの間ごとに発生の時間間隔でよんしよi＝になる時、第1時間間隔T 1、には第一個の信号と二番目の信号開始時刻の間の時間間隔で、マークをt0、第二時間間隔T 2、さんを第2の信号と三つ目の信号を開始時の間の時間間隔で、表記をt 1 i＝よんしよ;とき時、第1時間間隔Ｔ３、よんしよを三つ目の信号と第4の信号開始時刻の間の時間間隔で、表記をt 2、第二時間間隔にチーム、ごを第4の信号と第ご信号開始時刻の間の時間間隔で、表記はワイン。この時、t0、t 2第1時間間隔組を取って、t 1、ワインを第二時間間隔組、第一時間間隔と第二時間間隔の間を満たしデザイン関係いわゆる、t0とt 1の間で、ワインの間やt 2と共に満足デザイン関係によって、このデザイン関係の技術者の経験を確定して、あるいは実際に実行時のパラメータを確定する。つのオプションの実施方法として、デザイン関係をt 1＝a * t0かつワイン＝a * t 2 ;や、t 1＝（a + b）* t0かつワイン＝（a + b）* t 2 ;や、t 1＝（c * a + b）* t0かつワイン＝（c * a + b）* t 2、その中で、a、b、cをですいちの自然数、例えば、a =に、同デザイン関係は多種類、ここはもう贅言。
以下、第一時間間隔組の第一時間間隔t0とt 2を例として、第一時間間隔組の中の各一時間間隔Ti-1、i t0、t 2と第1時間パラメータetuおよび/または第二時間パラメータpdt一定のデフォルトの関係を説明する：
第一時間間隔t0 t 2によると、一時間パラメータetuや第二時間パラメータpdt中の通過預設の時間パラメータ生成ルール生成をetuを例にして、t0とt 2を採用して以下のいずれかの計算の方式を獲得し、もちろん、デザインのパラメータを生成時間ルールに限らない以下の計算の方式：
t0= a*etu;
t2 =x*a*etu；
その中で、aはですいちの自然数、xを有理数ため、受信側を同じデザインの時間を利用してt0パラメータ生成ルールと計算するetu t 2。
あるいは、一時間間隔t0 t 2によると、一時間パラメータetuと第二時間pdt預設のパラメータを通じて時間パラメータ生成ルール生成、t0とt 2を採用して以下のいずれかの計算の方式を獲得し、もちろん、デザインに限らず時間パラメータ生成ルール以下計計算方式：
t0= a*etu+b*pdt;
t2 =x*a*etu+b*pdt；
その中で、a、bをですいちの自然数、xを有理数ため、受信側を同じデザインの時間を利用してt0パラメータ生成ルールと計算するとpdt etu t 2。
あるいは、一時間間隔t0 t 2によると、一時間パラメータetuと第二時間pdt預設のパラメータを通じて時間パラメータ生成ルール生成、t0とt 2を採用して以下のいずれかの計算の方式を獲得し、もちろん、デザインに限らず時間パラメータ生成ルール以下計計算方式：
t0= a*etu+b*pdt;
t2 = a*etu+ x*b*pdt；
その中で、a、bをですいちの自然数、xを有理数ため、受信側を同じデザインの時間を利用してt0パラメータ生成ルールと計算するとpdt etu t 2。
同様に、K=7の時、7つの信号が２つの間を隣り合って共に6つの時間間隔が発生するのが、i=2の時、第1時間間隔T1、2は1つ目の信号と2つ目の信号のために時間の間の時間間隔を始めて、0標記してtになって、第2時間間隔T2、3は2つ目の信号と3つ目の信号のために時間の間の時間間隔を始めて、1標記してtになります；i=4の時、第1時間間隔T3、4は3つ目の信号と4つ目の信号のために時間の間の時間間隔を始めて、2標記してtになって、第2時間間隔T4、5は4つ目の信号と5つ目の信号のために時間の間の時間間隔を始めて、3標記してtになります；i=6の時、第1時間間隔T5、6は5つ目の信号と6つ目の信号のために時間の間の時間間隔を始めて、4標記してtになって、第2時間間隔T6、7は6つ目の信号と7つ目の信号のために時間の間の時間間隔を始めます、標記をt 5；この時、t0、t 2とt4を一時間間隔組、t 1、ワインとt 5第二時間間隔組、第二時間間隔組のt 1、ワインとt 5と一時間間隔組のt0、t 2とt4それぞれ満足デザイン関係、つまりt0との間で、t 1 t 2とワインの間や、t4 t 5の間と共に満足デザイン関係によって、一時間パラメータetuおよび/または第二時間pdt預設のパラメータを通じて時間パラメータ生成ルール確定第一時間間隔組の最初の時間間隔t0、t 2とt4の値を通じて、デザインのルールを採用して違う時間パラメータ生成の方式は、例えば、一時間間隔t0、t 2とt4、第一時間パラメータetuや第二時間パラメータpdt中の通過預設の時間パラメータ生成ルール生成をetuを例にして、t0、t 2とt4採用以下のいずれかの計算の方式を獲得するもちろん、デフォルトの時間パラメータ生成規則は以下の計算方式に限らない：
t0= a*etu;
t2 =x*a*etu；
t4=2x*a*etu；
その中で、aはですいちの自然数、xを有理数ため、受信側を同じデザインの時間を利用してt0パラメータ生成ルール、t 2、t4計算するetu。
あるいは、一時間間隔t0、t 2とt4、第一時間パラメータetuと第二時間pdt預設のパラメータを通じて時間パラメータ生成ルール生成、t0、t 2、t4採用以下のいずれかの計算の方式を獲得し、もちろん、デザインに限らず時間パラメータ生成ルール以下の計算の方式：
t0= a*etu+b*pdt;
t2 =x*a*etu+b*pdt；
t4=2x*a*etu+b*pdt；
その中で、a、bをですいちの自然数、xを有理数ため、受信側を同じデザインの時間を利用してt0パラメータ生成ルール、t 2、t4計算するetuとpdt。
あるいは、一時間間隔t0、t 2とt4、第一時間パラメータetuと第二時間pdt預設のパラメータを通じて時間パラメータ生成ルール生成、t0、t 2とt4採用以下のいずれかの計算の方式を獲得し、もちろん、デザインに限らず時間パラメータ生成ルール以下の計算の方式：
t0= a*etu+b*pdt;
t2 = a*etu+ x*b*pdt；
t4= a*etu+2 x*b*pdt；
その中で、a、bをですいちの自然数、xを有理数ため、受信側を同じデザインの時間を利用してt0パラメータ生成ルール、t 2、t4計算するetuとpdt。
本実施例の中で上記の確定当面データ伝送の最初の時間間隔組や第二時間間隔組の具体的な実施方式はサンプル的に実施する方式で、本申請に排除しない他の時間によってパラメータ生成規則第1時間パラメータetuおよび/または第二時間パラメータpdt確定第一時間間隔組の最初の時間間隔実施方式も排除しないで、他の最初の時間間隔と第二時間間隔のデフォルトの関係。
本実施例通過時間パラメータetuおよび/またはpdtする第一時間間隔組、それによって保証毎回データ伝送に送信側と、受信側にetuとpdtのことで一緻して、毎回データ伝送の安定性と正確性、たびたびデータ伝送前に送信側も送った握手は新たな情報時間etuとpdtパラメータの値を避け、週波数差が複数文字の連続加算による誤差累計、送信防止に有効に時計と受信時間パラメータの違いは大きい時、受信側によるサンプリングたりして、受信エラー、通信効率低下の問題。
ステップS1903：発生送信をKの握手信号。
本実施例のオプションとして1種の方式で実施し、具体的な実施にあたって、発生送信をKの握手が含まれます：第1時間によって信号間隔組目と２時間間隔組発生送信をKの握手信号；その中、Kの握手信号の中の第一時間間隔と第二時の間の間隔の間を満たし上記デフォルトの関係。
本実施例の中で、Kをあらかじめ設定値です、KさんでKは奇数で、信号を受信パルス信号、つまり高レベルパルス信号（上昇に沿って信号）、あるいは低レベルパルス信号（下がりに沿って信号）、パルス信号は方形波、正絃波、三角波や他の不規則波形は、上記の組み合わせによって波形。
本実施例では、K個の信号を発生して送信し、以下のように少なくとも1つを含む：
方式1：K次低レベルパルスを発生させる、
この方式では、高レベルで送信側は連続トリガK回低レベルパルスは、例えば、高レベルの最初の時間間隔がトリガー後、トリガいち度ローレベルパルス、そして再び回復トリガ高レベルの状態を経て、第二時間間隔の後は、トリガいち度低い電平パルスこのような方式を連発K回低レベルパルス、一時間間隔はｉ番目の信号の始まりと第i-1信号の開始時の間の時間間隔で、第二時間間隔はｉ番目の信号の始まりと第i+1信号の開始時の間の時間間隔そのうち、i＝に、よんしよ、……、2j、j＝（K - 1）/に、Kさんは奇数でKです。
サンプル性のが、Ｋ＝ごとき、ごの信号に隣接する2つの間ごとに発生の時間間隔でよんしよi＝になる時、第1時間間隔は第一個の信号と二番目の信号を開始時の間の時間間隔で、表記をt0、第二時間間隔を第2の信号と三つ目の信号を開始時の間の時間間隔で、表記をt 1 i＝よんしよ;とき時、第1時間の間隔を三つ目の信号と第4の信号開始時刻の間の時間間隔で、表記をt 2、第二時間間隔が第4の信号と第ご信号開始時刻の間の時間間隔で、表記はワインで高レベルで送信側連続トリガご回低レベルパルス、：続いてトリガ高レベルのしばらくの時間の後、トリガ第いち度ローレベルパルス、そして再び回復トリガ高レベルの状態を経て、t0後、第2回に低電気トリガ平パルス、そして再び回復トリガ高レベルの状態を経て、t 1後、トリガ第さん度ローレベルパルス、そして再び回復トリガ高レベルの状態を経て、t 2後、トリガ第よんしよ度ローレベルパルス、そして再び回復トリガ高レベルの状態を経て、ワインの後、触発第ご回低レベルパルスは、このような方式を連発ご回低レベルパルス、かつ、第一時間間隔と第二時間間隔満足デザイン関係、例えば、t 1＝a * t0かつワイン＝a * t 2 ;や、t 1＝（a + b）* t0かつワイン＝（a + b）* t 2；あるいは、t 1＝（c * a + b）* t0かつワイン＝（c * a + b）* t 2、そのうち、a、b、cをですいちの自然数、例えば、a =に、同デザイン関係は多種の、ここでもう贅言を形成し、有効な握手信号、
方式2：K回高レベルパルスを発生させる、
この方式では、送信側で低水準にトリガK回高レベルパルスは、例えば、低レベルの最初の時間間隔がトリガー後、トリガいち度高いレベルパルス、そして再び回復トリガローレベルの状態を経て、第二時間間隔の後は、トリガいち度高い電平パルスこのような方式を連発K回高レベルパルス、一時間間隔はｉ番目の信号の始まりと第i-1信号の開始時の間の時間間隔で、第二時間間隔はｉ番目の信号の始まりと第i+1信号の開始時の間の時間間隔そのうち、i＝に、よんしよ、……、2j、j＝（K - 1）/に、Kさんは奇数でKです。
サンプル性のが、Ｋ＝ごとき、ごの信号に隣接する2つの間ごとに発生の時間間隔でよんしよi＝になる時、第1時間間隔は第一個の信号と二番目の信号を開始時の間の時間間隔で、表記をt0、第二時間間隔を第2の信号と三つ目の信号を開始時の間の時間間隔で、表記をt 1 i＝よんしよ;とき時、第1時間の間隔を三つ目の信号と第4の信号開始時刻の間の時間間隔で、表記をt 2、第二時間間隔が第4の信号と第ご信号開始時刻の間の時間間隔で、表記はワインを送信側は連続低レベルにトリガご回高レベルパルス、：続いてトリガ低レベルのしばらくの時間の後、トリガ第いち度高いレベルパルス、そして再び回復トリガローレベルの状態を経て、t0後、第2回に高い電気トリガ平パルス、そして再び回復トリガローレベルの状態を経て、t 1後、トリガ第さん度高いレベルパルス、そして再び回復トリガローレベルの状態を経て、t 2後、トリガ第よんしよ度高いレベルパルス、そして再び回復トリガローレベルの状態を経て、ワインの後、触発第ご回高レベルパルスは、このような方式を連発ご回高レベルパルス、かつ、第一時間間隔と第二時間間隔満足デザイン関係、例えば、t 1＝a * t0かつワイン＝a * t 2 ;や、t 1＝（a + b）* t0かつワイン＝（a + b）* t 2；あるいは、t 1＝（c * a + b）* t0かつワイン＝（c * a + b）* t 2、そのうち、a、b、cをですいちの自然数、例えば、a =に、同デザイン関係は多種の、ここでもう贅言を形成し、有効な握手信号、
上記の方式で、Kの信号は跳ね上がる信号、しかも跳ね上がる幅は明らかに、便利と雑音信号を分けて。
実施例16
本実施例のデータ処理設備を提供し、図にじゅうの通り、このデータ処理設備を含める：受信モジュール、判断モジュール、時間処理モジュールとデータ処理モジュール。
受信モジュールは、Kの信号を受信するために使用されています。
Kをあらかじめ設定値、Kさんは奇数でKです、例えばプリセットK＝ご、受信モジュールご累計受信信号の場合、判断モジュール、時間処理モジュールとデータ処理モジュールにご受信信号処理し、本実施例のデータ処理装置を通じて同Kの信号の間の時間間隔の関係から判断できるかどうかを受信データ、つまり、もし満足デザイン関係はKの信号の後から受信データは、このKの信号として指示から受信データの握手信号；その中、信号がパルス信号を受信と、つまり高レベルパルス信号（上昇に沿って信号）、あるいは低レベルパルス信号（下がりに沿って信号）、パルス信号は方形波、正絃波、三角波や他の不規則波形は、上記の違い波形の組み合わせ。
本実施例において、受信モジュールは、K個の信号を受信するために、以下のように少なくとも1つを含む：
方式1：受信モジュールはK次低レベルパルスに検出された、
この方式では、受信モジュールを検出することができる高レベルでの連続K回低レベルパルスは、例えば、受信モジュール測定高レベルのしばらくの時間の後、検出いち度ローレベルパルス、そしてまた高レベルの状態まで回復検査を経て、しばらくの時間以降に、またいち検出回低レベルパルス、受信モジュールなどの方法で連続測定できるKまで度ローレベルパルス、
方式2：受信モジュールはK次高レベルのパルスまで検出された、
この方式では、受信モジュール検出できる連続ローレベル中のK回高レベルパルスは、例えば、受信モジュール測定、低レベルのしばらくの時間の後、検出いち度高いレベルパルス、そして再び回復低レベル検出の状態を経て、しばらくの時間以降に、またいち検出度の高いレベルパルス、受信モジュールなどの方法で連続測定できるKまで度高いレベルパルス、
上記の方式で、Kの信号は跳ね上がる信号、しかも跳ね上がる幅は明らかに、便利と雑音信号を分けて。
判定モジュールは、Kの信号の中に隣接する2つの間の時間間隔を検出するために使用される、
本実施例では、受信モジュール連続K信号受信後、判断モジュール検出K信号に隣接する2つの信号の間の時間間隔で、オプションにが、Ｋの信号を連続高レベルでのKの低レベルの信号の時、判断モジュール確定第p低電気普通郵便番号の開始時から第p+1低レベルの信号の開始時の間の時間は第pと第p+1信号の間の時間間隔で、同様にが、Ｋの信号を連続低レベルの高レベルの信号にK、判断モジュール確定第p高レベルの信号の開始時に刻から第p+1高レベルの信号の開始時の間の時間は第pと第p+1信号の間の時間間隔で、その、いち≦p≦K - 1、しかもp自然数として1種のオプションの実施の形態、判断を通じて各モジュール測定パルス信号の始まり隣接する2つの信号開始時刻の時間間隔を正確に迅速に取得する。
判断に判断モジュールは、第1時間間隔と第二時間間隔との間には満足デザイン関係。
本実施例として1種のオプションの実施の形態、第一時間間隔はｉ番目の信号の始まりと第i-1信号の開始時の間の時間間隔で、第二時間間隔はｉ番目の信号の始まりと第i+1信号の開始時の間の時間間隔で、その中、i＝に、よんしよ、……、2j、j＝（K - 1）/に、Kさんは奇数でKです；サンプル性のが、Ｋ＝ごとき、ごの信号に隣接する2つの間ごとに発生の時間間隔でよんしよi＝になる時、第1時間間隔は第一個の信号と二番目の信号開始時の間の時間間隔で、表記をt0、第二時間間隔を第2の信号と三つ目の信号を開始時の間の時間間隔で、表記をt 1 i＝よんしよ;とき時、第1時間の間隔を三つ目の信号と第4の信号開始時刻の間の時間間隔で、マークをt 2、第二時間間隔が第4号と手紙第ご信号開始時刻の間の時間間隔で、表記はワイン。判断の第1時間間隔と第二時間間隔との間にはいわゆる満足デザイン関係、と判断t0 t 1の間や、t 2とワインとの間には共に満足デザイン関係によって、このデザイン関係の技術者の経験を確定して、あるいは実際に実行時のパラメータかも確かに限り、保証が満たされるというデザイン関係確かにこのKの信号を指示から受信データの握手信号。つのオプションの実施方法として、デザイン関係をt 1＝a * t0かつワイン＝a * t 2 ;や、t 1＝（a + b）* t0かつワイン＝（a + b）* t 2 ;や、t 1＝（c * a + b）* t0かつワイン＝（c * a + b）* t 2、その中で、a、b、cをですいちの自然数、例えば、a =に、同デザイン関係は多種類、ここはもう贅言；判断モジュール判定第一時間間隔と第二時間間隔満足デザイン関係の時、すぐ判定K信号を有効に握手信号。
時間処理モジュール用に、確定第一時間間隔組と/あるいは第二時間間隔組、第一時間間隔を含む第一組j時間間隔で、第二時間間隔組を含むj二時間間隔、j＝（K - 1）/に、Kさんは奇数でKです。
iを取ることがないまた、時間によって処理モジュールK信号発生のK - 1時間間隔を生むシリーズの第一時間間隔と第二時間間隔で、時間処理モジュールから複数の異なるの最初の時間間隔で選択少なくともいちになって第一時間間隔組が、同様に、時間も処理モジュール複数の異なる第二時間間隔を選んで少なくともいちの第二時間間隔組、例えば、K＝ごとき、ご信号発生間隔で第1時間t0、t 2、および第二時間間隔t 1、ワインはこの時、時間がt0処理モジュールを取り、t 2として第一時間間隔組を取って、t 1、ワインは第二時間間隔組、本実施例のは限界第一時間間隔組や第二時間間隔組中時間間隔の数は、全てｊ、少なくとも1つの時間で、処理モジュール通この方式を決定することができます第一時間間隔組と/あるいは第二時間間隔組、ように時間間隔を分類して処理する。
もし一時間間隔と第二時間間隔満足デザイン関係、時間処理モジュールは第一時間間隔のグループに少なくとも一時間間隔と/あるいは前記第二時間間隔のグループに少なくとも1つの第二時間間隔確定当面データ伝送時間参数、
そのうち、時間によって処理モジュールは第一時間間隔のグループに少なくとも一時間間隔と/あるいは前記第二時間間隔のグループに少なくとも1つの第二時間間隔確定当面データ伝送時間のパラメータは、具体的には、時間によって処理モジュール第一時間間隔組中の少なくとも2つの第1時間は間隔によって、または第二時間間隔のグループに少なくとも二つの第二時間間隔で、または第一時間間隔のグループに少なくとも一時間間隔や第二時間間隔のグループに少なくとも1つの第二時間間隔に応じておくと、データを送信側が約束の時間パラメータ生成ルール、かつ第一時間間隔と第二時間間隔は隣接する。
本実施例では、確定した第一時間間隔組や第二時間間隔組で、そのｉ番目の信号と第i-1信号の間の最初の時間間隔とｉ番目の信号と第i+1信号の間の第二時間間隔は満足デザイン関係の時、Kの信号を判定有効な握手信号は、この時、時間によって処理モジュール第一時間間隔組中の少なくとも2つの最初の時間間隔によって、または第二時間間隔のグループに少なくとも二つの第二時間間隔で、または第一時間間隔のグループに少なくとも一時間間隔や第二時間間隔のグループに少なくとも一つ第二時間間隔に応じておくと、データを送信側が約束の時間パラメータ生成ルール、かつ第一時間間隔と第二時間間隔は隣接しており、確定当面データ伝送時間パラメータ、そのうち、あらかじめ約束の時間はすべてパラメータ生成ルール保証データビット符号化方式の唯一の前提の下で、任意の種類の方式を選ぶことができる時間をパラメータの確定。
例えば、私K＝ごとき、ごの信号に隣接する2つの間の発生の時間間隔でよんしよi＝になる時、第1時間間隔は第一個の信号と二番目の信号を開始時の間の時間間隔で、表記をt0、第二時間間隔を第2の信号と第三つの信号開始時刻の間の時間間隔で、表記をt 1 i＝よんしよ;とき時、第1時間の間隔を三つ目の信号と第4の信号開始時刻の間の時間間隔で、表記をt 2、第二時間間隔が第4の信号と第ご信号開始時刻の間の時間間隔ワインは、マークは、これを例にして、次に第一時間間隔のグループに少なくとも一時間間隔と/あるいは前記第二時間間隔のグループに少なくとも1つの第二時間間隔確定当面データ伝送時間パラメータのやり方の詳細。
本実施例の一つとしてのオプションの実施方法、時間処理モジュールt0として選択t 2第1時間間隔組によって、一時間間隔組確定当面データ伝送の時間の時間を含むパラメータは、パラメータ第1時間パラメータetuと第二時間パラメータpdt、etuとpdtはt0とt 2唯一は、etuとpdtの値によるとt0 t 2の値を任意計算の方式を獲得し、サンプル性、etuとpdt採用以下のいずれかの計算の方式を獲得し、もちろん、限らず以下の計算の方式：
etu=t0，pdt=（t0-t2）/5；
etu=t0+t2，pdt=（t0+t2）/10；
etu=t0+t2/2，pdt=(t0-t2)/5；
etu=t2，pdt=（t0-t2）/15；
……..
本実施例として別の1種のオプションの実施方法、時間処理モジュールとして選択t0第一時間間隔組によって、一時間間隔組確定当面データ伝送の時間の時間を含むパラメータは、パラメータ第1時間パラメータetuと第二時間パラメータpdt、etuとpdtはt0唯一は、etuとpdtの値がt0の値によって任意計算の方式を通じて獲得する性の、etuとpdt採用以下のいずれかの計算の方式を獲得し、もちろん、限らず以下の計算の方式：
etu=t0，pdt=t0/5；
etu=2*t0，pdt=t0/10；
etu=t0/2，pdt=t0/5；
etu=t0/3，pdt=t0/15；
……..
本実施例として別の1種のオプションの実施方法、時間処理モジュール選択取t 1とワインは第二時間間隔組によって、第二時間間隔組確定当面データ伝送の時間の時間を含むパラメータは、パラメータ第1時間パラメータetuと第二時間パラメータpdt、etuとpdtはt 1とワインは唯一の表示、etuとpdtの値によるとワインの値を通じてt 1任意計算方を獲得し、サンプル性、etuとpdt採用以下のいずれかの計算の方式を獲得し、もちろん、限らず以下の計算の方式：
etu=t1，pdt=（t1-t3）/5；
etu=t1+t3，pdt=（t1+t3）/10；
etu=t1+t3/2，pdt=(t1-t3)/5；
etu=t3，pdt=（t1-t3）/15；
……..
本実施例として別の1種のオプションの実施方法、時間処理モジュール選択取t 1第二時間間隔組によって、第二時間間隔組確定当面データ伝送の時間の時間を含むパラメータは、パラメータ第1時間パラメータetuと第二時間パラメータpdt、etuとpdtはt 1唯一は、etuとpdtの値に応じてt 1の値を任意計算の方式を獲得し、サンプル性、etuとpdt採用以下のいずれかの計算の方式を獲得し、もちろん、限らず以下の計算の方式：
etu=t1，pdt=t1/5；
etu=2*t1，pdt=t1/10；
etu=t1/2，pdt=t1/5；
etu=t1/3，pdt=t1/15；
……..
K＝さんが、さんの信号に隣接する2つの間の発生の時間間隔共に、ときに、i＝にした時に１時間間隔は第一個の信号と二番目の信号を開始時の間の時間間隔で、表記をt0、第二時間間隔を第2の信号と第三信号を開始時の間の時間間隔で、表記をt 1；これを例によって、以下のように一時間間隔のグループに少なくとも一時間間隔と/あるいは前記第二時間間隔のグループに少なくとも1つの第二時間間隔確定当面データ伝送時間パラメータのやり方で詳細説明。
本実施例として別の1種の方式として選択t0オプションを実施し、第一時間間隔組によって、一時間間隔組確定当面データ伝送の時間の時間を含むパラメータは、パラメータ第1時間パラメータetuと第二時間パラメータpdt、etuとpdtはt0唯一は、etuとpdtの値によるとt0の値を任意計算の方式を獲得し、サンプル性、etuとpdt採用以下のいずれかの計算の方式を獲得し、もちろん、限らず以下の計算の方式：
etu=t0，pdt=t0/5；
etu=2*t0，pdt=t0/10；
etu=t0/2，pdt=t0/5；
etu=t0/3，pdt=t0/15；
……..
本実施例として別の1種の方式として選択t 1オプションを実施し、第二時間間隔組によって、第二時間間隔組確定当面データ伝送の時間の時間を含むパラメータは、パラメータ第1時間パラメータetuと第二時間パラメータpdt、etuとpdtはt 1唯一は、etuとpdtの値に応じてt 1の値を任意計算の方式を獲得し、サンプル性、etuとpdt採用以下のいずれかの計算の方式を獲得し、もちろん、限らず以下の計算の方式：
etu=t1，pdt=t1/5；
etu=2*t1，pdt=t1/10；
etu=t1/2，pdt=t1/5；
etu=t1/3，pdt=t1/15；
……..
同様に、ときにK＝ななしち時、信号の2つの間に隣接するななしち共が生じるろく時間間隔がi＝にした時に１時間間隔は第一個の信号と二番目の信号を開始時の間の時間間隔で、表記をt0、第二時間間隔を第2の信号と第三つの信号開始時刻の間の時間間隔で、表記をt 1 i＝よんしよ;とき時、第1時間の間隔を三つ目の信号と第4の信号開始時刻の間の時間間隔で、表記をt 2、第二時間間隔が第4の信号と五つ目の信号開始時刻の間の時間間隔ワインは、マークを；i＝ろく時から1時間の間隔を五つ目の信号と六番目の信号開始時刻の間の時間間隔で、表記をt 5、第二時間の間隔を六番目の信号と七番目の信号開始時刻の間の時間間隔で、そのマークをt6；時間がt0選び処理モジュール、t 2として第一時間間隔t 5組も選択t 1、ワインとt6第二時間間隔組、時間によって処理モジュール第一時間間隔組中の少なくとも2つの最初の時間間隔で確定当面データ伝送時間パラメータによって、第二時間間隔のグループに少なくとも二つの第二時間間隔確定当面データ伝送時間パラメータも第一時間間隔のグループに少なくとも一時間間隔と第二時間間隔のグループに少なくとも1つの第二時間間隔共同確定当面データ伝負け時間パラメータ、かつ第一時間間隔と第二時間間隔隣接する時間がない、パラメータetuとpdtの取得方式は唯一、時間処理モジュールを採用して別の計算の方式を通じて一時間間隔組と/あるいは第二時間間隔組任意獲取って、具体的に取得する方法はK = 5時の案を参考にすることができて、ここではもう言及しない。
K＝さんが、さんの信号に隣接する2つの間の発生の時間間隔共に、ときに、i＝にした時に１時間間隔は第一個の信号と二番目の信号を開始時の間の時間間隔で、表記をt0、第二時間間隔を第2の信号と第三信号を開始時の間の時間間隔で、表記をt 1；これを例によって、以下のように一時間間隔のグループに少なくとも一時間間隔と/あるいは前記第二時間間隔のグループに少なくとも1つの第二時間間隔確定当面データ伝送時間パラメータのやり方で詳細説明。
本実施例として別の1種の方式として選択t0オプションを実施し、第一時間間隔組によって、一時間間隔組確定当面データ伝送の時間の時間を含むパラメータは、パラメータ第1時間パラメータetuと第二時間パラメータpdt、etuとpdtはt0唯一は、etuとpdtの値によるとt0の値を任意計算の方式を獲得し、サンプル性、etuとpdt採用以下のいずれかの計算の方式を獲得し、もちろん、限らず以下の計算の方式：
etu=t0，pdt=t0/5；
etu=2*t0，pdt=t0/10；
etu=t0/2，pdt=t0/5；
etu=t0/3，pdt=t0/15；
……..
本実施例として別の1種の方式として選択t 1オプションを実施し、第二時間間隔組によって、第二時間間隔組確定当面データ伝送の時間の時間を含むパラメータは、パラメータ第1時間パラメータetuと第二時間パラメータpdt、etuとpdtはt 1唯一は、etuとpdtの値に応じてt 1の値を任意計算の方式を獲得し、サンプル性、etuとpdt採用以下のいずれかの計算の方式を獲得し、もちろん、限らず以下の計算の方式：
etu=t1，pdt=t1/5；
etu=2*t1，pdt=t1/10；
etu=t1/2，pdt=t1/5；
etu=t1/3，pdt=t1/15；
……..
本実施例の中で上記の確定当面データ伝送時間パラメータの具体的な実施方式はサンプル的に実施する方式で、本申請に排除しない他の時間によってパラメータ生成規則第1時間間隔組中の少なくとも2つの最初の時間間隔で、または第二時間ぶりによって間のグループに少なくとも二つの第二時間間隔によって、あるいは第一時間間隔のグループに少なくとも一時間間隔や第二時間間隔のグループに少なくとも1つの第二時間間隔、確定当面データ伝送時間パラメータの実施方式。
本実施例の中で時間処理モジュール第一時間間隔組と/あるいは第二時間間隔組を確定することetu時間パラメータとpdtことによって、保証データ伝送に毎回送信側と、受信側にetuとpdtのことで一緻して、毎回データ伝送の安定性と正確性、たびたびデータ伝送の前に受信側も送信側に送った握手情報は新たな時間パラメータetuとpdtの値を避け、週波数差が複数文字の連続加算による誤差累計、送信防止に有効に時計と受信時間パラメータの違いは大きい時、受信側によるサンプリングたりして、受信エラー、通信効率の問題。
本実施例として1種のオプションの実施方法、もし一時間間隔と第二時間間隔満足満足しないデザイン関係上記デザイン関係、と指示を受け続けて握手信号を受信モジュール。
データ処理モジュールは、時間パラメータによってデータを受信する。
本実施例として1種のオプションの実施の形態、受信モジュールは、受信用X信号確定X信号に隣接する2つの信号のスタート時の間の時間間隔で、得X-1時間間隔で、その中、Xは正整数で、X＞いち；データ処理モジュールは、通りに時間パラメータ受信このX信号、具体的に、データ処理、モジュールを得るために、X-1時間間隔で各連続Sの時間間隔で1時間間隔対応のNデータビットを得て、Sの時間間隔伝送のデータビット、得たのSの時間間隔伝送のデータビットを取得するためのNデータビット、その中で、S＞いちの情況の下で、Sの時間間隔が同じで、そのうち、XとSはすべて正整数で、S X-1≦。
本実施例として1種のオプションの実施の形態、データ入手が受信側採用とデータの送信側の計算方法によって協議して現在のデータ伝送時間パラメータ確定データビット、現在データ受信側と協議してデータを送信側の計算方法を、ときに、N＝n時、送信データビットmの時間間隔の計算方法をm＝etu+m * pdt（中には、0  m≦≦2n-1、etuを一時間パラメータ、pdt第二時間パラメータ、etu＝じゅうμs、pdt＝さんじゅうμs）、すなわちデータビットじゅういちの時間間隔で計算方法をじゅうμs+3 *さんじゅうμs＝ひゃくμs。もしデータ受信装置を受信ひゃくμsの時間間隔で、計算mをさん、すなわち同時間間隔に対応するデータビットをじゅういち。
本実施例として1種のオプションの実施方法によって、データ処理モジュールの第1時間はパラメータetuと第二時間パラメータpdtとデータの送信側にあらかじめ約束の暗号化／復号化ルールを受信データ;データ処理モジュールに時間を含むパラメータ受信データに基づいてのように時間をNビットデータのパラメータを含め2Nつの異なる数値と時間間隔の対応関係、中に、異なる数値対応の時間間隔と違って、そのうち、Nですいち。
データ処理モジュール第一時間パラメータetuと第二時間パラメータpdtとデータの送信側にあらかじめ約束の暗号化／復号化ルールを含め、Nビットデータの2N数値と違う時間間隔の対応関係、あらかじめ約束の暗号化／復号化ルールが保険証を異なる数値のNデータビット対応唯一時間間隔の任意の方式、サンプル的に：
N = 1の場合、異なる数値のN個のデータビットは、0、1、この時、
0＝etu、いち＝etu+pdt、しかもetu≠etu+pdt、または、
0＝2etu、いち＝etu+2pdt、しかも2etu≠etu+2pdt、
……
N = 2の場合、異なる数値のN個のデータビットは、00、01、10、11に含まれている、
00＝etu、01＝etu+pdt、じゅう＝etu+2pdt、じゅういち＝etu+3pdt、しかもetu≠etu+pdt≠etu+2pdt≠etu+3pdt、または、
00＝2etu、01＝etu+2pdt、じゅう＝etu+2.5pdt、じゅういち＝1.3etu+3pdt、
しかも2etu≠etu+2pdt≠etu+2.5pdt≠1.3etu+3pdt、
……
同様に、ときにN＝さんに、異なる数値データビットが含まれます：N  001、000、010、2011、ひゃく、101、110、111、この時、第一時間パラメータetuと第二時間パラメータpdtとデータの送信側にあらかじめ約束の暗号化／復号化ルールを得て、Nビットデータかばんを含むの2N異なる数値対応の時間間隔で、あらかじめ約束の暗号化／復号化ルールを上記サンプル、ここでもう贅言。
データ処理モジュールとデータの送信側にあらかじめ約束の方式によって、一時間パラメータetuと第二時間pdt Nビットデータを含むパラメータの2N異なる数値対応の時間間隔で、その中、異なる数値対応の時間間隔違うことによって、分けて受信の別の時間間隔に対応した異なるデータビットを通じて、実現の時間間隔を受信して送信側のデータ送信。
本実施例のオプション実施方式では、時間の処理モジュールは、されているデータ処理モジュールを送信したデータを前に、時間が異なる数値にパラメータのNビット対応の時間間隔で、その中、異なる数値のNビット対応の時間間隔でないと、Nいちです、
オプションにデータを採用し、受信側と協議してデータを送信側の計算方法とデータビット計算の時間間隔のときのようなN＝n、送信データビットmの時間間隔の計算方法をm＝etu+m * pdt（中には、0 m≦≦2n-1、etuを一時間パラメータ、pdt第二時間パラメータ、etu＝じゅうμs、pdt＝さんじゅうμs）、すなわちデータビットじゅういちの時間間隔で計算方法をじゅうμs +さん*さんじゅうμs＝ひゃくμs、他の事前協議を採用することができるの計算方法確定時間間隔、本実施は具体的に制限しない。事前協議を通じての計算方法を算出するこのデータビットの時間間隔で、保証データの伝送の拡張性、すなわちどんなにNのことはいくらで、データを送信側とデータ受信側も計算データビットの時間間隔。
本申請の実施例としての別のオプション実施方式。データ受信側も採用とデータの送信側あらかじめメモリーのリストを確定することもこのデータビットの時間間隔で、データ処理モジュールを採用して検索リストの方が固まっこのデータビットの時間間隔を得、データビット時間間隔の効率。
本実施例のオプション実施方式では、X-1＝n * S、nですいちかつnを整数を採用し、このオプション実施方式、X信号伝送n * Sまた同じことができるデータビットではないが、余分な信号による復号化問題ない。
本実施例のオプション実施方式では、図きゅう、く通り、データ処理設備更新時間パラメータも含め、モジュール用交換時間パラメータ、すなわち規則に預設を当面使用時間パラメータに代える新しい時間パラメータは、新しい時間参数として当面データ伝送時間パラメータ;データ処理モジュールは、再取得の違いによって用数値のNビット対応の時間間隔では受信X信号で復号化し、すなわち現在に使う時間パラメータをX-1時間間隔で各連続Sの時間間隔で1時間間隔対応のNビットを得て、S時間間隔伝送のデータビット、得たのSの時間間隔伝送のデータを取得するためのNビットビット。本実施案では、新しい時間パラメータの確定することを通じてデータを送信側との協議の完成データ受信側も、データを送信側とデータ検索あらかじめメモリー受信側の時間パラメーターリストを完瞭するなど、発送にあるタイプでデータを表確定タイプのデータを使用するべきである時間のパラメータ。データ送信側の時間パラメータは変化が一緻することができますによって、データ処理能力のデータを受信装置、または一緻の異なるタイプのデータを、データ処理の効率を向上させ。
本実施例のオプション実施方式では、受信モジュールは、完成されている受信最後のデータビット後は、受信できるAが信号（Zですいちしかも整数）、終瞭信号と同じ握手信号は、他の特定のフォーマットの信号は、同終瞭信号、データ処理できるかどうか判断モジュールデータビット受信終瞭。
本実施例のオプション実施方式では、受信モジュールは、完成されている受信最後のデータビットの後、または完成受信Aが信号を受信後、モジュールは、受信用検査データビットは、同検査データビット、完全に正しいかどうか判断受信データ。検査データビットは、MAC検査、パリティ、取と検査などパリティ方式で計算した検査データ。
本実施例のオプション実施方式では、図きゅう、く通り、データ処理設備も含むフィルターモジュール用の信号を受信Z、Zの信号の妨害を得て、X信号送信をから受信モジュールのうち、ZですX。
この本申請実施例が提供した技術方案を見抜くことができて、データ処理モジュールによって受信波形の時間間隔で確定受信波形データビット、二線だけを使用して完成のデータを受信し、電子機器に適用した時に、効果的に電子機器の体積は小さく。
本実施例のデータ処理モジュールを通じて毎回受信データによる情報に握手は新たな時間のパラメータは、保証を送信側と受信側の時間パラメータ終始一緻、保証データの伝送の安定性とカラーを採用し、信号パルス信号を伝負けやすいと雑音信号を分けて、すべての信号の上昇を検出するまたは下落沿いに沿って、容易に得るすべての信号の開始時、それによって正確に隣接する2つの信号を開始時の間の時間間隔にの時間間隔を判断信号間の時間間隔を満たすかどうか判断デザイン関係、届いた信号を有効かどうかの握手信号で、正確に判断過程迅速で、かつ高い成功率によって、一時間間隔と/あるいは第二時間間隔確定第1時間間隔組と/あるいは第二時間間隔組を一時間間隔組と/あるいは第二時間間隔組を確定することetu時間パラメータとpdtことによって、保証データ伝送に毎回送信側と、受信側にetuとpdtのことで一緻して、毎回データ伝送の安定性と正確性、たびたびデータ伝送前に受信側も送信側に送った握手情報は新たな時間パラメータetuとpdtの値を避け、週波数差が複数文字の連続加算による誤差累計、送信防止に有効に時計と次の収時間パラメータの差がとても大きい時、受信側によるサンプリングずれ、受信エラー、通信効率の技術問題。
実施例17
本実施例のデータ処理設備を提供し、図１に示すように、このデータ処理設備を含む：第二時間パラメータモジュール、第二時間処理モジュール、第二信号発生発送モジュール。
その中で、第2時間パラメータモジュールは、時間パラメータを確定するために使用されています。
本実施例としての中で一種のオプションの実施方法、時間のパラメータは第一時間パラメータと/あるいは第二時間パラメータは、説明を容易にするために、本実施例の中将の第1時間は覚えetuパラメータは、第二時間パラメータ記をpdt、第一時間パラメータetuと第二時間パラメータpdt均代表時間の値を、例えばetu＝コンマ１秒、pdt＝0 . 01秒、値はデータを送信側と協議して受信側、この時間のパラメータは握手の時間間隔を確定する信号送信受信側によると、受信信号の握手を確定して、もちろん、時間だけで1パラメータも多く時間のパラメータは、本実施例で説明を例に持ち、だけで時間のパラメータを例にして、利用に時間のパラメータ確定第一時間間隔組や第二時間間隔組だが、多くの時間を排除しないパラメータの場合。
前記第二時間処理モジュール用に、前記第一時間によるパラメータ確定時間間隔組目と２時間間隔組のうち、前記第一時間間隔を含む第一組j時間間隔で、前記第二時間間隔組を含むj二時間間隔。
本実施例としての中で一種のオプションの実施の形態、第一時間間隔は、第二信号発生発送モジュール発送Kの握手信号の時、ｉ番目の信号の始まりと第i-1信号の開始時の間の時間間隔で、Ti-1覚えたり、i、第二時間ぶりとは発送Kの握手信号の時、ｉ番目の信号の始まりと第i+1信号の開始時の間の時間間隔で、Ti覚えたり、i+1、中に、i＝に、よんしよ、……、2j、j＝（K - 1）/に、Kさんは奇数でKです。
本実施例で説明が必要なことは、まず第一時間間隔組の中の第一時間間隔Ti-1、iと第二時間間隔組の中の第二時間間隔Ti、i+1一定のデザインとの関係を通じて、デザイン関係の有効性を保証することができて握手信号を受信側で受信この握手信号の後には、第一時間間隔Ti-1、iと第二時間間隔Ti、i+1のデザイン関係、判断し握手信号用指示から受信データの信号です；その次、第一時間間隔組の中の各一時間間隔Ti-1、iと第1時間パラメータetuおよび/または第二時間パラメータpdt一定のデザイン関係は、受信側では受信信号によって、握手した後、同じデザイン関係を通じて、受信した多くの最初の時間間隔計算第1時間パラメータe戒めと/あるいは第二時間pdtなパラメータを受信側によって第一時間パラメータetuおよび/または第二時間パラメータ計算をpdt伝送の時間間隔で対応ビットデータ。
本実施例では、１時間間隔組の中の第一時間間隔Ti-1、iと第二時間間隔組の中の第二時間間隔Ti、i+1一定のデザイン関係を含む可能の多くの種類、第一時間間隔組の中の各一時間間隔Ti-1、i 1時の間etuとパラメータ/または第二時間パラメータpdt一定のデザイン関係もいろいろに含む、以下、サンプル的な方法を説明する。
本実施例の一つとしてのオプションの実施の形態は、K＝ごを例にして、ごの信号に隣接する2つの間ごとに発生の時間間隔でよんしよi＝になる時、第1時間間隔T 1、には第一個の信号と二番目の信号開始時刻の間の時間間隔で、マークをt0、第二時間間隔T 2、さんを第2の信号と三つ目の信号を開始時の間の時間間隔で、表記をt 1 i＝よんしよ;とき時、第1時間間隔Ｔ３、よんしよを三つ目の信号と第4の信号開始時刻の間の時間間隔で、表記をt 2、第二時間間隔にチーム、ごを第4の信号と第ご信号開始時刻の間の時間間隔で、表記はワイン。この時、t0、t 2第1時間間隔組を取って、t 1、ワインを第二時間間隔組、第一時間間隔と第二時間間隔の間を満たしデザイン関係いわゆる、t0とt 1の間で、ワインの間やt 2と共に満足デザイン関係によって、このデザイン関係の技術者の経験を確定して、あるいは実際に実行時のパラメータを確定する。つのオプションの実施方法として、デザイン関係をt 1＝a * t0かつワイン＝a * t 2 ;や、t 1＝（a + b）* t0かつワイン＝（a + b）* t 2 ;や、t 1＝（c * a + b）* t0かつワイン＝（c * a + b）* t 2、その中で、a、b、cをですいちの自然数、例えば、a =に、同デザイン関係は多種類、ここはもう贅言。
以下、第一時間間隔組の第一時間間隔t0とt 2を例として、第一時間間隔組の中の各一時間間隔Ti-1、i t0、t 2と第1時間パラメータetuおよび/または第二時間パラメータpdt一定のデフォルトの関係を説明する：
第一時間間隔t0 t 2によると、一時間パラメータetuや第二時間パラメータpdt中の通過預設の時間パラメータ生成ルール生成をetuを例にして、t0とt 2を採用して以下のいずれかの計算の方式を獲得し、もちろん、デザインのパラメータを生成時間ルールに限らない以下の計算の方式：
t0＝a * etu、
t 2＝x * a * etu、
その中で、aはですいちの自然数、xを有理数ため、受信側を同じデザインの時間を利用してt0パラメータ生成ルールと計算するetu t 2。
あるいは、一時間間隔t0 t 2によると、一時間パラメータetuと第二時間pdt預設のパラメータを通じて時間パラメータ生成ルール生成、t0とt 2を採用して以下のいずれかの計算の方式を獲得し、もちろん、デザインに限らず時間パラメータ生成ルール以下計計算方式：
t0＝a * etu+b * pdt、
t 2＝x * a * etu+b * pdt、
その中で、a、bをですいちの自然数、xを有理数ため、受信側を同じデザインの時間を利用してt0パラメータ生成ルールと計算するとpdt etu t 2。
あるいは、一時間間隔t0 t 2によると、一時間パラメータetuと第二時間pdt預設のパラメータを通じて時間パラメータ生成ルール生成、t0とt 2を採用して以下のいずれかの計算の方式を獲得し、もちろん、デザインに限らず時間パラメータ生成ルール以下計計算方式：
t0＝a * etu+b * pdt、
t 2＝a * etu + x * b * pdt、
その中で、a、bをですいちの自然数、xを有理数ため、受信側を同じデザインの時間を利用してt0パラメータ生成ルールと計算するとpdt etu t 2。
同様に、K=7の時、7つの信号が２つの間を隣り合って共に6つの時間間隔が発生するのが、i=2の時、第1時間間隔T1、2は1つ目の信号と2つ目の信号のために時間の間の時間間隔を始めて、0標記してtになって、第2時間間隔T2、3は2つ目の信号と3つ目の信号のために時間の間の時間間隔を始めて、1標記してtになります；i=4の時、第1時間間隔T3、4は3つ目の信号と4つ目の信号のために時間の間の時間間隔を始めて、2標記してtになって、第2時間間隔T4、5は4つ目の信号と5つ目の信号のために時間の間の時間間隔を始めて、3標記してtになります；i=6の時、第1時間間隔T5、6は5つ目の信号と6つ目の信号のために時間の間の時間間隔を始めて、4標記してtになって、第2時間間隔T6、7は6つ目の信号と7つ目の信号のために時間の間の時間間隔を始めます、標記をt 5；この時、t0、t 2とt4を一時間間隔組、t 1、ワインとt 5第二時間間隔組、第二時間間隔組のt 1、ワインとt 5と一時間間隔組のt0、t 2とt4それぞれ満足デザイン関係、つまりt0との間で、t 1 t 2とワインの間や、t4 t 5の間と共に満足デザイン関係によって、一時間パラメータetuおよび/または第二時間pdt預設のパラメータを通じて時間パラメータ生成ルール確定第一時間間隔組の最初の時間間隔t0、t 2とt4の値を通じて、デザインのルールを採用して違う時間パラメータ生成の方式は、例えば、一時間間隔t0、t 2とt4、第一時間パラメータetuや第二時間パラメータpdt中の通過預設の時間パラメータ生成ルール生成をetuを例にして、t0、t 2とt4採用以下のいずれかの計算の方式を獲得するもちろん、デフォルトの時間パラメータ生成規則は以下の計算方式に限らない：
t0= a*etu;
t2 =x*a*etu；
t4=2x*a*etu；
その中で、aはですいちの自然数、xを有理数ため、受信側を同じデザインの時間を利用してt0パラメータ生成ルール、t 2、t4計算するetu。
あるいは、一時間間隔t0、t 2とt4、第一時間パラメータetuと第二時間pdt預設のパラメータを通じて時間パラメータ生成ルール生成、t0、t 2、t4採用以下のいずれかの計算の方式を獲得し、もちろん、デザインに限らず時間パラメータ生成ルール以下の計算の方式：
t0＝a * etu+b * pdt、
t 2＝x * a * etu+b * pdt、
t4＝2x * a * etu+b * pdt、
その中で、a、bをですいちの自然数、xを有理数ため、受信側を同じデザインの時間を利用してt0パラメータ生成ルール、t 2、t4計算するetuとpdt。
あるいは、一時間間隔t0、t 2とt4、第一時間パラメータetuと第二時間pdt預設のパラメータを通じて時間パラメータ生成ルール生成、t0、t 2とt4採用以下のいずれかの計算の方式を獲得し、もちろん、デザインに限らず時間パラメータ生成ルール以下の計算の方式：
t0＝a * etu+b * pdt、
t 2＝a * etu + x * b * pdt、
t4＝a * etu+2 x * b * pdt、
その中で、a、bをですいちの自然数、xを有理数ため、受信側を同じデザインの時間を利用してt0パラメータ生成ルール、t 2、t4計算するetuとpdt。
本実施例の中で上記の確定当面データ伝送の最初の時間間隔組や第二時間間隔組の具体的な実施方式はサンプル的に実施する方式で、本申請に排除しない他の時間によってパラメータ生成規則第1時間パラメータetuおよび/または第二時間パラメータpdt確定第一時間間隔組の最初の時間間隔実施方式も排除しないで、他の最初の時間間隔と第二時間間隔のデフォルトの関係。
本実施例通過時間パラメータetuおよび/またはpdtする第一時間間隔組、それによって保証毎回データ伝送に送信側と、受信側にetuとpdtのことで一緻して、毎回データ伝送の安定性と正確性、たびたびデータ伝送前に送信側も送った握手は新たな情報時間etuとpdtパラメータの値を避け、週波数差が複数文字の連続加算による誤差累計、送信防止に有効に時計と受信時間パラメータの違いは大きい時、受信側によるサンプリングたりして、受信エラー、通信効率低下の問題。
第2信号による送信モジュールは、K個の握手信号を生成し送信する。
本実施例のオプションとして1種の方式で実施し、具体的な実施にあたって、発生送信をKの握手が含まれます：第1時間によって信号間隔組目と２時間間隔組発生送信をKの握手信号；その中、Kの握手信号の中の第一時間間隔と第二時の間の間隔の間を満たし上記デフォルトの関係も参照して実施例じゅうよんで一時間間隔と第二時間間隔を満たす必要のデザイン関係の説明。
本実施例の中で、Kをあらかじめ設定値です、KさんでKは奇数で、信号を受信パルス信号、つまり高レベルパルス信号（上昇に沿って信号）、あるいは低レベルパルス信号（下がりに沿って信号）、パルス信号は方形波、正絃波、三角波や他の不規則波形は、上記の組み合わせによって波形。
本実施例では、第二信号発生発送モジュール発生送信をKの信号を含む少なくとも一つは以下の方式：
方式1：第2信号による送信モジュールが発生してK次低レベルのパルスを送信する、
この方式では、第2信号発生発送モジュールが連続ハイレベルにトリガK回低レベルパルス、例えば、第二信号発生発送モジュール続いてトリガハイレベル第一時間間隔後、トリガいち度ローレベルパルス、そして再び回復トリガ高レベルの状態を経て、第二時間間隔後また、トリガいち度ローレベルパルスは、このような方式を連発K回低レベルパルス、一時間間隔はｉ番目の信号の始まりと第i-1信号の開始時の間の時間間隔で、第二時間間隔とできるｉ番目の信号の始まりと第i+1つ信号の開始時の間の時間間隔で、その中、i＝に、よんしよ、……、2j、j＝（K - 1）/に、Kさんは奇数でKです。
サンプル性のが、Ｋ＝ごとき、ごの信号に隣接する2つの間ごとに発生の時間間隔でよんしよi＝になる時、第1時間間隔は第一個の信号と二番目の信号を開始時の間の時間間隔で、表記をt0、第二時間間隔を第2の信号と三つ目の信号を開始時の間の時間間隔で、表記をt 1 i＝よんしよ;とき時、第1時間の間隔を三つ目の信号と第4の信号開始時刻の間の時間間隔で、表記をt 2、第二時間間隔が第4の信号と第ご信号開始時刻の間の時間間隔で、表記はワイン、第二信号発生発送モジュールが連続ハイレベルにトリガご回低レベルパルス、：第2信号発生発送モジュール続いてトリガ高レベルのしばらくの時間の後、トリガ第いち度ローレベルパルス、そして再び回復トリガ高い電の気の平らな状態、t0を通った後で、第2回の低レベルのパルスを触発して、それからまた高い電圧の状態を触発するのを回復して、t1を通った後で、第3回の低レベルのパルスを触発して、それからまた高い電圧の状態を触発するのを回復して、t2を通った後で、第4回の低レベルのパルスを触発して、それからまた高い電圧の状態を触発するのを回復して、t3を通った後で、第5回の低レベルのパルスを触発して、このような方法で連続して5回の低レベルのパルスが発生することができて、しかも、第1時間間隔と第2時間間隔はデフォルト関係を満足させて、例えば、t1=a*t0しかもt3=a*t2；あるいは、t1=（a+b）の*t0しかもt3=（a+b）の*t2；あるいは、t1=（c*a+b）の*t0しかもt3=（c*a+b）の*t2、その中、a、b、c≧1の自然数で、例えば、a=2，このデフォルト関係は多種であることができるで、このところはもうくどくど言わないで、有効なハンドシェイクを形成します；
方式2：第2信号による送信モジュールが発生してK次高レベルのパルスを送信する、
この方式では、第2信号発生発送モジュールが連続ローレベルでトリガK回高レベルパルス、例えば、第二信号発生発送モジュール続いてトリガローレベル第一時間間隔後、トリガいち度高いレベルパルス、そして再び回復トリガローレベルの状態を経て、第二時間間隔後また、トリガいち度高いレベルパルスは、このような方式を連発K回高レベルパルス、一時間間隔はｉ番目の信号の始まりと第i-1信号の開始時の間の時間間隔で、第二時間間隔とできるｉ番目の信号の始まりと第i+1つ信号の開始時の間の時間間隔で、その中、i＝に、よんしよ、……、2j、j＝（K - 1）/に、Kさんは奇数でKです。
サンプル性のが、Ｋ＝ごとき、ごの信号に隣接する2つの間ごとに発生の時間間隔でよんしよi＝になる時、第1時間間隔は第一個の信号と二番目の信号を開始時の間の時間間隔で、表記をt0、第二時間間隔を第2の信号と三つ目の信号を開始時の間の時間間隔で、表記をt 1 i＝よんしよ;とき時、第1時間の間隔を三つ目の信号と第4の信号開始時刻の間の時間間隔で、表記をt 2、第二時間間隔が第4の信号と第ご信号開始時刻の間の時間間隔で、表記はワイン、第二信号発生発送モジュールが連続ローレベルでトリガご回高レベルパルス、：第2信号発生発送モジュール続いてトリガ低レベルのしばらくの時間の後、トリガ第いち度高いレベルパルス、そして再び回復トリガ低電の気の平らな状態、t0を通った後で、第2回の高の電圧のパルスを触発して、それからまた低レベルの状態を触発するのを回復して、t1を通った後で、第3回の高の電圧のパルスを触発して、それからまた低レベルの状態を触発するのを回復して、t2を通った後で、第4回の高の電圧のパルスを触発して、それからまた低レベルの状態を触発するのを回復して、t3を通った後で、第5回の高の電圧のパルスを触発して、このような方法で連続して5回の高の電圧のパルスが発生することができて、しかも、第1時間間隔と第2時間間隔はデフォルト関係を満足させて、例えば、t1=a*t0しかもt3=a*t2；あるいは、t1=（a+b）の*t0しかもt3=（a+b）の*t2；あるいは、t1=（c*a+b）の*t0しかもt3=（c*a+b）の*t2、その中、a、b、c≧1の自然数で、例えば、a=2，このデフォルト関係は多種であることができるで、このところはもうくどくど言わないで、有効なハンドシェイクを形成します。
上記の方式で、Kの信号は跳ね上がる信号、しかも跳ね上がる幅は明らかに、便利と雑音信号を分けて。
毎回受信データによって握手を通じて前に情報は新たな時間のパラメータは、保証を送信側と受信側の時間パラメータ終始一緻、保証データの伝送の安定性と正確パルス信号伝送を採用して、信号を持ち、と雑音信号を分けて、すべての信号を検出トリガーの上昇または減少沿いに沿って、容易に得ることができるすべての信号の開始時、それによって正確に隣接する2つの信号を開始時の間の時間間隔にの時間間隔を判断信号間の時間間隔は否満足デザイン関係、判断を受信信号を有効かどうかの握手信号、正確かつ迅速に判断する過程で、高い成功率による第一時間間隔と/あるいは第二時間間隔確定第一時間間隔組と/あるいは第二時間間隔組、を第一時間間隔組と/あるいは第二時間間隔組を確定することetu時間パラメータとpdtことによって、保証データ伝送に毎回送信側と、受信側にetuとpdtのことで一緻して、毎回データ伝送の安定性と正確性、たびたび数によると前によって受信側も伝送送信側の情報を送信握手は新たな時間パラメータetuとpdtの値を避け、週波数差が複数文字の連続加算による誤差累計、送信防止に有効に時計と受信時間パラメータの違いは大きい時、受信側によるサンプリングたりして、受信エラー、通信効率の技術問題。
【０１４４】
フローチャートにおいて、又はここで他の形態によって説明した任意の過程又は方法が、１つ又は複数の特定のロジック機能又は過程を実現するためのステップを含む実行可能な指令のコードのモジュール、一段又は一部を示し、且つ、本発明の好ましい実施形態の範囲は、別の実現形態を含み、ここで、示された又は説明した順序に従わなくてもよく、また、係わる機能によって、基本的に同時で、又は逆の順序で機能を実行してもよい。これは、本発明の実施例が属する当業者であれば理解できるはずである。
【０１４５】
なお、本発明の各部分はハードウェア、ソフトウェア、ファームウェア又はそれらの組み合わせによって実現してもよい。上述した実施形態において、複数のステップ又は方法は、メモリに記憶されるとともに、適切な指令によってシステムを実行するソフトウェア又はファームウェアによって実現してもよい。例えばハードウェアで実現する場合、他の実施形態と同じように、例えば、データ信号に対してロジック機能を実現するためのロジックゲート回路を有する離散ロジック回路、適切な組み合わせロジックゲート回路を有する専用集積回路、プログラマブルゲートアレイ（PGA）、フィールドプログラマブルゲートアレイ（FPGA）などの本分野の周知技術のいずれか１項又はそれらの組み合わせによって実現してもよい。
【０１４６】
当業者であれば、上述の実施例における方法に含まれる全部又は一部のステップの実現は、プログラムによって相関するハードウェアを指令して完成でき、プログラムはコンピュータ読取可能な記憶媒体に記憶されててもよく、当該プログラムが実行される場合、方法実施例における１つのステップ又はステップの組み合わせが実行される。
【０１４７】
さらに、本発明の各実施例における各機能ユニットは、１つの処理モジュールに集積されてもよい。また、各ユニットが個別に物理的に存在してもよい。また、２つ以上のユニットが１つのモジュールに集積されてもよい。上述した集積されたモジュールはハードウェアにより実現されてもよく、ソフトウェア機能モジュールにより実現されてもよい。集積されたモジュールがソフトウェア機能モジュールの形で実現されるとともに独立した製品として販売又は使用される場合、１つのコンピュータ読取可能な記憶媒体に記憶されててもよい。
【０１４８】
前記記憶媒体は、リードオンリーメモリ（ＲＯＭ）、磁気ディスク又は光ディスクなどであってもよい。
【０１４９】
本発明の説明において、「一つの実施形態」、「一部の実施形態」、「示例」、「具体的な示例」、或いは「一部の示例」などの用語を参考した説明とは、該実施形態或いは示例に結合して説明された具体的な特徴、構成、材料或いは特性が、本発明の少なくとも一つの実施形態或いは示例に含まれることである。本明細書において、上記用語に対する例示的な描写は、必ずしも同じ実施形態或いは示例を示すことではない。且つ、説明された具体的な特徴、構成、材料或いは特性は、任意の一つ或いは複数の実施形態又は示例において適切に結合することができる。
【０１５０】
以上、本発明の実施例を示して説明したが、上記の実施例は示例的な説明に過ぎず、本発明を限定するものではない。当業者は、本発明の原理及び主旨から逸脱することなく、本発明の範囲内で、これらの実施例に対して各種の変化、修正、切り替え及び変形を行うことができる。本発明の範囲は、特許請求の範囲及び同等物により限定される。
【図１】
2018527790.tif 000006
【図２】
2018527790.tif 000007
【図３】
2018527790.tif 000008
【図４】
2018527790.tif 000009
【図５】
2018527790.tif 000010
【図６】
2018527790.tif 000011
【図７】
2018527790.tif 000012
【図８】
2018527790.tif 000013
【図９】
2018527790.tif 000014
【図１０】
2018527790.tif 000015
【図１１】
2018527790.tif 000016
【図１２】
2018527790.tif 000017
【図１３】
2018527790.tif 000018
【図１４】
2018527790.tif 000019
【図１５】
2018527790.tif 000020
【図１６】
2018527790.tif 000021
【図１７】
2018527790.tif 000022
【図１８】
2018527790.tif 000023
【図１９】
2018527790.tif 000024
【図２０】
2018527790.tif 000025
【図２１】
2018527790.tif 000026
【手続補正書】
【提出日】平成30年1月19日(2018.1.19)
【手続補正１】
【補正対象書類名】明細書
【補正対象項目名】全文
【補正方法】変更
【補正の内容】
【発明の詳細な説明】
【発明の詳細な説明】
【０００１】
本願は、出願番号がＣＮ２０１５１０６０５５１７．８であって、出願日が２０１５年０９月２１日である中国特許出願に基づき、優先権を主張し、当該中国特許出願の全容を本願に援用する。
【技術分野】
【０００２】
本発明は電子技術分野に関し、特に、データ送信方法及び装置、並びにデータ受信方法及び装置に関する。
【背景技術】
【０００３】
現在、電子製品の迅速な発展につれて、外部インターフェースが混雑になっており、典型的な有線外部インターフェースとして、ＵＳＢインターフェース、ＤＯＣＫインターフェースなどがある。しかし、これらのインターフェースは、通信や充電のために、少なくとも三本以上の線が必要になり、電子機器に大きい体積を占めるとともに、さらに多くのハードウェアのサポートが必要になる。従って、当該技術分野において、ハードウェアのコスト削減及び電子機器の体積減少のために、二本の線のみによってデータ伝送を実現できる両線通信技術手段が望まれている。
【発明の概要】
【発明が解決しようとする課題】
【０００４】
本発明は、上記課題の一つを解決する旨がある。本発明は、以下のような技術手段を提供する。
【課題を解決するための手段】
【０００５】
本発明の第１の態様によればデータ送信方法が提供され、当該データ送信方法は、現在のデータを伝送する時間パラメータを決定するステップと、時間パラメータに従って、Ｎビットデータに含まれる２Ｎ個の異なる数値と時間間隔の対応関係を取得し、ただし、異なる数値に対応する時間間隔が異なり、Ｎ≧１であるステップと、現在の送信対象のデータビットストリングを取得するステップと、データビットストリングに対して、各グループのデータがＮビットになるようにグループ分けを行うステップと、取得された対応関係に基づいて、各グループのデータの数値に対応する時間間隔で当該グループのデータを示すように、当該グループのデータを送信するステップと、を含む。
【０００６】
また、本発明の第２の態様によればデータ受信方法が提供され、当該データ受信方法は、現在のデータを伝送する時間パラメータを決定するステップと、Ｘ個の信号を受信し、Ｘ個の信号における隣接する２つの信号の各開始時刻の間の時間間隔を決定して、Ｘ-１個の時間間隔を取得し、ただし、Ｘが正整数であり、且つＸ＞１であるステップと、決定された時間パラメータに基づいて、Ｘ-１個の時間間隔における連続的なＳ個の時間間隔ごとの個別の時間間隔に対応する数値を取得して、Ｓ個の時間間隔において伝送される数値を取得し、Ｓ個の時間間隔において伝送される数値が個別の時間間隔に対応する数値であり、数値がＮビットデータに含まれる２Ｎ個の異なる数値における１つであり、Ｓ＞１の場合、Ｓ個の時間間隔における各時間間隔が同一であり、 Ｘ及びＳがいずれも正整数であり、且つＳ≦Ｘ-１、Ｎ≧１であるステップと、を含む。
【０００７】
また、本発明の第３の態様によればデータ送信装置が提供され、当該データ送信装置は、現在のデータを伝送する時間パラメータを決定するための時間パラメータ決定ユニットと、
時間パラメータに基づいて、Ｎビットデータに含まれる２Ｎ個の異なる数値と時間間隔の対応関係を取得するためのものであって、ここで、異なる数値に対応する時間間隔が異なり、Ｎ≧１である時間間隔取得ユニットと、
現在の送信対象のデータビットストリングを取得して、データビットストリングに対して、各グループのデータがＮビットになるようにグループ分けを行うデータビットストリング取得ユニットと、
取得された対応関係に基づいて、各グループのデータの数値に対応する時間間隔で当該グループのデータを示すように、当該グループのデータを送信するための送信ユニットと、を備える。
【０００８】
さらに、本発明の第４の態様によればデータ受信装置が提供され、当該データ受信装置は、現在のデータを伝送する時間パラメータを決定するための時間パラメータ決定ユニットと、
Ｘ個の信号を受信して、Ｘ個の信号における隣接する２つの信号の各開始時刻の間の時間間隔を決定して、Ｘ-１個の時間間隔を取得するためのものであって、ただし、Ｘが正整数であり、且つＸ＞１である受信ユニットと、
決定された時間パラメータに基づいて、Ｘ-１個の時間間隔における連続的なＳ個の時間間隔ごとの個別の時間間隔に対応する数値を取得して、Ｓ個の時間間隔において伝送される数値を取得するためのものであって、Ｓ個の時間間隔において伝送される数値が個別の時間間隔に対応する数値であり、数値がＮビットデータに含まれる２Ｎ個の異なる数値における１つであり、Ｓ＞１の場合、Ｓ個の時間間隔における各時間間隔が同一であるデータ取得ユニットと、を備える。
【発明の効果】
【０００９】
上述した本発明により提供された技術手段から分かるように、本発明が提供する技術手段によれば、伝送時間間隔を利用して情報の伝送が可能であり、データ送信機器は２つの信号の間の時間間隔において伝送されるデータ情報を示することで、二本の線のみによってデータ通信が可能であり、データ送信機器及びデータ受信機器は２つの通信インターフェースのみによる通信が可能である。
【００１０】
以下、本発明の実施例に係る技術手段をさらに明瞭に説明するために、実施例の説明に必要な図面に対して簡単に説明する。勿論、以下の説明における図面は単に本発明の一部の実施例に過ぎず、当業者は創造的な労働をしない前提でこれらの図面から他の図面も取得できる。
【図面の簡単な説明】
【００１１】
【図１】本発明の実施例１により提供されるデータ送信方法を示すフローチャートである。
【図２】本発明の実施例１により提供されるデータグループごとが１つの時間間隔に対応可能であり、複数の時間間隔にも対応可能な波形を示す模式図である。
【図３】本発明の実施例１により提供されるＮ＝２である場合の、データビットストリング００１１１００１００を送信する波形を示す模式図である。
【図４】本発明の実施例１により提供されるＮ＝１である場合の、データビットストリング００１１１００１００を送信する波形を示す模式図である。
【図５】本発明の実施例１により提供されるＮ＝３である場合の、データビットストリング００１１１００１００を送信する波形を示す模式図である。
【図６】本発明の実施例２により提供されるデータ受信方法を示すフローチャートである。
【図７】本発明の実施例３により提供されるデータ送信装置の構成を示す模式図である。
【図８】本発明の実施例４により提供されるデータ受信装置の構成を示す模式図である。
【発明を実施するための形態】
【００１２】
以下、本発明の実施例における図面を参照しながら、本発明の実施例に係る技術手段に対して明瞭且つ完全に説明する。勿論、説明される実施例は単に一部の実施例に過ぎず、全部の実施例ではない。当業者は、本発明の実施例に基づき、創造的な労働をしない前提で得られるあらゆる他の実施例が本発明の保護範囲に属する。
【００１３】
なお、本発明の説明において、「第１」や、「第２」は目的を説明するためのものだけであり、相対的な重要性や、数量や、位置を指示・暗示する意味と理解してはいけない。
【００１４】
以下、本発明の実施例に対して、図面を参照しながらさらに詳しく説明する。
【００１５】
実施例１
本実施例によれば、データ送信方法が提供される。図１は、本実施例の選択可能な１つのデータ送信方法のフローチャートである。本発明の実施例における実行主体はデータを送信する送信端であってもよい。
【００１６】
図１に示すように、前記データ送信方法は、主に以下のステップ１０１〜ステップ１０５を含む。
【００１７】
ステップ１０１、現在のデータを伝送する時間パラメータを決定する。
【００１８】
本実施例の選択可能な１つの実施形態において、現在のデータを伝送する時間パラメータは、データの送信端内に予め設定され、決定されたものであってもよい。また、データの送信端が他の装置から取得して決定されたものであってもよい。またさらに、データの送信端が予め設定することによって計算して決定されたものであってもよい。本発明は、現在のデータを伝送する時間パラメータの決定方式を限定しない。最終に、現在のデータを伝送する時間パラメータを決定できる方式であれば、何れも本発明の保護範囲に属する。
【００１９】
本実施例の選択可能な１つの実施形態において、本ステップは選択可能なステップである。
【００２０】
ステップ１０２、時間パラメータに従って、Ｎビットデータに含まれる２Ｎ個の異なる数値と時間間隔の対応関係を取得する。ここで、異なる数値に対応する時間間隔が異なり、Ｎ≧１である。
【００２１】
本実施例の選択可能な１つの実施形態として、「時間パラメータに従って、Ｎビットデータに含まれる２Ｎ個の異なる数値と時間間隔の対応関係を取得する。ここで、異なる数値に対応する時間間隔が異なり、Ｎ≧１である」に対して以下のように理解してもよい。
【００２２】
２Ｎ個の長さがＮであるビットストリングにおける各ビットストリングと時間間隔の対応関係を取得し、ここで、２Ｎ個のビットストリングは互いに異なり、且つ異なるビットストリングに対応する時間間隔が異なり、且つＮ≧１である。例えば、Ｎ＝１である場合、２個の長さが１であるビットストリングにおける各ビットストリングはそれぞれ０及び１であり、Ｎ＝２である場合、４個の長さが２であるビットストリングにおける各ビットストリングはそれぞれ００、０１、１０及び１１であり、Ｎ＝３又は３以上である場合、Ｎ＝２である場合を参照すればいいので、ここで贅言して説明しない。
【００２３】
本実施例の選択可能な１つの実施形態において、「Ｎビットデータに含まれる２Ｎ個の異なる数値」に対して以下のように理解してもよい。例えば、Ｎ＝１である場合、１ビットデータは２１個の異なる数値を含み、それぞれ０、１であり、Ｎ＝２である場合、２ビットデータは２２個の異なる数値を含み、それぞれ００、０１、１０、１１である。「時間パラメータに従って、Ｎビットデータに含まれる２Ｎ個の異なる数値と時間間隔の対応関係を取得する」に対して以下のように理解していもよい。例えば、Ｎ＝１である場合、時間パラメータに従って、０に対応する時間間隔を取得し、時間パラメータに従って、１に対応する時間間隔を取得する。Ｎ＝２である場合、時間パラメータに従って、００に対応する時間間隔を取得し、時間パラメータに従って、０１に対応する時間間隔を取得し、時間パラメータに従って、１０に対応する時間間隔を取得し、時間パラメータに従って、１１に対応する時間間隔を取得する。勿論、Ｎが他の値である場合、上記の理解方式と同じであるので、ここで贅言して説明しない。
【００２４】
本実施例の選択可能な１つの実施形態において、データの送信端は、データの受信端と予め合意した計算方法によって、当該数値に対応する時間間隔を算出することができる。例えば、Ｎ＝ｎである場合、数値ｍに対応する時間間隔の計算方法は以下の通りであってもよい。即ち、数値ｍに対応する時間間隔＝ｅｔｕ＋ｍ*ｐｄｔ（ただし、０≦ｍ≦２n-１、ｅｔｕが第１の時間パラメータであり、ｐｄｔが第２の時間パラメータである。例えば、ｅｔｕ＝１０μs、ｐｄｔ＝３０μsである）である。即ち、数値１１に対応する時間間隔の計算方法は、１０μs＋３*３０μs＝１００μsであってもよい。当該選択可能な実施形態によって、数値に対応する時間間隔を計算できる。勿論、本発明は、他の予め合意された計算方法によって時間間隔を決定してもよいし、本発明はこれに対して限定しない。予め合意された計算方法によって当該数値に対応する時間間隔を算出することにより、データ伝送の拡張性を確保できる。即ち、Ｎの値が何であるかに問わず、送信端及び受信端がそれぞれ異なる数値と時間間隔の対応関係を計算できる。
【００２５】
本発明の実施例の他の選択可能な１つの実施形態として、データの送信端は、データの受信端と予め合意して記憶したリストによって当該数値に対応する時間間隔を決定してもよい。リストを照会することによって当該数値に対応する時間間隔を決定すると、当該数値に対応する時間間隔を取得する効率を向上することができる。
【００２６】
本発明の実施例の他の選択可能な１つの実施形態として、データの送信端は、データの受信端と予め合意した計算方法によって当該数値に対応する時間間隔を算出した後、データの送信端が予め記憶したリストを照会することで、当該計算して得られた数値に対応する時間間隔がデータの受信端の受信範囲内にあるか否かを判断する。数値に対応する時間間隔を算出した後、さらにリストを照会することで数値に対応する時間間隔を取得すると、受信端が正常に受信することを確保する前提でデータ伝送の拡張性を向上できる。
【００２７】
ステップ１０３、現在の送信対象のデータビットストリングを取得する。
【００２８】
本発明の選択可能な１つの実施形態において、データの送信端は、現在の送信対象のデータビットストリングを自ら生成してもよいし、他の装置から現在の送信対象のデータビットストリングを受信してもよい。本発明は、現在の送信対象のデータビットストリングの取得方式に対して限定しない。最終に、現在の送信対象のデータビットストリングを取得できる方式であれば、何れも本発明の保護範囲に属する。
【００２９】
本発明の選択可能な１つの実施形態として、データの送信端を、他の装置（以下、第１の端末と称する）とデータの受信端の通信に対して中継する１つの中継装置としてもよい。この場合、データの送信端は、以下のステップを含む方法を介して、現在の送信対象のデータビットストリングを取得する。即ち、ステップ１０３a、第１のインターフェースを介して第１のデータを受信する。ステップ１０３b、第１のインターフェースがサポートするプロトコールに基づいて第１のデータに対してデコードして、現在の送信対象の第１のデータビットストリングを取得する。データの送信端が中継装置とされる場合、２つの通信インターフェースを有してもよい。例えば、第１のインターフェース及び第２のインターフェースを有し、第１のインターフェースが第１の端末と通信するインターフェースであり、第２のインターフェースがデータの受信端と通信するインターフェースであり、第１のインターフェースが、例えば、ＵＳＢインターフェース、オーディオインターフェース、シリアルポート、ブルートゥース、ＷｉＦｉ、ＮFCなどの無線インターフェースや有線インターフェースの既存のユニバーサルインターフェースであってもよく、第１の端末からの第１のデータを受信するように、当該第１のインターフェースを介して第１の端末に接続してもよい。第１の端末は携帯電話、コンピュータ、PADなどの機器であってもよい。当該第１のデータは携帯電話、コンピュータ、PADにおいて伝送するデータであってもよい。同時に、第１のインターフェースのインターフェースのタイプによって、サポートするプロトコールに基づいて受信された第１のデータに対してデコードしてもよい。例えば、第１のインターフェースはＵＳＢプロトコール、オーディオプロトコール、シリアルポートプロトコール、ブルートゥースプロトコール、ＷｉＦｉプロトコール、ＮFCプロトコールなどに基づいて第１のデータに対してデコードして、第１のデータに対応するデータビットストリングを取得する。当該データビットストリングは、現在の送信対象の第１のデータビットストリング（即ち、現在の送信対象のデータビットストリング）である。第２のインターフェースは、電子支払い機器（即ち、データの受信端）に接続されたインターフェースであってもよく、当該第２のインターフェースを介してデータを電子支払い機器に送信する。当該第２のインターフェースは、１つのＴＷＩ（Ｔｗｏ−ｗｉｒｅ  Ｉｎｔｅｒｆａｃｅ）インターフェースであってもよく、当該電子支払い機器はＵＳＢＫｅy、OTP及びスマートカードなどの機能を実現可能である。本発明は、データの送信端を中継装置として、当該第１のインターフェースを介してデータ変換を行って、端末からのデータをデータの受信端との通信に適切なデータに変換することを実現して、異なるインターフェースの間の変換を実現し、本発明のデータの送信端の適用範囲を広げた。データの送信端を１つの中継装置とする場合、第１のインターフェースを介して現在の送信対象のデータビットストリングを取得し、本発明に係るデータ送信方法により第２のインターフェースを介して現在の送信対象のデータビットストリングを送信すればよい。勿論、本発明の実施例に係るデータの送信端は、後述の実施例２に記載された受信方法により、第２のインターフェースを介して後述の実施例２に記載された受信方法におけるＸ個の信号を受信して、取得されたＳ個の時間間隔によりおける個別の時間間隔に対応する数値によって、Ｘ-１個の時間間隔に対応する第２のデータビットストリングを取得してもよい。第１のインターフェースによりサポートされるプロトコルによって、第２のデータビットストリングに対いてエンコードして第２のデータを取得し、第１のインターフェースを介して第２のデータを送信する。このとき、第１のインターフェースのインターフェースのタイプによって、サポートするプロトコールによって受信された第２のデータビットストリングに対いてエンコードする。例えば、第１のインターフェースは、ＵＳＢプロトコール、オーディオプロトコール、シリアルポートプロトコール、ブルートゥースプロトコール、ＷｉＦｉプロトコール、ＮFCプロトコールなどによって、第２のデータビットストリングに対いてエンコードして、現在の送信対象の第２のデータを取得する。当該第１のインターフェースを介してデータ変換を行って、本実施例の生成されたデータビットストリングを、ユニバーサルインターフェースプロトコールがサポート可能なデータに変換して、異なるインターフェースの間の変換を実現し、本実施例のデータの送信端の適用範囲を拡大した。
【００３０】
ステップ１０４、各グループのデータがＮビットになるように、データビットストリングに対してグループ分けを行う。
【００３１】
本実施例において、その他、ステップ１０３及びステップ１０４はステップ１０２の前の任意のタイミングに実施されてもよい。データを送信する前に、データビットストリングを取得してグループ分けを行えばよい。また、データの送信端は、毎回データを送信する前に、ステップ１０１及びステップ１０２を一回実行してもよい。或いは、データの送信端は、先にステップ１０１及びステップ１０２を実行し、その後、データを送信するたびにステップ１０２によりＮビットデータに含まれる２Ｎ個の異なる数値と時間間隔の対応関係を取得して、現在の送信対象のデータに対してエンコードしてもよい。或いは、１つの有效期限を設定して、当該有效期限内にデータを送信することは、ステップ１０２によりＮビットデータに含まれる２Ｎ個の異なる数値と時間間隔の対応関係を取得して、現在の送信対象のデータに対してエンコードすることを採用してもよい。或いは、イベントトリガの手段によって、１回のイベントトリガを受信するたびに、例えば、ユーザが現在のデータを伝送する時間パラメータを入力して、Ｎビットデータに含まれる２Ｎ個の異なる数値と時間間隔の対応関係を１回算出する。本実施例は具体的に限定しない。
【００３２】
本発明の選択可能な１つの実施形態として、各グループのデータがＮビットになるように、データビットストリングに対して複数の方法によってグループ分けることができる。各グループに１ビットを含むようにグループ分けを行なってもよいし、各グループに２ビットを含むようにグループ分けを行なってもよい。データビットストリングが単数を含む場合、２ビットを含む方法によって完全にグループ分けを行うことができないので、データビットストリングに対して０を補足して補足してからグループ分けを行う。このとき、データの送信端とデータの受信端は０を補足する方式に対して予め設定又は合意する。データの高位ビットからデータビットストリングを送信するとき、ビットストリングの最後のビットに０を補足する。また、データの低位ビットからデータビットストリングを送信するとき、ビットストリングの高位ビットに０を補足する。勿論、各グループに３ビット及び３ビット以上を含む場合、各グループに２ビットを含むようにグループ分けを行う方式を参照すればよいので、ここで贅言して説明しない。
【００３３】
ステップ１０５、取得された対応関係に基づいて、各グループのデータの数値に対応する時間間隔で当該グループのデータを示すように、当該グループのデータを送信する。
【００３４】
本実施例において、各グループのデータの数値が１つの時間間隔に対応してもよいし、複数の同一の時間間隔に対応してもよい。例えば、図２を参照すると、１つのグループのデータに２ビットが含まれ、当該グループのデータの数値が００、０１、１０及び１１であり、当該グループのデータの数値が００である場合、１つの時間間隔で数値００を示し、このとき、当該１つの時間間隔に対応する時間長さがｅｔｕである。即ち、当該グループのデータ００の表現方式は例えば１つの１０μsの時間間隔であってもよい。当該グループのデータが００である場合、５つの時間間隔で数値００を示してもよい。このとき、当該５つの時間間隔における各時間間隔の時間長さがｅｔｕであってもよい。即ち、当該グループのデータ００の表現方式は５つの時間間隔が同じ信号であってもよく、各時間間隔が１０μsの時間間隔である。各グループのデータの数値が１つの時間間隔に対応することを採用すると、データ伝送速度が速くなり、効率が向上される。各グループのデータの数値が複数の時間間隔に対応することを採用すると、当該時間間隔に対応する数値を的確に判断でき、データ伝送中、時間間隔の紛失によるミスを防止できる。
【００３５】
本実施例の選択可能な１つの実施形態において、各グループのデータに対して、当該グループのデータを送信するとき、Ｍ個の信号を生成して送信する。その中で、各信号の開始時刻と隣接する前の１つの信号の開始時刻の時間間隔が当該グループのデータの数値に対応する時間間隔であり、Ｍ≧１、且つＭが自然数である。信号を採用することにより生成された時間間隔は、検出しやすくなり、安定性が高い効果を奏する。
【００３６】
その他、時間間隔に従ってＭ回のローレベルパルスを生成することによってＭ個の信号を生成してもよいし、時間間隔に従ってＭ回のハイレベルパルスを生成することによってＭ個の信号を生成してもよい。当該ローレベルパルス/ハイレベルパルスは、矩形波、正弦波、三角波などによってローレベルパルス/ハイレベルパルスを区別できる波形が示されてよいが、ここでこれに対して限定しない。好ましくは、時間間隔に従ってローレベルパルスを生成し、送信端と受信端が通信するとき、送信端がハイレベルで受信端に給電し、ローレベルパルスで情報を伝送する方法を採用する。このような方法を採用する機器は、情報インタラクションを行うとき、同一の線を介して給電及び情報の伝送を同時に実施できるので、機器の体積及びコストを低減できる。
【００３７】
本実施例の選択可能な１つの実施形態において、ステップ１０５の第１グループデータを送信する前に、Ｋ個のハンドシェイク信号を生成して送信するステップ１０５aをさらに含む。ただし、Ｋ≧２、且つＫが整数である。隣接する２つの信号の間だけに１つの時間間隔を形成することができるので、少なくとも１つの時間間隔があることを示すため、少なくとも２つのハンドシェイク信号を生成して送信しなければならない。送信端がハンドシェイク信号を送信し、受信端が当該ハンドシェイク信号によってデータの伝送開始位置を判断し、データ伝送效率を向上する。
【００３８】
その他、Ｋ個のハンドシェイク信号の間に予め設定された関係を満足する。送信端は予め設定された関係を満足するハンドシェイク信号を送信し、受信端は当該予め設定された関係によって、受信されたデータがハンドシェイク信号であるか否かを的確に判断できる。
【００３９】
その他、ハンドシェイク信号に時間パラメータが含まれる。受信端は当該Ｋ個のハンドシェイク信号によって時間パラメータを取得することにより、受信端が送信端からの信号を受信するとき、時間間隔を取得して、時間パラメータ及び時間間隔に従って送信端からのデータを取得する。これにより、受信端は送信端における使われる時間パラメータによってデータの数値を示す時間間隔を取得でき、受信端の理論上の時間パラメータと実際の時間パラメータがマッチングしない課題を解決する。
【００４０】
その他、上述の「Ｋ個のハンドシェイク信号の間が予め設定された関係を満足する」とは、第１の時間間隔と第２の時間間隔の間が予め設定された関係を満足することであってもよい。ここで、第１の時間間隔が第ｉ個のハンドシェイク信号の開始時刻と第ｉ-１個のハンドシェイク信号の開始時刻との間の時間間隔であり、第２の時間間隔が第ｉ個のハンドシェイク信号の開始時刻と第ｉ＋１個のハンドシェイク信号の開始時刻との間の時間間隔であり、ｉ＝２,４,……,２j、j＝(Ｋ-１)/２、Ｋ≧３、且つＫが奇数である。この選択可能な実施形態において、「第１の時間間隔と第２の時間間隔の間が予め設定された関係を満足する」とは、送信端と受信端が予め約束した関係である。例えば、第２の時間間隔が第１の時間間隔の２倍である。送信端が予め設定された関係を満足するハンドシェイク信号を送信し、受信端が受信されたデータが予め設定された関係を満足する否かによって受信された信号がハンドシェイク信号であるか否やかを判断する。例えば、５つのハンドシェイク信号を生成して送信するとき、ｔ０、ｔ１、ｔ２及びｔ３の４つの時間間隔が含まれ、ここで、第１の時間間隔がｔ０及びｔ２を含み、第２の時間間隔がｔ１及びｔ３を含んでもよい。また、第１の時間間隔と第２の時間間隔が満足する予め設定された関係がｔ１＝２ｔ０、ｔ３＝２ｔ２であってもよい。
【００４１】
その他、さらに、上述したＫ個のハンドシェイク信号の間の時間間隔によってステップ１０１における時間パラメータを伝送して、受信端が当該Ｋ個のハンドシェイク信号によって送信端に使われる時間パラメータを取得でき、受信端に使われる時間パラメータをさらに確認することができる。具体的に、送信端はステップ１０１における時間パラメータによって、第１の時間間隔グループと第２の時間間隔グループを決定でき、第１の時間間隔グループが少なくとも１つの第１の時間間隔を含み、第２の時間間隔グループが少なくとも１つの第２の時間間隔を含む。
【００４２】
その他、第１の時間間隔及び第２の時間間隔によってＫ回のローレベルパルスを生成することでＫ個のハンドシェイク信号を生成する。また、第１の時間間隔及び第２の時間間隔によってＫ回のハイレベルパルスを生成することでＫ個のハンドシェイク信号を生成してもよい。当該ローレベルパルス/ハイレベルパルスは、矩形波、正弦波、三角波などによってローレベルパルス/ハイレベルパルスを区別できる波形が示されるが、これに対して限定しない。好ましくは、時間間隔によってローレベルパルスを生成することでハンドシェイク信号を生成し、送信端と受信端が通信するとき、送信端がハイレベルで受信端に給電し、ローレベルパルスで情報を伝送する方法を採用する。このような方法を採用する機器は、情報インタラクションを行うとき、同一の線を介して給電及び情報の伝送を同時に実施できるので、機器の体積及びコストを低減できる。
【００４３】
本実施例の選択可能な１つの実施形態において、ステップ１０５の後、現在のデータ伝送の速度を満足させるために、時間パラメータを変更してもよい。即ち、ステップ１０５の後、さらに、予め設定された規則に従って、現在使用中の時間パラメータを新しい時間パラメータに切り替え、新しい時間パラメータを現在のデータを伝送する時間パラメータとして決定し、現在のデータを伝送する時間パラメータにより対応関係を更新し、後続のデータ送信過程において、更新された対応関係に基づいてデータ伝送を行うステップ１００をさらに含んでもよい。本実施形態において、新しい時間パラメータの決定は、送信端と受信端の合意を介して完成されてもよいし、送信端及び受信端が予め記憶した時間パラメータのリストを照会することで完成されてもよい。例えば、あるタイプのデータを送信するとき、リストを照会することで当該タイプのデータが使用すべきの時間パラメータを決定する。送信端の時間パラメータは可変であり、異なるデータ処理能力の受信端がマッチングされ、又は異なるタイプデータがマッチングされて、データ処理効率をさらに向上する。
【００４４】
本実施例の選択可能な１つの実施形態において、ステップ１０５で最後の１つグループのデータの送信を完成した後、検証データを送信し、当該検証データによって、データの受信端が受信したデータの完備性及び正確性を判断するステップ１０６をさらに含んでもよい。検証データは、ＭAC検証、パリティ検証、サム検証などの検証方法によって計算された検証データであるが、これらに限定しない。
【００４５】
本実施例の選択可能な１つの実施形態において、ステップ１０５で最後の１つグループのデータの送信を完成した後、或いはステップ１０５で最後の１つグループのデータの送信を完成した後であって、ステップ１０６の前に、A個の終了信号（A≧１、且つ整数である）を送信するステップ１０７をさらに含んでもよい。終了信号がハンドシェイク信号と同じであってもよいし、異なってもよい。当該終了信号によって、受信端がデータの受信が終了したか否かを判断できる。 
【００４６】
上述した本発明の実施例により提供された技術手段によれば、送信端は送信波形の時間間隔で送信波形のデータを示すことができ、二本の線のみを使ってデータの送信を完成でき、電子機器に適用するとき、電子機器の体積を有効的に低減できる。
【００４７】
以下、現在の送信対象のビットストリングが００１１１００１００であり、且つＮ＝２であることを例として、本発明の実施例により提供されるデータ送信方法に対して簡単に説明する。
【００４８】
ステップ１０１において、現在の伝送時間パラメータを決定する。その他、２つの時間パラメータ、即ち、第１の時間パラメータｅｔｕ及び第２の時間パラメータｐｄｔを決定する。ここで、ｅｔｕ＝１０μs、ｐｄｔ＝３０μsである。本発明の実施例において、時間パラメータとは、データの送信に占められる時間長さである。時間パラメータの個数はＮとの間に対応関係が存在しなく、受信端と一致すればよい。本実施例は、時間パラメータがデータの数値に対応する時間間隔を表現できればよいので、その具体的な個数に対して限定しない。
【００４９】
ステップ１０２において、時間パラメータによって、Ｎビットデータに含まれる２Ｎ個の異なる数値と時間間隔の対応関係を取得する。例えば、Ｎ＝２である場合、時間パラメータによって、２ビットデータに含まれる４つの異なる数値と時間間隔の対応関係を取得する。即ち、００＝ｅｔｕ、０１＝ｅｔｕ＋ｐｄｔ、１０＝ｅｔｕ＋２ｐｄｔ、１１＝ｅｔｕ＋３ｐｄｔであってもよい。本発明において、時間パラメータの複数の組み合わせ方式によって２ビットデータの数値に対応する時間間隔を表現できるが、これに対して限定しない。 
【００５０】
ステップ１０３において、現在の送信対象のデータビットストリング００１１１００１００を取得する。
【００５１】
ステップ１０４において、データビットストリング００１１１００１００に対して、各グループのデータが２ビットであり、即ち、００ １１ １０  ０１ ００を含むようグループ分けを行う。
【００５２】
ステップ１０５において、取得された対応関係に基づいて、各グループのデータの数値に対応する時間間隔で当該グループのデータを示すように、当該グループのデータを送信する。本実施例において、各グループのデータの数値が１つの時間間隔に対応してもよいし、複数の同じ時間間隔に対応してもよい。例えば、００が１つのｅｔｕの時間間隔（例えば、１０μs）に対応し、１つの信号の後、当該時間間隔で他の１つの信号を送信する。このように形成されたｅｔｕの時間長さが数値００を示す。勿論、００が３つのｅｔｕの時間間隔（例えば、各時間間隔が１０μsである）に対応してもよく、１つの信号の後、ｅｔｕの時間間隔で３つの信号を連続して送信し、受信端においてこのような３つの同じ時間長さを受信する場合に、数値００を受信したと認定する。複数の同じ時間間隔で各グループのデータを示すとき、送信端と受信端において時間間隔の個数が同じであればよいが、本実施例はこれに対して具体的に限定しない。
【００５３】
本実施例において、データビットストリングの順序に従って、ｅｔｕの時間間隔で数値００を送信することを示す。ｅｔｕ＋３ｐｄｔの時間間隔で数値１１を送信することを示し、ｅｔｕ＋２ｐｄｔの時間間隔で数値１０を送信することを示し、ｅｔｕ＋ｐｄｔの時間間隔で数値０１を送信することを示し、ｅｔｕの時間間隔で数値００を送信することを示す。各グループのデータの数値に対応す１つの時間間隔を例として、データビットストリング００１１１００１００を送信する波形を図３のように示すが、各信号の間の時間間隔で、当該データビットストリングの送信を完成する。
【００５４】
以下、現在の送信対象のビットストリングが００１１１００１００であり、 且つＮ＝１であることを例として、本発明の実施例により提供されるデータ送信方法に対して簡単に説明する。
【００５５】
ステップ１０１において、現在の伝送時間パラメータを決定する。その他、２つの時間パラメータ、即ち、第１の時間パラメータｅｔｕ及び第２の時間パラメータｐｄｔを決定する。ここで、ｅｔｕ＝１０μs、ｐｄｔ＝３０μsである。時間パラメータの個数はＮとの間に対応関係が存在しなく、本実施例は、時間パラメータがデータの数値に対応する時間間隔を表現できればよいので、時間パラメータの具体的な個数に対して限定しない。
【００５６】
ステップ１０２において、時間パラメータによって、Ｎビットデータに含まれる２Ｎ個の異なる数値と時間間隔の対応関係を取得する。例えば、Ｎ＝１である場合、時間パラメータによって、１ビットデータに含まれる２つの異なる数値と時間間隔の対応関係を取得する。即ち、０＝ｅｔｕ、１＝ｐｄｔであってもよい。本発明において、時間パラメータの複数の組み合わせ方式によって１ビットデータの数値に対応する時間間隔を表現できるが、これに対して限定しない。
【００５７】
ステップ１０３において、現在の送信対象のデータビットストリング００１１１００１００を取得する。
【００５８】
ステップ１０４において、データビットストリング００１１１００１００に対して、各グループのデータが１ビット、即ち、０ ０ １ １ １ ０ ０ １ ０ ０を含むようにグループ分けを行うが、本ステップを省略してもよい。
【００５９】
ステップ１０５において、取得された対応関係に基づいて、各グループのデータの数値に対応する時間間隔で当該グループのデータを示すように、当該グループのデータを送信する。本実施例において、各グループのデータの数値が１つの時間間隔に対応してもよいし、複数の同じ時間間隔に対応してもよい。例えば、０が１つのｅｔｕの時間間隔（例えば、１０μs）に対応し、１つの信号の後、当該時間間隔で他の１つの信号を送信する。このように形成されたｅｔｕの時間長さが数値０を示す。勿論、０が３つのｅｔｕの時間間隔（例えば、各時間間隔が１０μsである）に対応してもよく、１つの信号の後、ｅｔｕの時間間隔で３つの信号を連続して送信し、受信端においてこのような同じ３つの時間長さを受信する場合に、数値０を受信したと認定する。
【００６０】
本実施例において、データビットストリングの順序に従って、各グループのデータを送信する。即ち、各信号の時間間隔はｅｔｕの時間間隔、ｅｔｕの時間間隔、 ｐｄｔの時間間隔、ｐｄｔの時間間隔、ｐｄｔの時間間隔、ｅｔｕの時間間隔、ｅｔｕの時間間隔、ｐｄｔの時間間隔、ｅｔｕの時間間隔、ｅｔｕの時間間隔である。各グループのデータの数値に対応する１つの時間間隔を例として、データビットストリング００１１１００１００を送信する波形を図４のように示すが、各信号の間の時間間隔で、当該データビットストリングの送信を完成する。
【００６１】
以下、現在の送信対象のビットストリングが００１１１００１００であり、且つＮ＝３であることを例として、本発明の実施例により提供されるデータ送信方法に対して簡単に説明する。
【００６２】
ステップ１０１において、現在の伝送時間パラメータを決定する。その他、２つの時間パラメータであり、即ち、第１の時間パラメータｅｔｕ及び第２の時間パラメータｐｄｔを決定する。ここで、ｅｔｕ＝１０μs、ｐｄｔ＝３０μsである。時間パラメータの個数はＮとの間に対応関係が存在しなく、本実施例は、時間パラメータがデータの数値に対応する時間間隔を表現できればよいので、時間パラメータの具体的な個数に対して限定しない。
【００６３】
ステップ１０２において、時間パラメータによって、Ｎビットデータに含まれる２Ｎ個の異なる数値と時間間隔の対応関係を取得する。例えば、Ｎ＝３である場合、時間パラメータによって、３ビットデータに含まれる８つの異なる数値と時間間隔の対応関係を取得する。例えば、０００＝ｅｔｕ、００１＝ｅｔｕ＋ｐｄｔ、０１０＝ｅｔｕ＋２ｐｄｔ、０１１＝ｅｔｕ＋３ｐｄｔ、１００＝ ｅｔｕ＋４ｐｄｔ、１０１＝ ｅｔｕ＋５ｐｄｔ、１１０＝ ｅｔｕ＋６ｐｄｔ、１１１＝ｅｔｕ＋７ｐｄｔを取得する。本発明において、時間パラメータの複数の組み合わせ方式によって３ビットデータの数値に対応する時間間隔を表現できるが、これに対して限定しない。
【００６４】
ステップ１０３において、現在の送信対象のデータビットストリング００１１１００１００を取得する。
【００６５】
ステップ１０４において、データビットストリング００１１１００１００に対して、各グループのデータが３ビットになるようにグループ分けを行う。本実施例において、取得されたデータビットストリングが各グループに含まれるビット数の整数倍ではない場合、データビットストリングに対して０を補足する操作を行う。データビットストリングの送信順序がロービッドから高位ビットになる場合、ハイビッドに０を補足してグループ分けを行って、０００ ０１１ １００ １００になり、データビットストリングの送信順序が高位ビットから低位ビットになる場合、低位ビットに０を補足してグループ分けを行って、００１ １１０ ０１０ ０００になる。
【００６６】
ステップ１０５において、取得された対応関係に基づいて、各グループのデータの数値に対応する時間間隔で当該グループのデータを示すように、当該グループのデータを送信する。本実施例において、各グループのデータの数値が１つの時間間隔に対応してもよく、複数の同じ時間間隔に対応してもよい。
【００６７】
本実施例において、データビットストリングの低位ビットから高位ビットまでの順序で各グループのデータを送信する。即ち、ｅｔｕ＋４ｐｄｔの時間間隔の信号、ｅｔｕ＋４ｐｄｔの時間間隔の信号、 ｅｔｕ＋３ｐｄｔの時間間隔の信号、ｅｔｕの時間間隔の信号を送信する。各グループのデータの数値に対応する１つの時間間隔を例として、データビットストリング００１１１００１００を送信する波形を図５のように示すが、各信号の間の時間間隔で、当該データビットストリングの送信を完成する。勿論、高位ビットから低位ビットまでの順序で各グループのデータを送信する場合、低位ビットに０を補えばよい。データ送信方法は低位ビットから高位ビットまでの順序と類似する。高位ビットから始まる数値に対応する時間間隔に従って信号を順次送信すればよいので、ここで贅言して説明しない。
【００６８】
Ｎ≧４である場合、Ｎ＝２又はＮ＝３である場合のデータ送信方法を参照してデータを送信すればよい。
【００６９】
Ｎ＝１．５である場合、Ｎ＝２である場合のデータ送信方法を参照してデータを送信すればよいが、以下に差異がある。
【００７０】
少なくとも２つの時間間隔を使って３ビットデータ中の数値に対応する。即ち、Ｎの値が非整数である場合、複数の時間間隔を使ってBビットデータ中の異なる数値に対応する。ただし、BがＮの整数倍であり、Bが正整数である。
【００７１】
実施例２
本実施例は、データ受信方法を提供し、図６は本実施例の選択可能な１つのデータ受信方法のフローチャートである。本発明の実施例の実行主体はデータを受信する受信端であってもよい。
【００７２】
図６に示すように、当該データ受信方法は主に以下のステップ２０１〜ステップ２０３を含む。
【００７３】
ステップ２０１、現在のデータを伝送する時間パラメータを決定する。
【００７４】
本実施例の選択可能な１つの実施形態において、現在のデータを伝送する時間パラメータは、データの受信端において予め設定して決定されたものであってもよい。また、データの受信端が送信端から取得して決定されたものであってもよい。またさらに、データの受信端が予め設定することにより計算して決定されたものであってもよい。例えば、受信端は、データを受信する前に、先にハンドシェイク信号を受信し、ハンドシェイク信号によって、現在のデータを伝送する時間パラメータを決定するが、本発明は現在のデータを伝送する時間パラメータの決定方式に対して限定しない。最終に、現在のデータを伝送する時間パラメータを決定可能な方式であれば、何れも本発明の保護範囲に属する。
【００７５】
本実施例の選択可能な１つの実施形態において、本ステップは選択可能なステップである。
【００７６】
ステップ２０２、Ｘ個の信号を受信し、Ｘ個の信号における隣接する２つの信号の各開始時刻の間の時間間隔を決定して、Ｘ-１個の時間間隔を取得する。ただし、Ｘが正整数であり、且つＸ＞１である。
【００７７】
本実施例の選択可能な１つの実施形態において、「Ｘ個の信号を受信する」とは、Ｘ回のローレベルパルスを検出してもよく、Ｘ回のハイレベルパルスを検出してもよい。当該ローレベルパルス/ハイレベルパルスは、矩形波、正弦波、三角波などによってローレベルパルス/ハイレベルパルスを区別できる波形が示されるが、これに対して限定しない。好ましくは、検出されたのがローレベルパルスである。即ち、送信端が受信端にハイレベルを提供できる場合、ローレベルパルスを生成し、このような方式によって、送信端と受信端が通信するとき、受信端は送信端からのハイレベルを電源として、受信端の電気消費部材に電気エネルギーを提供する。例えば、受信端は、送信端からのハイレベルによって充電され、或いは受信端内部に電源を設けず、送信端からのハイレベルを電源として直接に使用する。このような方法を採用する機器は、情報インタラクションを行うとき、同一の線を介して給電及び情報の受信を同時に実施できるので、機器の体積及びコストを低減できる。
【００７８】
本実施例の選択可能な１つの実施形態において、ステップ２０２の前に、Ｋ個の信号を受信し、Ｋ個の信号の間が予め設定された関係を満足するか否かを検出するステップ２０２aをさらに含む。ただし、Ｋ≧２、且つＫが整数である。隣接する２つの信号の間だけに１つの時間間隔が形成するので、少なくとも１つの時間間隔を取得するように、少なくとも２つのハンドシェイク信号を受信すべきである。受信端は、Ｋ個の信号の間が予め設定された関係を満足するか否かによって当該Ｋ個の信号がハンドシェイク信号であるか否かを判断する。受信端はハンドシェイク信号を受信して、当該ハンドシェイク信号によってデータ伝送の開始位置を判断し、データ伝送効率を向上する。
【００７９】
その他、ステップ２０２aにおいて、Ｋ個の信号の間の時間間隔を検出して、第１の時間間隔と第２の時間間隔が予め設定された関係を満足するか否かを判断する。ここで、第１の時間間隔が第ｉ個の信号の開始時刻と第ｉ−１個の信号の開始時刻との間の時間間隔であり、第２の時間間隔が第ｉ個の信号の開始時刻と第ｉ＋１個の信号の開始時刻との間の時間間隔であり、ｉ＝２,４,……,２ｊ、ｊ＝(Ｋ−１)/２、Ｋ≧３、且つＫが奇数である。第１の時間間隔と第２の時間間隔が予め設定された関係を満足すると、Ｘ個の信号を受信するステップを実行する。即ち、受信されたＫ個の信号がハンドシェイク信号であり、Ｋ個の信号後の信号がデータ伝送信号であることを決定する。ここで、Ｋの値は予め設けられたものである。さらに、第１の時間間隔と第２の時間間隔が予め設定された関係を満足しないと、後続のＫ個の信号の間の時間間隔を検出し、予め設定された関係を満足するＫ個の信号を検出するまでに、後続のＫ個の信号の第１の時間間隔と第２の時間間隔の間が予め設定された関係を満足するか否やかを判断する。即ち、ハンドシェイク信号を検出しなかった場合、受信端はハンドシェイク信号を検出し続け、ハンドシェイク信号を検出してからデータの受信を始まる。これによって、送信端のミス操作があった場合に、受信端に信号を送信することを防止でき、同時に、データの開始も判断できる。さらに、第１の時間間隔と第２の時間間隔の間が満足する予め設定された関係は、送信端と受信端が予め約束した関係であってもよい。例えば、第２の時間間隔が第１の時間間隔の２倍である。受信端は、受信されたデータが予め設定された関係を満足するか否かによって、受信された信号がハンドシェイク信号であるか否かを判断する。例えば、５つの信号を受信した場合、ｔ０、ｔ１、ｔ２及びｔ３の４つの時間間隔を含み、ここで、第１の時間間隔がｔ０及びｔ２を含み、第２の時間間隔がｔ１及びｔ３を含んでもよい。また、第１の時間間隔と第２の時間間隔が満足する予め設定された関係がｔ１＝２ｔ０、ｔ３＝２ｔ２であってもよい。
【００８０】
さらに、ステップ２０２aにおいて、受信されたＫ個の信号が時間パラメータをさらに含み、ステップ２０１において、Ｋ個の信号によって時間パラメータを決定できる。その他、先に第１の時間間隔グループと第２の時間間隔グループを決定し、ここで、第１の時間間隔グループが少なくとも１つの第１の時間間隔を含み、第２の時間間隔グループが少なくとも１つの第２の時間間隔を含む。そして、第１の時間間隔グループ及び第２の時間間隔グループによって時間パラメータを決定する。例えば、送信端が５つのハンドシェイク信号を送信し、第１の時間間隔ｔ１＝ｅｔｕ、第２の時間間隔ｔ２＝ｅｔｕ＋ｐｄｔであると、受信端が第１の時間間隔及び第２の時間間隔によって時間パラメータｅｔｕ及びｐｄｔの値を決定できる。Ｋ個の信号によって時間パラメータを決定することで、受信端の理論時間パラメータと実際時間パラメータが一致しないことを防止でき、データ伝送の正確性を確保できる。
【００８１】
データを伝送する信号に類似して、受信端がＫ回のローレベルパルスを検出して、Ｋ個の信号を受信したことを決定できる。或いは、Ｋ回のハイレベルパルスを検出して、Ｋ個の信号を受信したことを決定できる。当該ローレベル/ハイレベルパルスは、矩形波、正弦波などによって実現できる。好ましくは、ローレベルパルスを検出し、即ち、送信端が受信端にハイレベルを提供し、Ｋ個の信号を送信する必要がある場合、Ｋ回のローレベルパルスを生成することで、送信端と受信端が通信するとき、受信端が送信端からのハイレベルを電源として使い、或いは受信端の内部に電源を設けず、送信端のハイレベルを電源として直接に使う方法を採用する。このような方法による機器は、情報インタラクションを行うとき、同一の線を介して給電及び情報の受信を同時に実施できるので、機器の体積及びコストを低減できる情報インタラクションを行うとき、同一の線を介して給電及び情報の受信を同時に実施できるので、機器の体積及びコストを低減できる。
【００８２】
以上は、Ｋ個の信号を受信して時間パラメータを取得する具体的な形態に関し、実施例１４〜１７のいずれか１つの実施例を参照すればよい。
【００８３】
本実施例の選択可能な１つの実施形態において、Ｘ個の信号を受信することは、Y＋１個の信号受信し、Y＋１個の信号におけるノイズを除去して、Ｘ個の信号を取得することを含む。ただし、Y＋１≧Ｘである。具体的は、実施例１０〜１３のいずれか１つの実施例を参照すればよい。
【００８４】
ステップ２０３、ステップ２０１において決定された現在のデータを伝送する時間パラメータによって、Ｘ-１個の時間間隔における連続的なＳ個の時間間隔ごとの個別の時間間隔に対応する数値を取得して、Ｓ個の時間間隔において伝送され た数値を取得し、 Ｓ個の時間間隔において伝送した数値が個別の時間間隔に対応する数値であり、数値はＮビットデータに含まれる２Ｎ個の異なる数値中の１つであり、ここで、Ｓ＞１である場合、Ｓ個の時間間隔が同じであり、 Ｘ及びＳがいずれも正整数であり、且つ、Ｓ≦Ｘ-１、Ｎ≧１である。Ｘ-１個の時間間隔において、Ｓ＞１である場合、Ｓ個の連続的な時間間隔がそれぞれ同じであり、ここで、個別の時間間隔に対応するＮビットデータの数値が当該Ｓ個の時間間隔において伝送された数値である。例えば、７つの信号を受信すると、６つの時間間隔を取得し、その中の３つの連続的な時間間隔が同じである。即ち、送信端は、複数の同じ時間間隔でＮビットデータの数値を示し、３つの時間間隔中の個別の時間間隔に対応するＮビットデータを取得し、さらに、３つの時間間隔に伝送された数値を取得し、Ｓ＝１である場合、１つの時間間隔に伝送された数値を取得する。
【００８５】
本発明の実施例の選択可能な１つの実施形態として、ステップ２０１において決定された現在のデータを伝送する時間パラメータによって、Ｘ-１個の時間間隔における連続的なＳ個の時間間隔ごとの個別の時間間隔に対応する数値を取得して、Ｓ個の時間間隔において伝送された数値を取得し、複数の計算方法によって、個別の時間間隔に対応する数値を計算して取得する。例えば、予め設定した又は合意した計算方法である、数値ｍの時間間隔＝ｅｔｕ＋ｍ*ｐｄｔによって、時間間隔に対応する数値を取得する。例えば、１つの時間間隔を受信し、ｅｔｕ及びｐｄｔによって、ｍの数値を計算して取得する。例えば、ｍ＝１である場合、予め設定した又は合意した各グループのデータが１ビットであると、当該数値が１であり、各グループのデータが２ビットであると、当該数値が０１であり、各グループのデータが３ビットであると、当該数値が００１であり、各グループのデータが４ビット又は４ビット以上である場合、数値を取得する方法が同じであり、ここで贅言して説明しない。
【００８６】
本発明の実施例の選択可能な１つの実施形態として、決定された現在のデータを伝送する時間パラメータによって、Ｘ-１個の時間間隔における連続的なＳ個の時間間ごとの個別の時間間隔に対応する数値を取得して、Ｓ個の時間間隔において伝送される数値を取得する（数値はＮビットデータに含まれる２Ｎ個の異なる数値中の１つであり、ここで、Ｓ＞１である場合、Ｓ個の時間間隔が同じであり、 Ｘ及びＳはいずれも正整数であり、且つ、Ｓ≦Ｘ-１、Ｎ≧１）ことに関し、以下のように理解できる。
【００８７】
決定された現在のデータを伝送する時間パラメータによって、Ｘ-１個の時間間隔における連続的なＳ個の時間間隔ごとの個別の時間間隔に対応するビットストリングを取得して、Ｓ個の時間間隔において伝送されるビットストリングを取得する。ここで、Ｓ個の時間間隔において伝送される数値が個別の時間間隔に対応するビットストリングであり、Ｓ＞１である場合、Ｓ個の時間間隔が同じであり、Ｓが正整数であり、且つ、Ｓ≦Ｘ-１である。例えば、Ｘ＝２、Ｓ＝１である場合、１つの時間間隔のみを有し、当該時間間隔に対応するビットストリングを取得する。Ｘが３又は３以上であり、且つＳ＝１である場合、複数の時間間隔を有し、各時間間隔に対応するビットストリングを取得すする。Ｘ＝３、Ｓ＝２である場合、２つの時間間隔を有し、この２つの時間間隔が同じであり、且つ、当該時間間隔が１つのビットストリングに対応し、この２つの時間間隔が当該１つの時間間隔に対応するビットストリングを示す。Ｘが５又は５以上であり、且つＳ＝２である場合、４つの時間間隔を有し、前の２つの連続的な時間間隔における１つの時間間隔が１つのビットストリングに対応し、後の２つの連続的な時間間隔における１つの時間間隔が他の１つのビットストリングに対応する。即ち、前の２つの時間間隔が１つのビットストリングを示し、後の２つの時間間隔が他の１つのビットストリングを示す。勿論、以上に挙げた例は例示的であり、Ｓ個の時間間隔において伝送されるビットストリングを取得することが可能な方法は何れも本発明の保護範囲に属する。
【００８８】
本実施例の選択可能な１つの実施形態において、ステップ２０３でＸ-１個の時間間隔における第１個の連続的なＳ個の時間間隔において伝送される数値を取得する前に、時間パラメータによって、Ｎビットデータに含まれる２Ｎ個の異なる数値と時間間隔の対応関係を取得するステップ２０３’をさらに含む。ここで、異なる数値に対応する時間間隔が異なり、Ｎ≧１である。前述のＮビットデータに含まれる２Ｎ異なる数値及び時間間隔を予め算出することによって受信された時間間隔に対応する数値を決定することで、データを受信した後のデコード時間をさらに縮減できる。本発明の実施例の選択可能な１つの実施形態として、時間パラメータによって、Ｎビットデータに含まれる２Ｎ個の異なる数値と時間間隔の対応関係を取得する（ここで、異なる数値に対応する時間間隔が異なり、Ｎ≧１）とは、以下のように理解できる。時間パラメータによって、２Ｎ個の長さがＮであるビットストリングにおける各ビットストリングと時間間隔の対応関係を取得する（ここで、２Ｎ個のビットストリングが互いに異なり、且つ、異なるビットストリングに対応する時間間隔が異なり、且つＮ≧１である）。
【００８９】
本実施例の選択可能な１つの実施形態において、当該実施形態にはステップ２０１が含まず、本ステップ中の「Ｎビットデータに含まれる２Ｎ個の異なる数値と時間間隔の対応関係を取得し、ここで、異なる数値に対応する時間間隔が異なる」が必須のステップである、即ち、現在のデータ伝送を決定する時間パラメータを含まないと、Ｎビットデータに含まれる２Ｎ個の異なる数値と時間間隔の対応関係を含まなければならない。
【００９０】
本実施例の選択可能な１つの実施形態において、「Ｎビットデータに含まれる２Ｎ個の異なる数値」とは、以下のように理解できる。例えば、Ｎ＝１である場合、１ビットデータに２１個の異なる数値を含み、それぞれ０と１である。Ｎ＝２である場合、２ビットデータに含まれる２２個の異なる数値を含み、それぞれ００、０１、１０、１１である。「時間パラメータによって、Ｎビットデータに含まれる２Ｎ個の異なる数値と時間間隔の対応関係を取得する」とは、以下のように理解できる。例えば、Ｎ＝１である場合、時間パラメータによって、０に対応する時間間隔を取得し、時間パラメータによって、１に対応する時間間隔を取得する。Ｎ＝２である場合、時間パラメータによって、００に対応する時間間隔を取得し、時間パラメータによって、０１に対応する時間間隔を取得し、時間パラメータによって、１０に対応する時間間隔を取得し、時間パラメータによって、１１に対応する時間間隔を取得する。勿論、Ｎが他の値である場合、上述と同じように理解できるので、ここで贅言して説明しない。
【００９１】
その他、データの受信端は、データの送信端と予め設定又は合意した計算方法によって、当該データの数値に対応する時間間隔を算出する。Ｎ＝nであり、数値ｍに対応する時間間隔の計算方法は、数値ｍに対応する時間間隔＝ｅｔｕ＋ｍ*ｐｄｔ（ただし、０≦ｍ≦２n-１、ｅｔｕが第１の時間パラメータであり、ｐｄｔが第２の時間パラメータである。例えば、ｅｔｕ＝１０μs、ｐｄｔ＝３０μs）であり、即ち、数値１１に対応する時間間隔の計算方法は１０μs＋３*３０μs＝１００μsであり、当該選択可能な実施形態によって、数値に対応する時間間隔を計算できる。勿論、本発明は、他の予め合意された計算方法によって時間間隔を決定してもよい。本実施例はこれに対して具体的に限定しない。予め合意された計算方法によって当該数値に対応する時間間隔を算出すると、データ伝送の拡張性を確保できる。即ち、Ｎの値が何かに問わず、送信端及び受信端が各データの数値に対応する時間間隔を算出することができる。そして、受信端は、計算された時間間隔を受信された時間間隔と比較して、当該時間間隔に対応する数値を直接に決定でき、データを決定する効率を向上できる。
【００９２】
本発明の実施例の選択可能な他の１つの実施形態として、データの受信端は、データの送信端と予め合意して記憶したリストによって、当該数値に対応する時間間隔を決定できる。リストを照会する方法で当該数値に対応する時間間隔を決定すると、当該数値に対応する時間間隔を取得する効率を向上できる。
【００９３】
本実施例の選択可能な１つの実施形態において、Ｘ-１＝n*Ｓ、n≧１、且つnが整数である。このような選択可能な実施形態によれば、Ｘ個の信号がn*Ｓ個のデータをちょうど伝送でき、余計な信号によってデコードできない課題が生じられない。
【００９４】
本実施例の選択可能な１つの実施形態において、データ伝送中、時間パラメータを更新することもできる。即ち、ステップ２０３の後、予め設定された規則によって、現在使用中の時間パラメータを新しい時間パラメータに替えて、新しい時間パラメータを現在のデータを伝送する時間パラメータとして決定し、Ｘ個の信号を受信し、Ｘ個の信号における隣接する２つの信号の各開始時刻の間の時間間隔を決定して、Ｘ-１個の時間間隔を取得し、そして、現在のデータを伝送する時間パラメータを使用して、Ｘ-１個の時間間隔における連続的なＳ個の時間間隔ごとの個別の時間間隔に対応する数値を取得して、Ｓ個の時間間隔において伝送される数値を取得し、Ｓ個の時間間隔において伝送される数値が各時間間隔に対応する数値であり、数値がＮビットデータに含まれる２Ｎ個の異なる数値における１つであり、Ｓ＞１の場合、Ｓ個の時間間隔における各時間間隔が同一であるステップ２０４をさらに含む。本実施形態において、新しい時間パラメータの決定は、送信端と受信端との合意によって完成してもよく、また、送信端と受信端が予め記憶した時間パラメータのリストを照会することで完成してもよい。例えば、あるタイプのデータを送信するときに、リストを照会することで、当該タイプのデータが使用すべきの時間パラメータを決定する。送信端の時間パラメータは可変であり、異なるデータ処理能力を有する受信端又は異なるタイプのデータにマッチングできて、データ処理の效率をさらに向上する。
【００９５】
本実施例の選択可能な１つの実施形態において、ステップ２０３で最後の１つのデータの受信を完成した後、送信端はA個の終了信号（A≧１、且つ整数である）を送信することもでき、受信端はA個の終了信号を受信することもできる。終了信号はハンドシェイク信号と同じものであってもよく、また、他の特定のフォーマットの信号であってもよい。受信端は当該終了信号によってデータの受信が終了したか否やかを判断する。
【００９６】
本実施例の選択可能な１つの実施形態において、ステップ２０３で最後の１つのデータの受信を完成した後、或いは、最後の１つのデータの受信を完成した後であって、A個の終了信号を受信する前に、受信端は送信端から送信した検証データを受信することもでき、データの受信端は当該検証データによって、受信したデータが完備で正確であるか否やかを判断する。検証データは、ＭAC検証、パリティ検証、サム検証などのチェック方法によって計算された検証データを含む。
【００９７】
上述の本発明の実施例により提供された技術手段によれば、受信端は受信波形の時間間隔によって受信波形のデータの数値を決定でき、二本の線のみを使ってデータの受信を完成でき、電子機器に適用するとき、電子機器の体積を有効的に低減できる。
【００９８】
本発明の選択可能な１つの実施形態として、データの受信端を、他の装置（以下、第１の端末と称する）とデータの送信端の通信に対して中継する１つの中継装置としてもよい。このとき、データの受信端は、本実施例に係る受信方法により、第２のインターフェースを介してＸ個の信号を受信して、取得されたＳ個の時間間隔によりおける個別の時間間隔に対応する数値によって、Ｘ-１個の時間間隔に対応する第２のデータビットストリングを取得し、また、第１のインターフェースによりサポートされるプロトコールによって第２のデータビットストリングに対いてエンコードして、第２のデータを取得し、第１のインターフェースを介して第２のデータを送信してもよい。このとき、第１のインターフェースのインターフェースのタイプによって、サポートするプロトコールによって受信された第２のデータビットストリングに対いてエンコードする。例えば、第１のインターフェースはＵＳＢプロトコール、オーディオプロトコール、シリアルポートプロトコール、ブルートゥースプロトコール、ＷｉＦｉプロトコール、ＮFCプロトコールなどによって、第２のデータビットストリングに対いてエンコードして、現在の送信対象の第２のデータを取得する。当該第１のインターフェースを介してデータ変換を行って、本実施例において生成されたデータビットストリングをユニバーサルインターフェースプロトコールがサポート可能なデータに変換して、異なるインターフェースの間の変換を実現し、本実施例のデータの受信端の適用範囲を広げた。勿論、本発明のデータの受信端が中継装置とする場合、第１のインターフェースを介して第１のデータを受信することも可能であり、第１のインターフェースによりサポートされるプロトコルによって第１のデータに対してデコードして、現在の送信対象の第１のデータビットストリングを取得し、また、第１のインターフェースを介して現在の送信対象のデータビットストリングを取得した後、本発明の実施例１により提供されるデータ送信方法により、第２のインターフェースを介して現在の送信対象のデータビットストリングを送信すればよい。また、データの受信端を中継装置とする場合、データの受信端が２つの通信インターフェースをゆうしてもよい。、例えば、第１のインターフェース及び第２のインターフェースを有し、第１のインターフェースが第１の端末と通信するインターフェースであり、第２のインターフェースがデータの送信端と通信するインターフェースである。第１のインターフェースは例えば、ＵＳＢインターフェース、オーディオインターフェース、シリアルポート、ブルートゥース、ＷｉＦｉ、ＮFCなどの無線インタフェースや有線インターフェースの従来のユニバーサルインターフェースであってもよい。当該第１のインターフェースを介して第１の端末に接続して、第１の端末に第２のデータを送信してもよい。第１の端末は、携帯電話、コンピュータ、PADなどの機器であってもよく、当該第２のデータは携帯電話、コンピュータ、PADが受信するデータであってもよい。同時に、第１のインターフェースのインターフェースのタイプに従って、サポートするプロトコールによって、受信された第１のデータに対してデコードする。例���ば、第１のインターフェースは、ＵＳＢプロトコール、オーディオプロトコール、シリアルポートプロトコール、ブルートゥースプロトコール、ＷｉＦｉプロトコール、又はＮFCプロトコールなどによって、第１のデータに対してデコードして、第１のデータに対応するデータビットストリングを取得し、そして、前記実施例１に記載された送信方法により、第２のインターフェースを介して送信してもよい。第２のインターフェースは電子支払い機器（即ち、データの受信端）に接続されたインターフェースであってもよい。当該第２のインターフェースを介してデータを電子支払い機器に送信してもよく、また、第２のインターフェースを介して電子支払い機器から送信したデータを受信してもよい。当該第２のインターフェースは１つのＴＷＩインターフェースであってもよい。当該電子支払い機器は、ＵＳＢＫｅy、OTP及びスマートカードなどの機能を実現可能である。本発明のデータの受信端を中継装置として、当該第１のインターフェースを介してデータ変換を行って、データの送信端からのデータを端末との通信に適合するデータに変換することが実現できる。
【００９９】
以下、受信を待機するビットストリングが００１１１００１００であり、且つＮ＝２であることを例として、本発明の実施例により提供されるデータ受信方法に対して簡単に説明する。
【０１００】
ステップ２０１において、現在のデータを伝送する時間パラメータを決定する。その他、２つの時間パラメータである第１の時間パラメータｅｔｕ及び第２の時間パラメータｐｄｔを決定する。ここで、ｅｔｕ＝１０μs、ｐｄｔ＝３０μsである。本発明の実施例において、時間パラメータはデータ送信に占められる時間長さである。時間パラメータの個数はＮとの間に対応関係が存在しなく、単に送信端と合意して一致すればよい。本実施例は、データの数値に対応する時間間隔を表現できればよいので、時間パラメータの具体的な個数に対して限定しない。
【０１０１】
ステップ２０２において、６つの信号を受信し、６つの信号における隣接する２つの信号のの開始時刻の間の時間間隔を決定して、ｅｔｕ、ｅｔｕ＋３ｐｄｔ、ｅｔｕ＋２ｐｄｔ、ｅｔｕ＋ｐｄｔ、ｅｔｕの５つの時間間隔を取得する。
【０１０２】
ステップ２０３において、上述の５つの各時間間隔に対応する２ビットデータを取得する。本実施例において、データの送信端と予め合意された計算方法ｍ＝ｅｔｕ＋ｍ*ｐｄｔによって、時間間隔に対応する数値を取得する。例えば、１つの１００μsの時間間隔を取得すれば、ｍ＝３を取得できる。即ち、当該時間間隔に伝送される数値が１１である。また、本ステップの前に、時間パラメータによって、Ｎビットデータに含まれる２Ｎ個の異なる数値と時間間隔の対応関係を取得する。例えば、Ｎ＝２である場合、時間パラメータによって、２ビットデータに含まれる４つの異なる数値と時間間隔の対応関係を取得する。即ち、００＝ｅｔｕ、０１＝ｅｔｕ＋ｐｄｔ、１０＝ｅｔｕ＋２ｐｄｔ、１１＝ｅｔｕ＋３ｐｄｔを取得する。例えば、１００μsの時間間隔を受信すると、当該時間間隔に伝送される数値が１１であることを直接に決定できる。最終に、ビットストリング００１１１００１００の受信を完成する。
【０１０３】
本実施例において、送信端の送信対策に従って、受信端は１つの時間間隔で１つのグループのデータを示すことができる。例えば、一回のみのｅｔｕの時間間隔で００を示すことであり、データ伝送の速度が速くなる。また、複数の同じ時間間隔で１つのグループのデータを示すことができる。例えば、三回のｅｔｕの時間間隔で００を示すことであり、データ伝送の精度が高く、時間間隔の紛失による判断ミスを防止できる。
【０１０４】
以下、受信を待機するビットストリングが００１１１００１００であり、且つＮ＝１であることを例として、本発明のデータ受信方法に対して簡単に説明する。
【０１０５】
ステップ２０１において、現在のデータを伝送する時間パラメータを決定する。その他、２つの時間パラメータである第１の時間パラメータｅｔｕ及び第２の時間パラメータｐｄｔを決定する。ここで、ｅｔｕ＝１０μs、ｐｄｔ＝３０μsである。時間パラメータの個数はＮと対応関係が存在しない。本実施例は、データの数値に対応する時間間隔を表現できればよいので、時間パラメータの具体的な個数に対して限定しない。
【０１０６】
ステップ２０２において、１１個の信号を受信し、１１個の信号における隣接する２つの信号の各開始時刻の間の時間間隔を決定して、ｅｔｕ、ｅｔｕ、ｐｄｔ、ｐｄｔ、ｐｄｔ、ｅｔｕ、ｅｔｕ、ｐｄｔ、ｅｔｕ、ｅｔｕの１０個の時間間隔を取得する。
【０１０７】
ステップ２０３において、上述の１０個の各時間間隔に対応する１ビットデータを取得し、ｅｔｕの時間間隔に伝送される数値０を取得し、ｅｔｕの時間間隔に伝送される数値０を取得し、ｐｄｔの時間間隔に伝送される数値１を取得し、ｐｄｔの時間間隔に伝送される数値１を取得し、……、ｅｔｕの時間間隔に伝送される数値０を取得し、最終に、ビットストリング００１１１００１００の受信を完成する。
【０１０８】
本実施例において、送信端の送信対策に従って、受信端は１つの時間間隔で１ビットのデータを示すことができる。例えば、一回のみのｅｔｕの時間間隔で００を示すことであり、データ伝送の速度が速くなる。また、複数の同じ時間間隔で１ビットのデータを示すことができる。例えば、三回のｅｔｕの時間間隔で００を示すことであり、データ伝送の精度が高く、時間間隔の紛失による判断ミスを防止できる。
【０１０９】
以下、受信を待機するビットストリングが００１１１００１００であり、且つＮ＝３であることを例として、本発明の実施例により提供されるデータ受信方法に対して簡単に説明する。
【０１１０】
ステップ２０１において、現在伝送の時間パラメータを決定する。その他、２つの時間パラメータである第１の時間パラメータｅｔｕ及び第２の時間パラメータｐｄｔを決定する。ここで、ｅｔｕ＝１０μs、ｐｄｔ＝３０μsである。本発明の実施例において、時間パラメータはデータ送信に占められる時間長さである。時間パラメータの個数はＮとの間に対応関係が存在しなく、単に送信端と合意して一致すればよい。本実施例は、データの数値に対応する時間間隔を表現できればよいので、時間パラメータの具体的な個数に対して限定しない。
【０１１１】
ステップ２０２において、５つの信号を受信し、５つの信号における隣接する２つの信号の各開始時刻の間の時間間隔を決定して、ｅｔｕ、ｅｔｕ＋３ｐｄｔ、ｅｔｕ＋４ｐｄｔ、ｅｔｕ＋４ｐｄｔの４つの時間間隔を取得する。
【０１１２】
ステップ２０３において、上述の４つの各時間間隔に対応する２ビットデータを取得する。本実施例において、データの送信端と予め合意された計算方法ｍ＝ｅｔｕ＋ｍ*ｐｄによって、時間間隔に対応する数値を取得する。例えば、１つの１００μsの時間間隔を取得すれば、ｍ＝３を取得できる。即ち、当該グループのデータが１０１である。また、本ステップの前に、時間パラメータによって、Ｎビットデータに含まれる２Ｎ個の異なる数値と時間間隔の対応関係を取得する。例えば、Ｎ＝３である場合、時間パラメータによって、３ビットデータに含まれる８つの異なる数値と時間間隔の対応関係を取得する。即ち、０００＝ｅｔｕ、００１＝ｅｔｕ＋ｐｄｔ、０１０＝ｅｔｕ＋２ｐｄｔ、０１１＝ｅｔｕ＋３ｐｄｔ、１００＝ ｅｔｕ＋４ｐｄｔ、１０１＝ ｅｔｕ＋５ｐｄｔ、１１０＝ ｅｔｕ＋６ｐｄｔ、１１１＝ｅｔｕ＋７ｐｄｔを取得する。例えば、１００μsの時間間隔を受信すると、当該データの数値が１０１であることを直接に決定できる。最終に、データ送信端と予め合意されたデータビット数によって、０を補足したビットを削除して、ビットストリング００１１１００１００の受信を完成する。
【０１１３】
本実施例において、送信端の送信対策に従って、受信端は１つの時間間隔で１つのグループのデータを示すことができる。例えば、一回のみのｅｔｕの時間間隔で０００を示すことであり、データ伝送の速度が速くなる。また、複数の同じ時間間隔で１つのグループのデータを示すことができる。例えば、三回のｅｔｕの時間間隔で０００を示すことであり、データ伝送の精度が高く、時間間隔の紛失による判断ミスを防止できる。
【０１１４】
Ｎ≧４である場合、Ｎ＝２又はＮ＝３である場合のデータ受信方法を参照してデータを受信でき、ここで贅言して説明しない。
【０１１５】
実施例３
本実施例は、データ送信装置を提供する。当該装置は、実施例１に係るデータ送信方法に対応するので、贅言して説明しないが、ここで簡単に説明する。説明が明確ではない部分は、実施例１を参照すればよい。
【０１１６】
本実施例において、データ送信装置は、携帯電話、コンピュータ、ＰＯＳレジなどの機器であってもよい。
【０１１７】
図７は、本実施例の選択可能な１つのデータ送信装置の構成を示す模式図である。当該装置は、主に時間パラメータ決定ユニット３０１、時間間隔取得ユニット３０２、データビットストリング取得ユニット３０３、及び送信ユニット３０４を備える。
【０１１８】
本実施例において、時間パラメータ決定ユニット３０１は、現在のデータを伝送する時間パラメータを決定するためのものである。時間間隔取得ユニット３０２は、時間パラメータによって、Ｎビットデータに含まれる２Ｎ個の異なる数値と時間間隔の対応関係を取得するためのものであり、ここで、異なる数値に対応する時間間隔が異なり、 Ｎ≧１である。データビットストリング取得ユニット３０３は、現在の送信対象のデータビットストリングを取得して、データビットストリングに対して、各グループのデータがＮビットになるようにグループ分けを行うためのものである。送信ユニット３０４は、取得された対応関係に基づいて、各グループのデータの数値に対応する時間間隔で当該グループのデータを示すように、当該グループのデータを送信するためのものである。
【０１１９】
本発明の選択可能な１つの実施形態として、送信ユニット３０４が各グループのデータに対して当該グループのデータを送信することは、送信ユニット３０４がＭ個の信号を生成して送信することを含む。ここで、各信号の開始時刻と、隣接する前の１つの信号の開始時刻の時間間隔が当該グループのデータの数値に対応する時間間隔であり、Ｍ≧１、且つＭが自然数である。
【０１２０】
本発明の選択可能な１つの実施形態として、送信ユニット３０４によるＭ個の信号の生成は、送信ユニット３０４が時間間隔によってＭ回のローレベルパルスを生成することを含む。
【０１２１】
本発明の選択可能な１つの実施形態として、データ送信装置は、Ｋ個のハンドシェイク信号を生成して送信するためのハンドシェイク信号送信ユニット３０５をさらに備え、ここで、 Ｋ≧２、且つＫが整数である。
【０１２２】
本発明の選択可能な１つの実施形態として、Ｋ個のハンドシェイク信号の間が予め設定された関係を満足する。
【０１２３】
本発明の選択可能な１つの実施形態として、Ｋ個のハンドシェイク信号が時間パラメータを含む。
【０１２４】
本発明の選択可能な１つの実施形態として、Ｋ個のハンドシェイク信号の間が予め設定された関係を満足することは、第１の時間間隔と第２の時間間隔の間が予め設定された関係を満足することを含み、第１の時間間隔が第ｉ個のハンドシェイク信号の開始時刻と第ｉ-１個のハンドシェイク信号の開始時刻との間の時間間隔であり、第２の時間間隔が第ｉ個のハンドシェイク信号の開始時刻と第ｉ＋１個のハンドシェイク信号の開始時刻との間の時間間隔であり、ｉ＝２,４,……,２j、j＝(Ｋ-１)/２、Ｋ≧３、且つＫが奇数である。
【０１２５】
本発明の選択可能な１つの実施形態として、データ送信装置は、時間パラメータによって第１の時間間隔グループ及び/又は第２の時間間隔グループを決定するためのハンドシェイク信号時間間隔決定ユニット３０６をさらに備え、前記第１の時間間隔グループは少なくとも１つの前記第１の時間間隔を含み、前記第２の時間間隔グループは少なくとも１つの前記第２の時間間隔を含む。
【０１２６】
本発明の選択可能な１つの実施形態として、ハンドシェイク信号送信ユニット３０５によるＫ個のハンドシェイク信号の生成は、ハンドシェイク信号送信ユニット３０５が第１の時間間隔及び第２の時間間隔によってＫ回のローレベルパルスを生成することを含む。
【０１２７】
本発明の選択可能な１つの実施形態として、データ送信装置は、予め設定された規則によって、現在使用中の時間パラメータを新しい時間パラメータに替えて、新しい時間パラメータを現在のデータを伝送する時間パラメータとして決定し、時間間隔取得ユニット３０２をトリガして新しい時間パラメータによって対応関係を更新するための時間パラメータ更新ユニットと３０７と、現在のデータを伝送する時間パラメータによって対応関係を更新するための時間間隔取得ユニット３０２と、更新された対応関係に基づいてデータ伝送を行うための送信ユニット３０４と、をさらに含む。
【０１２８】
上述した本発明の実施例により提供された技術手段によれば、データ送信装置は送信波形の時間間隔で送信波形のデータを示すことができ、二本の線のみを使ってデータの送信を完成でき、電子機器に適用するとき、電子機器の体積を有効的に低減できる。
【０１２９】
実施例４
本実施例は、データ受信装置を提供する。当該装置は、実施例２に係るデータ受信方法に対応するので、贅言して説明しないが、ここで要約的に説明する。説明が明確ではない部分は、実施例２を参照すればよい。
【０１３０】
本実施例において、データ受信装置は、スマートカード、スマートキーデバイス、ダイナミックパスワードなどの機器の機能を有す電子支払い機器であってもよく、実施例３におけるデータ送信装置と組み合わせて使われる。
【０１３１】
図８は、本実施例の選択可能な１つのデータ受信装置の構成を示す模式図である。当該装置は、時間パラメータ決定ユニット４０１、受信ユニット４０３、及びデータ取得ユニット４０４を備える。
【０１３２】
本実施例において、時間パラメータ決定ユニット４０１は、現在のデータを伝送する時間パラメータを決定するためのものである。受信ユニット４０３は、Ｘ個の信号を受信し、Ｘ個の信号における隣接する２つの信号の各開始時刻の間の時間間隔を決定して、Ｘ-１個の時間間隔を取得するためものであり、ただし、Ｘが正整数であり、且つＸ＞１である。データ取得ユニット４０４は、決定された時間パラメータに基づいて、Ｘ-１個の時間間隔における連続的なＳ個の時間間隔ごとの個別の時間間隔に対応する数値を取得して、Ｓ個の時間間隔において伝送される数値を取得するためのものであり、Ｓ個の時間間隔において伝送される数値が前記個別の時間間隔に対応する数値であり、数値がＮビットデータに含まれる２Ｎ個の異なる数値における１つであり、ここで、Ｓ＞１の場合、Ｓ個の時間間隔における各時間間隔が同一である。
【０１３３】
本発明の選択可能な１つの実施形態において、データ受信装置は、データ取得ユニットがＸ-１個の時間間隔における第１個の連続的なＳ個の時間間隔において伝送される数値を取得する前に、時間パラメータによってＮビットデータに含まれる２Ｎ個の異なる数値と時間間隔の対応関係を取得するための時間間隔取得ユニット４０２をさらに含む。ここで、異なる数値に対応する時間間隔が異なる。
【０１３４】
本発明の選択可能な１つの実施形態において、Ｘ-１＝n*Ｓ、n≧１、且つnが整数である。
【０１３５】
本発明の選択可能な１つの実施形態において、受信ユニット４０３がＸ個の信号を受信することは、受信ユニット４０３がＸ回のローレベルパルスを検出したことを含む。
【０１３６】
本発明の選択可能な１つの実施形態において、データ受信装置は、Ｋ個の信号を受信し、Ｋ個の信号の間が予め設定された関係を満足するか否かを検出するためのハンドシェイク信号受信ユニット４０５をさらに備える。
【０１３７】
本発明の選択可能な１つの実施形態において、時間パラメータ決定ユニット４０１が現在のデータを伝送する時間パラメータを決定することは、時間パラメータ決定ユニット４０１がＫ個の信号によって時間パラメータを決定することを含む。
【０１３８】
本発明の選択可能な１つの実施形態において、ハンドシェイク信号受信ユニット４０５がＫ個の信号を受信することは、ハンドシェイク信号受信ユニット４０５がＫ個の信号の間の時間間隔を検出して、第１の時間間隔と第２の時間間隔の間が予め設定された関係を満足するか否かを判断し、第１の時間間隔が第ｉ個の信号の開始時刻と第ｉ−１個の信号の開始時刻との間の時間間隔であり、第２の時間間隔が第ｉ個の信号の開始時刻と第ｉ＋１個の信号の開始時刻との間の時間間隔であり、ｉ＝２,４,……,２j、j＝(Ｋ-１)/２、Ｋ≧３、且つＫが奇数であり、第１の時間間隔と第２の時間間隔の間が予め設定された関係を満足する場合、受信ユニットにＸ個の信号を受信するステップを実行するように通知することを含む。
【０１３９】
本発明の選択可能な１つの実施形態において、時間パラメータ決定ユニット４０１が現在のデータを伝送する時間パラメータを決定することは、時間パラメータ決定ユニットが第１の時間間隔グループ及び/又は第２の時間間隔グループを決定し、第１の時間間隔グループが少なくとも１つの第１の時間間隔を含み、第２の時間間隔グループが少なくとも１つの第２の時間間隔を含み、第１の時間間隔グループ及び/又は第２の時間間隔グループによって時間パラメータを決定することを含む。
【０１４０】
本発明の選択可能な１つの実施形態において、ハンドシェイク信号受信ユニット４０５がＫ個の信号を受信することは、ハンドシェイク信号受信ユニットがＫ回のローレベルパルスを検出することを含む。
【０１４１】
本発明の選択可能な１つの実施形態において、予め設定された規則によって、現在使用中の時間パラメータを新しい時間パラメータに替えて、新しい時間パラメータを現在のデータを伝送する時間パラメータとして決定するするための時間パラメータ更新ユニット４０６と、Ｘ個の信号を受信し、Ｘ個の信号における隣接する２つの信号の各開始時刻の間の時間間隔を決定して、Ｘ-１個の時間間隔を取得するための受信ユニットであって、ただし、Ｘが正整数であり、且つＸ＞１である受信ユニットと、時間パラメータ更新ユニットが取得した現在のデータを伝送する時間パラメータによって、Ｘ-１個の時間間隔における連続的なＳ個の時間間隔ごとの個別の時間間隔に対応する数値を取得して、Ｓ個の時間間隔において伝送される数値を取得するデータ取得ユニットであって、Ｓ個の時間間隔において伝送される数値が各時間間隔に対応する数値であり、数値がＮビットデータに含まれる２Ｎ個の異なる数値における１つであり、ここで、Ｓ＞１の場合、Ｓ個の時間間隔における各時間間隔が同一であるデータ取得ユニットと、をさらに備える。
【０１４２】
本発明の選択可能な１つの実施形態において、データ受信装置は、Y＋１個の信号を受信して、Y＋１個の信号におけるノイズを除去して、Ｘ個の信号を取得して受信ユニットに送信するためのフィルターリングユニット４０７をさらに備え、ここで、Y＋１≧Ｘである。
【０１４３】
上述した本発明の実施例により提供された技術手段によれば、データ受信装置は受信波形の時間間隔で受信波形のデータを示すことができ、二本の線のみを使ってデータの受信を完成でき、電子機器に適用するとき、電子機器の体積を有効的に低減できる。
【０１４４】
フローチャートにおいて、又はここで他の形態によって説明した任意の過程又は方法が、１つ又は複数の特定のロジック機能又は過程を実現するためのステップを含む実行可能な指令のコードのモジュール、一段又は一部を示し、且つ、本発明の好ましい実施形態の範囲は、別の実現形態を含み、ここで、示された又は説明した順序に従わなくてもよく、また、係わる機能によって、基本的に同時で、又は逆の順序で機能を実行してもよい。これは、本発明の実施例が属する当業者であれば理解できるはずである。
【０１４５】
なお、本発明の各部分はハードウェア、ソフトウェア、ファームウェア又はそれらの組み合わせによって実現してもよい。上述した実施形態において、複数のステップ又は方法は、メモリに記憶されるとともに、適切な指令によってシステムを実行するソフトウェア又はファームウェアによって実現してもよい。例えばハードウェアで実現する場合、他の実施形態と同じように、例えば、データ信号に対してロジック機能を実現するためのロジックゲート回路を有する離散ロジック回路、適切な組み合わせロジックゲート回路を有する専用集積回路、プログラマブルゲートアレイ（PGA）、フィールドプログラマブルゲートアレイ（FPGA）などの本分野の周知技術のいずれか１項又はそれらの組み合わせによって実現してもよい。
【０１４６】
当業者であれば、上述の実施例における方法に含まれる全部又は一部のステップの実現は、プログラムによって相関するハードウェアを指令して完成でき、プログラムはコンピュータ読取可能な記憶媒体に記憶されててもよく、当該プログラムが実行される場合、方法実施例における１つのステップ又はステップの組み合わせが実行される。
【０１４７】
さらに、本発明の各実施例における各機能ユニットは、１つの処理モジュールに集積されてもよい。また、各ユニットが個別に物理的に存在してもよい。また、２つ以上のユニットが１つのモジュールに集積されてもよい。上述した集積されたモジュールはハードウェアにより実現されてもよく、ソフトウェア機能モジュールにより実現されてもよい。集積されたモジュールがソフトウェア機能モジュールの形で実現されるとともに独立した製品として販売又は使用される場合、１つのコンピュータ読取可能な記憶媒体に記憶されててもよい。
【０１４８】
前記記憶媒体は、リードオンリーメモリ（ＲＯＭ）、磁気ディスク又は光ディスクなどであってもよい。
【０１４９】
本発明の説明において、「一つの実施形態」、「一部の実施形態」、「示例」、「具体的な示例」、或いは「一部の示例」などの用語を参考した説明とは、該実施形態或いは示例に結合して説明された具体的な特徴、構成、材料或いは特性が、本発明の少なくとも一つの実施形態或いは示例に含まれることである。本明細書において、上記用語に対する例示的な描写は、必ずしも同じ実施形態或いは示例を示すことではない。且つ、説明された具体的な特徴、構成、材料或いは特性は、任意の一つ或いは複数の実施形態又は示例において適切に結合することができる。
【０１５０】
以上、本発明の実施例を示して説明したが、上記の実施例は示例的な説明に過ぎず、本発明を限定するものではない。当業者は、本発明の原理及び主旨から逸脱することなく、本発明の範囲内で、これらの実施例に対して各種の変化、修正、切り替え及び変形を行うことができる。本発明の範囲は、特許請求の範囲及び同等物により限定される。
【手続補正２】
【補正対象書類名】特許請求の範囲
【補正対象項目名】全文
【補正方法】変更
【補正の内容】
【特許請求の範囲】
【請求項１】
現在のデータを伝送する時間パラメータを決定するための時間パラメータ決定ユニットと、
前記時間パラメータに基づいて、Ｎビットデータに含まれる２Ｎ個の異なる数値と時間間隔との対応関係を取得するためのものであり、異なる数値に対応する時間間隔が異なり、Ｎ≧１である時間間隔取得ユニットと、
現在の送信対象のデータビットストリングを取得して、前記データビットストリングに対して、各グループのデータがＮビットになるようにグループ分けを行うためのデータビットストリング取得ユニットと、
取得された前記対応関係に基づいて、各グループのデータの数値に対応する時間間隔で当該グループのデータを示すように、当該グループのデータを送信するための送信ユニットと、を備える、
ことを特徴とするデータ送信装置。
【請求項２】
各グループのデータに対して、前記送信ユニットが当該グループのデータを送信することは、
前記送信ユニットがＭ個の信号を生成して送信し、各前記信号の開始時刻と、隣接する前の１つの信号の開始時刻との間の時間間隔が当該グループのデータの数値に対応する時間間隔であり、Ｍ≧１、且つＭが 自然数であることを含む、
ことを特徴とする請求項１に記載のデータ送信装置。
【請求項３】
前記送信ユニットがＭ個の信号を生成するステップは、
前記送信ユニットが前記時間間隔に基づいてＭ回のローレベルパルスを生成することを含む、
ことを特徴とする請求項２に記載のデータ送信装置。
【請求項４】
Ｋ個のハンドシェイク信号を生成して送信するためのハンドシェイク信号送信ユニットをさらに備え、ここで、Ｋ≧２、且つＫが整数である、
ことを特徴とする請求項１〜３のいずれかに記載のデータ送信装置。
【請求項５】
前記Ｋ個のハンドシェイク信号の間が予め設定された関係を満足する、
ことを特徴とする請求項４に記載のデータ送信装置。
【請求項６】
前記Ｋ個のハンドシェイク信号が時間パラメータを含む、
ことを特徴とする請求項４に記載のデータ送信装置。
【請求項７】
前記Ｋ個のハンドシェイク信号の間が予め設定された関係を満足することは、第１の時間間隔と第２の時間間隔との間が予め設定された関係を満足することを含み、前記第１の時間間隔が第ｉ個のハンドシェイク信号の開始時刻と第ｉ-１個のハンドシェイク信号の開始時刻との間の時間間隔であり、前記第２の時間間隔が第ｉ個のハンドシェイク信号の開始時刻と第ｉ＋１個のハンドシェイク信号の開始時刻との間の時間間隔であり、ｉ＝２,４,……,２j、  j＝(Ｋ-１)/２、Ｋ≧３、且つＫが奇数である、
ことを特徴とする請求項５又は６に記載のデータ送信装置。
【請求項８】
時間パラメータに基づいて第１の時間間隔グループ及び/又は第２の時間間隔グループを決定するためのものでり、前記第１の時間間隔グループが少なくとも１つの前記第１の時間間隔を含み、前記第２の時間間隔グループが少なくとも１つの前記第２の時間間隔を含むハンドシェイク信号時間間隔決定ユニットをさらに備える、
ことを特徴とする請求項７に記載のデータ送信装置。
【請求項９】
前記ハンドシェイク信号送信ユニットがＫ個のハンドシェイク信号を生成するステップは、
前記ハンドシェイク信号送信ユニットが前記第１の時間間隔及び前記第２の時間間隔によってＫ回のローレベルパルスを生成することを含む、
ことを特徴とする請求項６〜８のいずれかに記載のデータ送信装置。
【請求項１０】
予め設定された規則によって、現在使用中の時間パラメータを新しい時間パラメータに切り替えて、新しい時間パラメータを現在のデータを伝送する時間パラメータとして決定し、時間間隔取得ユニットをトリガして新しい時間パラメータに基づいて対応関係を更新するようにするための時間パラメータ更新ユニットと、
現在のデータを伝送する時間パラメータに基づいて対応関係を更新するための時間間隔取得ユニットと、
更新された対応関係によってデータを伝送するための送信ユニットと、をさらに備える、
ことを特徴とする請求項１〜９のいずれかに記載のデータ送信装置。
【請求項１１】
現在のデータを伝送する時間パラメータを決定するための時間パラメータ決定ユニットと、
Ｘ個の信号を受信し、前記Ｘ個の信号における隣接する２つの信号の各開始時刻の間の時間間隔を決定して、Ｘ-１個の時間間隔を取得するためのものであり、Ｘが正整数であり、且つＸ＞１である受信ユニットと、
決定された前記時間パラメータに基づいて、前記Ｘ-１個の時間間隔における連続的なＳ個の時間間隔ごとの個別の時間間隔に対応する数値を取得して、前記Ｓ個の時間間隔において伝送される数値を取得するためのものであり、前記Ｓ個の時間間隔において伝送される数値が前記個別の時間間隔に対応する数値であり、前記数値がＮビットデータに含まれる２Ｎ個の異なる数値における１つであり、Ｓ＞１の場合、前記Ｓ個の時間間隔における各時間間隔が同一であるデータ取得ユニットと、を備える、
ことを特徴とするデータ受信装置。
【請求項１２】
前記データ取得ユニットが前記Ｘ-１個の時間間隔における第１個の連続的なＳ個の時間間隔において伝送される数値を取得する前に、前記時間パラメータに基づいてＮビットデータに含まれる２Ｎ個の異なる数値と時間間隔との対応関係を取得するための時間間隔取得ユニットをさらに備え、
異なる数値に対応する時間間隔が異なる、
ことを特徴とする請求項１１に記載のデータ受信装置。
【請求項１３】
Ｘ-１＝n*Ｓ、n≧１、且つnが整数である、
ことを特徴とする請求項１１又は１２に記載のデータ受信装置。
【請求項１４】
前記受信ユニットがＸ個の信号を受信することは、
前記受信ユニットがＸ回のローレベルパルスを検出したことを含む、
ことを特徴とする請求項１１〜１３のいずれかに記載のデータ受信装置。
【請求項１５】
Ｋ個の信号を受信し、Ｋ個の信号の間が予め設定された関係を満足するか否かを検出するためのハンドシェイク信号受信ユニットをさらに備える、
ことを特徴とする請求項１１〜１４のいずれかに記載のデータ受信装置。
【請求項１６】
前記時間パラメータ決定ユニットが現在のデータを伝送する時間パラメータを決定することは、
時間パラメータ決定ユニットがＫ個の信号に基づいて時間パラメータを決定することを含む、
ことを特徴とする請求項１５に記載のデータ受信装置。
【請求項１７】
前記ハンドシェイク信号受信ユニットがＫ個の信号を受信することは、
ハンドシェイク信号受信ユニットがＫ個の信号の間の時間間隔を検出して、第１の時間間隔と第２の時間間隔との間が予め設定された関係を満足するか否かを判断し、前記第１の時間間隔が第ｉ個の信号の開始時刻と第ｉ−１個の信号の開始時刻との間の時間間隔であり、前記第２の時間間隔が第ｉ個の信号の開始時刻と第ｉ＋１個の信号の開始時刻との間の時間間隔であり、ｉ＝２,４,……,２j、  j＝(Ｋ-１)/２、Ｋ≧３、且つＫが奇数であり、
前記第１の時間間隔と前記第２の時間間隔との間が予め設定された関係を満足する場合、前記受信ユニットにＸ個の信号を受信するステップを実行するように通知することを含む、
ことを特徴とする請求項１５又は１６に記載のデータ受信装置。
【請求項１８】
前記時間パラメータ決定ユニットが現在のデータを伝送する時間パラメータを決定することは、
前記時間パラメータ決定ユニットが第１の時間間隔グループ及び/又は第２の時間間隔グループを決定し、前記第１の時間間隔グループが少なくとも１つの前記第１の時間間隔を含み、前記第２の時間間隔グループが少なくとも１つの前記第２の時間間隔を含み、前記第１の時間間隔グループ及び/又は前記第２の時間間隔グループに基づいて時間パラメータを決定することを含む、
ことを特徴とする請求項１７に記載のデータ受信装置。
【請求項１９】
前記ハンドシェイク信号受信ユニットがＫ個の信号を受信することは、
前記ハンドシェイク信号受信ユニットがＫ回のローレベルパルスを検出したことを含む、
ことを特徴とする請求項１５〜１８のいずれかに記載のデータ受信装置。
【請求項２０】
予め設定された規則によって、現在使用中の時間パラメータを新しい時間パラメータに切り替えて、新しい時間パラメータを現在のデータを伝送する時間パラメータとして決定するための時間パラメータ更新ユニットと、
Ｘ個の信号を受信し、Ｘ個の信号における隣接する２つの信号の各開始時刻の間の時間間隔を決定して、Ｘ-１個の時間間隔を取得するためのものであって、ただし、Ｘが正整数であり、且つＸ＞１である前記受信ユニットと、
時間パラメータ更新ユニットが取得した現在のデータを伝送する時間パラメータに基づいて、Ｘ-１個の時間間隔における連続的なＳ個の時間間隔ごとの個別の時間間隔に対応する数値を取得して、Ｓ個の時間間隔において伝送される数値を取得するものであって、Ｓ個の時間間隔において伝送される数値が各時間間隔に対応する数値であり、数値がＮビットデータに含まれる２Ｎ個の異なる数値における１つであり、Ｓ＞１の場合、Ｓ個の時間間隔における各時間間隔が同一であるデータ取得ユニットと、をさらに備える、
ことを特徴とする請求項１８又は１９に記載のデータ受信装置。
【請求項２１】
Y＋１個の信号を受信して、Y＋１個の信号におけるノイズを除去して、Ｘ個の信号を取得して受信ユニットに送信するためのフィルターリングユニットをさらに備え、Y＋１≧Ｘである、
ことを特徴とする請求項１１〜２０のいずれかに記載のデータ受信装置。
【請求項２２】
現在のデータを伝送する時間パラメータを決定するステップと、
前記時間パラメータに基づいて、Ｎビットデータに含まれる２Ｎ個の異なる数値と時間間隔の対応関係を取得し、異なる数値に対応する時間間隔が異なり、Ｎ≧１であるステップと、
現在の送信対象のデータビットストリングを取得するステップと、
前記データビットストリングに対して、各グループのデータがＮビットになるようにグループ分けを行うステップと、
取得された前記対応関係に基づいて、各グループのデータの数値に対応する時間間隔で当該グループのデータを示すように、当該グループのデータを送信するステップと、を含む、
ことを特徴とするデータ送信方法。
【請求項２３】
現在のデータを伝送する時間パラメータを決定するステップと、
Ｘ個の信号を受信し、前記Ｘ個の信号における隣接する２つの信号の各開始時刻の間の時間間隔を決定して、Ｘ-１個の時間間隔を取得し、Ｘが正整数であり、且つＸ＞１であるステップと、
決定された前記時間パラメータに基づいて、前記Ｘ-１個の時間間隔における連続的なＳ個の時間間隔ごとの個別の時間間隔に対応する数値を取得して、前記Ｓ個の時間間隔において伝送される数値を取得し、前記Ｓ個の時間間隔において伝送される数値が前記個別の時間間隔に対応する数値であり、前記数値がＮビットデータに含まれる２Ｎ個の異なる数値における１つであり、Ｓ＞１の場合、前記Ｓ個の時間間隔における各時間間隔が同一であり、 Ｘ及びＳがいずれも正整数であり、且つＳ≦Ｘ-１、Ｎ≧１であるステップと、を含む、
ことを特徴とするデータ受信方法。
【手続補正３】
【補正対象書類名】図面
【補正対象項目名】図９
【補正方法】削除
【補正の内容】
【手続補正４】
【補正対象書類名】図面
【補正対象項目名】図１０
【補正方法】削除
【補正の内容】
【手続補正５】
【補正対象書類名】図面
【補正対象項目名】図１１
【補正方法】削除
【補正の内容】
【手続補正６】
【補正対象書類名】図面
【補正対象項目名】図１２
【補正方法】削除
【補正の内容】
【手続補正７】
【補正対象書類名】図面
【補正対象項目名】図１３
【補正方法】削除
【補正の内容】
【手続補正８】
【補正対象書類名】図面
【補正対象項目名】図１４
【補正方法】削除
【補正の内容】
【手続補正９】
【補正対象書類名】図面
【補正対象項目名】図１５
【補正方法】削除
【補正の内容】
【手続補正１０】
【補正対象書類名】図面
【補正対象項目名】図１６
【補正方法】削除
【補正の内容】
【手続補正１１】
【補正対象書類名】図面
【補正対象項目名】図１７
【補正方法】削除
【補正の内容】
【手続補正１２】
【補正対象書類名】図面
【補正対象項目名】図１８
【補正方法】削除
【補正の内容】
【手続補正１３】
【補正対象書類名】図面
【補正対象項目名】図１９
【補正方法】削除
【補正の内容】
【手続補正１４】
【補正対象書類名】図面
【補正対象項目名】図２０
【補正方法】削除
【補正の内容】
【手続補正１５】
【補正対象書類名】図面
【補正対象項目名】図２１
【補正方法】削除
【補正の内容】
【国際調査報告】
2018527790.tif 000027
2018527790.tif 000028
2018527790.tif 000029
2018527790.tif 000030